(57)【要約】【課題】ＬＡＡセルにおいて正確なＲＳＲＰ、ＲＳＲＱ等の測定を行う。【解決手段】測定対象に関する設定に基づいて、測定対象（Measurement objects）が設定される上位層処理部と、測定対象に基づいて、第１の周波数のための測定を行う測定部と、ＤＣＩフォーマットの検出を試みる検出部と、を備え、測定対象に関する設定は、少なくとも前記第１の周波数における測定に用いられる検出信号測定設定（measDS-Config）を含み、測定部は、前記第１の周波数のための検出信号測定設定に従って検出信号（Discovery Signal）に基づく測定を行い、検出された前記ＤＣＩフォーマットの所定のフィールドにマップされる情報ビットによってあるＤＳ  ｏｃｃａｓｉｏｎにおける前記検出信号が送信されなかったことが示された場合、あるＤＳ  ｏｃｃａｓｉｏｎにおける物理層の測定値に基づく測定値を上位層で用いない。【選択図】図１２
2018152624.tif 000002
【特許請求の範囲】
【請求項１】
端末装置であって、
測定対象に関する設定に基づいて、測定対象（Measurement objects）が設定される上
位層処理部と、
前記測定対象に基づいて、第１の周波数のための測定を行う測定部と、
ＤＣＩフォーマットの検出を試みる検出部と、を備え、
前記測定対象に関する設定は、少なくとも前記第１の周波数における測定に用いられる検出信号測定設定（measDS-Config）を含み、
前記測定部は、前記第１の周波数のための前記検出信号測定設定に従って検出信号（Discovery Signal）に基づく測定を行い、
検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値を上位層で用いない
ことを特徴とする端末装置。
【請求項２】
前記上位層で用いないとは、前記物理層が取得した測定値に基づく測定値を上位層に提供しないことである
ことを特徴とする請求項１記載の端末装置。
【請求項３】
前記上位層で用いないとは、前記物理層の測定値に基づく測定値に対してリポート基準の評価が行われないことである
ことを特徴とする請求項１記載の端末装置。
【請求項４】
前記上位層で用いないとは、前記物理層の測定値に基づく測定値に対して所定のフィルタリングが適用されることである
ことを特徴とする請求項１記載の端末装置。
【請求項５】
前記所定のフィルタリングとは物理層からの最新受信測定結果に基づかず、かつ、以前にフィルターされた測定結果に基づくフィルタリングである
ことを特徴とする請求項４記載の端末装置。
【請求項６】
前記所定のフィールドにマップされる情報ビットによって、前記ＤＣＩフォーマットが検出されたサブフレームよりも前で、かつ、最近の１つのＤＳ  ｏｃｃａｓｉｏｎにおいて前記検出信号が送信されたか否かが示される
ことを特徴とする請求項１記載の端末装置。
【請求項７】
前記所定のフィールドを伴うＤＣＩフォーマットは、前記あるＤＳ  ｏｃｃａｓｉｏｎから所定のサブフレーム後に送信されると想定して検出を試みる、
ことを特徴とする請求項１記載の端末装置。
【請求項８】
前記所定のフィールドを伴うＤＣＩフォーマットは、ＤＳ  ｏｃｃａｓｉｏｎに関連する設定がされた場合にのみ検出を試みる、
ことを特徴とする請求項１記載の端末装置。
【請求項９】
前記第１の周波数はアンライセンスバンドである
ことを特徴とする請求項１記載の端末装置。
【請求項１０】
端末装置における方法であって、
測定対象に関する設定に基づいて、測定対象（Measurement objects）が設定されるス
テップと、
前記測定対象に基づいて、第１の周波数のための測定を行うステップと、
ＤＣＩフォーマットの検出を試みるステップと、を備え、
前記測定対象に関する設定は、少なくとも前記第１の周波数における測定に用いられる検出信号測定設定（measDS-Config）を含み、
前記測定は、前記第１の周波数のための前記検出信号測定設定に従って検出信号（Discovery Signal）に基づく測定を行い、
検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値を上位層で用いない
ことを特徴とする方法。
【請求項１１】
前記上位層で用いないとは、前記物理層が取得した測定値に基づく測定値を上位層に提供しないことである
ことを特徴とする請求項１０記載の方法。
【請求項１２】
前記上位層で用いないとは、前記物理層の測定値に基づく測定値に対してリポート基準の評価が行われないことである
ことを特徴とする請求項１０記載の方法。
【請求項１３】
前記上位層で用いないとは、前記物理層の測定値に基づく測定値に対して所定のフィルタリングが適用されることである
ことを特徴とする請求項１０記載の方法。
【請求項１４】
前記所定のフィルタリングとは物理層からの最新受信測定結果に基づかず、かつ、以前にフィルターされた測定結果に基づくフィルタリングである
ことを特徴とする請求項１３記載の方法。
【請求項１５】
前記所定のフィールドにマップされる情報ビットによって、前記ＤＣＩフォーマットが検出されたサブフレームよりも前で、かつ、最近の１つのＤＳ  ｏｃｃａｓｉｏｎにおいて前記検出信号が送信されたか否かが示される
ことを特徴とする請求項１０記載の方法。
【請求項１６】
前記所定のフィールドを伴うＤＣＩフォーマットは、前記あるＤＳ  ｏｃｃａｓｉｏｎから所定のサブフレーム後に送信されると想定して検出を試みる、
ことを特徴とする請求項１０記載の方法。
【請求項１７】
前記所定のフィールドを伴うＤＣＩフォーマットは、ＤＳ  ｏｃｃａｓｉｏｎに関連する設定がされた場合にのみ検出を試みる、
ことを特徴とする請求項１０記載の方法。
【請求項１８】
前記第１の周波数はアンライセンスバンドである
ことを特徴とする請求項１０記載の方法。
【請求項１９】
基地局装置であって、
測定対象（Measurement objects）の設定に関する上位層パラメータを送信する上位層
パラメータ送信部と、
前記測定対象に基づく、第１の周波数のための測定の報告を受信する受信部と、
ＤＣＩフォーマットを送信する送信部と、を備え、
前記測定対象に関する設定は、少なくとも前記第１の周波数における測定に用いられる検出信号測定設定（measDS-Config）を含み、
前記受信部は、前記第１の周波数のための前記検出信号測定設定に従う検出信号（Discovery Signal）に基づく測定の報告を受信し、
検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値に関連する測定の報告の受信を期待しない
ことを特徴とする基地局装置。
【請求項２０】
基地局装置における方法であって、
測定対象（Measurement objects）の設定に関する上位層パラメータを送信する送信ス
テップと、
前記測定対象に基づく、第１の周波数のための測定の報告を受信する受信ステップと、
ＤＣＩフォーマットを送信する送信ステップと、を備え、
前記測定対象に関する設定は、少なくとも前記第１の周波数における測定に用いられる検出信号測定設定（measDS-Config）を含み、
前記受信ステップは、前記第１の周波数のための前記検出信号測定設定に従う検出信号（Discovery Signal）に基づく測定の報告を受信し、
検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値に関連する測定の報告の受信を期待しない
ことを特徴とする方法。
【発明の詳細な説明】
【技術分野】
【０００１】
本発明の実施形態は、効率的な通信を実現する端末装置、基地局装置、および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼
称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。
【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いら
れる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネ
ントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）
でも用いられる。
【０００６】
また、無線通信における遅延（レイテンシー）は、安全・安心を目的としたシステムにおいて重要な要素の１つである。ＬＡＡを用いるＬＴＥおよび従来の割り当て周波数帯域を用いるＬＴＥも含むＬＴＥにおいても、その遅延をさらに削減することが重要となる。
【０００７】
また、端末装置は基地局から送信される参照信号（ＣＲＳ、ＣＳＩ−ＲＳ、ＤＳなど）に基づいてＲＳＲＰ、ＲＳＲＱ等の測定を行う。そして、ＬＡＡセルにおいて、参照信号が下りリンクのＬＢＴに基づいて送信される場合がある。つまり、ＬＡＡセルにおいて、端末装置において参照信号が送信されていると想定している時間／周波数であっても、下
りリンクのＬＢＴに基づいてチャネルがビジーであった場合には、実際に参照信号が送信されない場合がある。
【先行技術文献】
【非特許文献】
【０００８】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】RP-141664, Ericsson, Qualcomm, Huawei, Alcatel-Lucent, “Study on Licensed-Assisted Access using LTE,” 3GPP TSG RAN Meeting #65, September 2014.
【発明の概要】
【発明が解決しようとする課題】
【０００９】
ＬＡＡセルにおいて、端末装置において参照信号が送信されていると想定している時間／周波数であっても、下りリンクのＬＢＴに基づいてチャネルがビジーであった場合には、実際に参照信号が送信されない場合がある。すなわち、端末装置は、ＬＡＡセルにおいて送信される参照信号（ＣＲＳ、ＣＳＩ−ＲＳ、ＤＳなど）に基づいて正確なＲＳＲＰ、ＲＳＲＱ等の測定を行うことができない。従って、基地局装置においても端末装置における正確な受信測定結果が得られない（フィードバックされない）ため、効率的な通信を行うことができない。
【００１０】
本発明は上記の点に鑑みてなされたものであり、その目的は、ＬＡＡセルにおいて正確なＲＳＲＰ、ＲＳＲＱ等の測定を行うことができる端末装置、基地局装置、および通信方法を提供することである。
【課題を解決するための手段】
【００１１】
（１）上記の目的を達成するために、本発明は、以下のような手段を講じた。すなわち、本発明の一様態による端末装置は、基地局装置と通信する端末装置であって、測定対象に関する設定に基づいて、測定対象（Measurement objects）が設定される上位層処理部
と、前記測定対象に基づいて、第１の周波数のための測定を行う測定部と、ＤＣＩフォーマットの検出を試みる検出部と、を備え、前記測定対象に関する設定は、少なくとも前記第１の周波数における測定に用いられる検出信号測定設定（measDS-Config）を含み、前
記測定部は、前記第１の周波数のための前記検出信号測定設定に従って検出信号（Discovery Signal）に基づく測定を行い、検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値を上位層で用いないことを特徴とする端末装置である。
【００１２】
（２）また、本発明の一様態による端末装置は上述の端末装置であって、前記上位層で用いないとは、前記物理層が取得した測定値に基づく測定値を上位層に提供しないことであることを特徴とする。
【００１３】
（３）また、本発明の一様態による端末装置は上述の端末装置であって、前記上位層で用いないとは、前記物理層の測定値に基づく測定値に対してリポート基準の評価が行われないことであることを特徴とする。
【００１４】
（４）また、本発明の一様態による端末装置は上述の端末装置であって、前記上位層で用いないとは、前記物理層の測定値に基づく測定値に対して所定のフィルタリングが適用されることであることを特徴とする。
【００１５】
（５）また、本発明の一様態による端末装置は上述の端末装置であって、前記所定のフィルタリングとは物理層からの最新受信測定結果に基づかず、かつ、以前にフィルターされた測定結果に基づくフィルタリングであることを特徴とする。
【００１６】
（６）また、本発明の一様態による端末装置は上述の端末装置であって、前記所定のフィールドにマップされる情報ビットによって、前記ＤＣＩフォーマットが検出されたサブフレームよりも前で、かつ、最近の１つのＤＳ  ｏｃｃａｓｉｏｎにおいて前記検出信号が送信されたか否かが示されることを特徴とする。
【００１７】
（７）また、本発明の一様態による端末装置は上述の端末装置であって、前記所定のフィールドを伴うＤＣＩフォーマットは、前記あるＤＳ  ｏｃｃａｓｉｏｎから所定のサブフレーム後に送信されると想定して検出を試みる、ことを特徴とする。
【００１８】
（８）また、本発明の一様態による端末装置は上述の端末装置であって、前記所定のフィールドを伴うＤＣＩフォーマットは、ＤＳ  ｏｃｃａｓｉｏｎに関連する設定がされた場合にのみ検出を試みる、ことを特徴とする。
【００１９】
（９）また、本発明の一様態による端末装置は上述の端末装置であって、前記第１の周波数はアンライセンスバンドであることを特徴とする。
【発明の効果】
【００２０】
この発明によれば、基地局装置と端末装置が通信する無線通信システムにおいて、伝送効率を向上させることができる。
【図面の簡単な説明】
【００２１】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である
【図４】本実施形態に係る端末装置１のブロック構成の一例を示す概略図である。
【図５】本実施形態に係るＬＡＡセルにおける通信手順の一例を示す図である。
【図６】本実施形態に係るＬＡＡセルにおける通信手順の一例を示す図である。
【図７】本実施形態に係るＬＡＡセルにおける通信手順の一例を示す図である。
【図８】１つのＲＢペアにおけるＥＲＥＧ構成の一例を示す。
【図９】第１の部分サブフレームに用いられる第２のＥＰＤＣＣＨに関連付けられるＤＭＲＳの構成の一例を示す図である。
【図１０】第２の部分サブフレームに用いられる第２のＥＰＤＣＣＨに関連付けられるＤＭＲＳの構成の一例を示す図である。
【図１１】本実施形態に係る測定のモデルの一例を示す図である。
【図１２】本実施形態に係るDSが実際に送信されたか否かを示すことに関連する情報を通知する方法の一例を示す図である。
【発明を実施するための形態】
【００２２】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００２３】
なお、本実施形態の説明において、下りリンクに関する説明は、ノーマルセルにおける下りリンクおよびＬＡＡセルにおける下りリンクを含む。例えば、下りリンクサブフレー
ムに関する説明は、ノーマルセルにおける下りリンクサブフレーム、ＬＡＡセルにおけるフルサブフレームおよびＬＡＡセルにおける部分サブフレームを含む。
【００２４】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２５】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２６】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２７】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  
ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２８】
なお、ここでは図示していないが、下りリンクサブフレームには、検出信号（ＤＳ：Ｄｉｓｃｏｖｅｒｙ  Ｓｉｇｎａｌ）が配置されてもよい。端末は、ＲＲＣシグナリングを通じて設定されるパラメータに基づいて、ＤＭＴＣ（Discovery signals measurement timing configuration）がセットアップ（設定）される。ＤＭＴＣ  Ｏｃｃａｓｉｏｎは６ミリ秒であり、連続する６サブフレームで構成される。また、その端末は、ＤＭＴＣ  Ｏｃｃａｓｉｏｎの外のサブフレームにＤＳが送信されないと想定する。
【００２９】
なお、検出信号（ＤＳ：Ｄｉｓｃｏｖｅｒｙ  Ｓｉｇｎａｌ）は、ＤＲＳ（Ｄｉｓｃｏｖｅｒｙ  Ｒｅｆｅｒｅｎｃｅ  Ｓｉｇｎａｌ）と呼称されてもよいし、Ｉｎｉｔｉａｌ
Ｓｉｇｎａｌと呼称されてもよいし、予約信号（Ｒｅｓｅｒｖａｔｉｏｎ  Ｓｉｇｎａｌ）と呼称されてもよい。
【００３０】
なお、検出信号（ＤＳ：Ｄｉｓｃｏｖｅｒｙ  Ｓｉｇｎａｌ）は、Ｉｎｉｔｉａｌ  Ｓｉｇｎａｌに含まれてもよいし、予約信号（Ｒｅｓｅｒｖａｔｉｏｎ  Ｓｉｇｎａｌ）に含まれてもよい。なお、Ｉｎｉｔｉａｌ  Ｓｉｇｎａｌ、および／または、予約信号（Ｒｅｓｅｒｖａｔｉｏｎ  Ｓｉｇｎａｌ）はＬＡＡセルで送信されることが好ましい。
【００３１】
あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type
1）において１から５であり、ＴＤＤ（Frame structure type 2）において２から５である。その所定数は、ＲＲＣのシグナリングによって設定される。また、ＤＳ期間またはその設定は、ＤＭＴＣ（Discovery signals measurement timing configuration）とも呼称される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＳのシグナリングによって設定される。
【００３２】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００３３】
ＤＳは、下りリンクの時間領域の同期（time synchronization）、下りリンクの周波数の同期（frequency synchronization）、セル／送信ポイントの特定（cell/transmission
point identification）、ＲＳＲＰの測定（RSRP measurement）、ＲＳＲＱの測定（RSR
Q measurement）、ＲＳＳＩ測定（RSSI measurement）、端末装置１の地理的な位置の測
定（UE Positioning）、ＣＳＩの測定（CSI measurement）など様々な用途を目的として
、基地局装置から送信される。ＤＳは、基地局装置のON状態およびOFF状態（セルのアク
ティベーション状態およびデアクティベーション状態）をサポートするために用いられる信号とすることができる。ＤＳは、端末装置がON状態および／またはOFF状態の基地局装
置（アクティベーション状態および／またはデアクティベーション状態のセル）を検出するために用いられる信号とすることができる。なお、ＲＳＲＰの測定（RSRP measurement）、ＲＳＲＱの測定（RSRQ measurement）、ＲＳＳＩ測定（RSSI measurement）に関連する測定をＲＲＭ測定（Radio Resource Management measurement）と呼称してもよい。
【００３４】
一例として、ＤＳは、ＰＳＳ、ＳＳＳおよびＣＲＳにより構成される。ＤＳに含まれるＰＳＳおよびＳＳＳは、時間同期、周波数同期、セルの特定および送信ポイントの特定のために用いられるかもしれない。ＤＳに含まれるＣＲＳは、ＲＳＲＰの測定、ＲＳＲＱの測定およびＣＳＩの測定のために用いられるかもしれない。別の一例として、ＤＳは、ＰＳＳ、ＳＳＳおよびＣＳＩ−ＲＳにより構成される。ＤＳに含まれるＰＳＳおよびＳＳＳは、時間同期、周波数同期、セルの特定および送信ポイントの特定のために用いられるかもしれない。ＤＳに含まれるＣＳＩ−ＲＳは、送信ポイントの特定、ＲＳＲＰの測定、ＲＳＲＱの測定およびＣＳＩの測定のために用いられるかもしれない。なお、複数の信号により構成されるＤＳは検出バースト（Discovery burst）と呼称されてもよい。なお、Ｒ
ＳＲＰの測定および／またはＲＳＲＱの測定を行なう参照信号がＤＳと呼称されてもよい。
【００３５】
端末は、設定されたＤＳに基づいて、測定を行う。ＤＳは、目的に応じて、それぞれの構成の信号（無線リソース）が、使い分けられてもよい。例えば、時間領域や周波数領域の同期と、セル識別、ＲＳＲＰ／ＲＳＲＱ／ＲＳＳＩ測定（ＲＲＭ測定）に用いられる信号は、異なる構成の信号を用いて、行なわれてもよい。つまり、端末装置１は、第１の信号（第１のＤＳ）を用いて、時間領域や周波数領域の同期を行ない、第２の信号（第２のＤＳ）を用いて、セル識別を行ない、第３の信号（第３のＤＳ）を用いて、ＲＳＲＰ／ＲＳＲＱ測定を行なってもよい。また、第１の信号および第２の信号を用いて、時間領域や周波数領域の同期およびセル識別を行ない、第３の信号を用いて、ＲＳＲＰ／ＲＳＲＱ／ＲＳＳＩ測定（ＲＲＭ測定）を行なってもよい。
【００３６】
なお、ＬＢＴが必要なセル（例えばＬＡＡセル）等におけるＤＳはＬＢＴに基づいて送信されることが好ましい。すなわち、ある基地局または端末がある周波数（コンポーネントキャリア、セル）を用いてＤＳを送信する前に、その周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングでＤＳを送信することができる。ＬＢＴに基づいて、その周波数がビジー状態であると識別した場合、そのＬＡＡセルはその周波数における所定のタイミングではＤＳを送信しない。
【００３７】
なお、ＤＳがＬＢＴに基づいて送信され、かつ、端末装置がＤＭＴＣ  ｏｃｃａｓｉｏｎの内のサブフレームにおけるＤＳ送信を考慮している場合は、ＤＭＴＣ  ｏｃｃａｓｉｏｎの内のサブフレームにおいてＤＳ送信が行われることが好ましい。すなわち、基地局装置はＤＭＴＣ  ｏｃｃａｓｉｏｎの内のサブフレームにおいてＤＳ送信が可能となるようにＬＢＴを行うことが好ましい。
【００３８】
なお、ＬＢＴに基づかないＤＳ送信をＴｙｐｅ１  ＤＳ送信、ＬＢＴに基づくＤＳ送信
をＴｙｐｅ２  ＤＳ送信と称してもよい。なお、ＬＢＴに基づかないＤＳ送信を第１のＤＳ送信、ＬＢＴに基づくＤＳ送信を第２のＤＳ送信と称してもよい。
【００３９】
ＬＡＡセルにおけるＤＳおよびＤＭＴＣは、ＦＤＤにおけるＤＳおよびＤＭＴＣと同じとすることができる。例えば、ＬＡＡセルにおいて、ＤＳ期間は、ＦＤＤと同様に１から５のいずれかであり、そのＤＳ期間の最初のサブフレーム内にＰＳＳが存在する。なお、ＬＡＡセルにおけるＤＳは、ノーマルセルにおけるＤＳと異なって構成されてもよい。例えば、ＬＡＡセルにおけるＤＳは、ＣＲＳを含まない。また、ＬＡＡセルにおけるＤＳは、周波数方向にシフトできるＰＳＳおよびＳＳＳを含む。
【００４０】
また、ＬＡＡセルにおいて、制御情報を含む制御信号および／または制御チャネルが、ＤＳ  Ｏｃｃａｓｉｏｎ内のサブフレームまたはＤＭＴＣ  Ｏｃｃａｓｉｏｎ内のサブフレームで送信できる。その制御情報は、ＬＡＡセルに関する情報を含むことができる。例えば、その制御情報は、そのＬＡＡセルにおける周波数、負荷、混雑度、干渉、送信電力、チャネルの専有時間、および／または送信データに関するバッファの状況に関する情報である。
【００４１】
また、その制御信号および／または制御チャネルは、ＤＳ  Ｏｃｃａｓｉｏｎ内のＤＭＲＳで復調または検出することができる。すなわち、その制御信号および／または制御チャネルは、ＤＳ  Ｏｃｃａｓｉｏｎ内のＤＭＲＳの送信に用いられるアンテナポートで送信される。具体的には、ＤＳ  Ｏｃｃａｓｉｏｎ内のＤＭＲＳは、その制御信号および／または制御チャネルに関連付けられるＤＭＲＳ（復調参照信号）であり、ＰＤＳＣＨまたはＥＰＤＣＣＨに関連付けられるＤＭＲＳと同様に構成できる。
【００４２】
また、その制御信号および／または制御チャネルに関連付けられるＤＭＲＳに用いられるスクランブル系列は、ＰＤＳＣＨまたはＥＰＤＣＣＨに関連付けられるＤＭＲＳに用いられるスクランブル系列とは異なって生成されるようにしてもよい。ここで、ＤＭＲＳに用いられるスクランブル系列は、スロット番号（サブフレーム番号）、第１のパラメータおよび第２のパラメータに基づいて算出される値を初期値として生成される。例えば、ＰＤＳＣＨに関連付けられるＤＭＲＳに用いられるスクランブル系列において、第１のパラメータはセル識別子（セルＩＤ）または上位レイヤによって設定される値であり、第２のパラメータはＤＣＩによって与えられる０または１である。また、第２のパラメータはＤＣＩによって与えられない場合、０に固定される。ＥＰＤＣＣＨに関連付けられるＤＭＲＳに用いられるスクランブル系列において、第１のパラメータはＥＰＤＣＣＨセット毎に上位レイヤによって設定される値であり、第２のパラメータは２に固定される。
【００４３】
その制御信号および／または制御チャネルに関連付けられるＤＭＲＳに用いられるスクランブル系列において、第１のパラメータは上位レイヤによって設定される値であり、そのＬＡＡセルのセル識別子、または、ＤＳ  Ｏｃｃａｓｉｏｎ内の非ゼロ電力ＣＳＩ−ＲＳに対応するセル識別子である。その制御信号および／または制御チャネルに関連付けられるＤＭＲＳに用いられるスクランブル系列において、第２のパラメータは所定の値に固定される値、または上位レイヤによって設定される値である。第２のパラメータが所定の値に固定される場合、ＰＤＳＣＨまたはＥＰＤＣＣＨに関連付けられるＤＭＲＳに用いられるスクランブル系列で用いられる第２のパラメータと同様に０、１または２のいずれかの値、または、ＰＤＳＣＨまたはＥＰＤＣＣＨに関連付けられるＤＭＲＳに用いられるスクランブル系列で用いられる第２のパラメータと異なる値（例えば、３）である。第２のパラメータが上位レイヤによって設定される場合、第２のパラメータは任意の値を設定でき、例えばオペレータに固有の値を設定できる。
【００４４】
また、その制御信号および／または制御チャネルは、ＤＳ  Ｏｃｃａｓｉｏｎ内のＣＲ
Ｓで復調または検出することができる。すなわち、その制御信号および／または制御チャネルは、ＤＳ  Ｏｃｃａｓｉｏｎ内のＣＲＳの送信に用いられるアンテナポートで送信される。なお、ＤＳ  Ｏｃｃａｓｉｏｎ内のＣＲＳに用いられるスクランブル系列は、その制御信号および／または制御チャネルに関連付けられるＤＭＲＳに用いられるスクランブル系列で説明した第１のパラメータおよび／または第２のパラメータに基づいて生成できる。
【００４５】
次に、物理層の測定の詳細について説明する。端末装置は、上位層に報告する物理層の測定を行なう。物理層の測定には、ＲＳＲＰ（Reference Signal Received Power）、Ｒ
ＳＳＩ（Received Signal Strength Indicator）、ＲＳＲＱ（Reference Signal Received Quality）などがある。なお、ＲＳＲＰの測定（RSRP measurement）、ＲＳＲＱの測定
（RSRQ measurement）、ＲＳＳＩ測定（RSSI measurement）に関連する測定をＲＲＭ測定（Radio Resource Management measurement）と呼称してもよい。
【００４６】
次に、ＲＳＲＰの詳細について説明する。ＲＳＲＰは参照信号の受信電力として定義される。ＲＳＲＱは、参照信号の受信品質として定義される。
【００４７】
ＲＳＲＰの一例について説明する。
【００４８】
ＲＳＲＰは、考慮される測定周波数帯域幅の中に含まれるＣＲＳが送信されるリソースエレメントの電力を線形平均した値として定義される。ＲＳＲＰの決定において、アンテナポート０のＣＲＳがマッピングされるリソースエレメントが用いられる。端末装置がアンテナポート１のＣＲＳを検出可能であれば、ＲＳＲＰの決定のためにアンテナポート０のＣＲＳがマッピングされるリソースエレメント（アンテナポート０に割り当てられたリソースエレメントにマッピングされた無線リソース）に加えてアンテナポート１のＣＲＳがマッピングされるリソースエレメント（アンテナポート１に割り当てられたリソースエレメントにマッピングされた無線リソース）も用いることができる。以下、アンテナポート０のＣＲＳがマッピングされるリソースエレメントを用いて計算されたＲＳＲＰをＣＲＳベースＲＳＲＰまたは第１のＲＳＲＰと称する。
【００４９】
上位層（higher layers）がＤＳに基づく測定を示している場合は、端末装置は設定さ
れたＤＳ  Ｏｃｃａｓｉｏｎ内のサブフレームでＲＳＲＰを測定しなければならない。端末装置が他のサブフレームにおけるＣＲＳの存在を検出可能であれば、端末装置はＲＳＲＰを決定するために更にそれらのサブフレームを使用するかもしれない。すなわち、端末装置は設定されたＤＳ  Ｏｃｃａｓｉｏｎ内のサブフレームにおけるＣＲＳに基づいてＲＳＲＰを測定する。更に、端末装置は設定されたＤＳ  Ｏｃｃａｓｉｏｎ外のサブフレームにおけるＣＲＳを検出可能であれば、ＤＳ  Ｏｃｃａｓｉｏｎ内のサブフレームにおけるＣＲＳとＤＳ  Ｏｃｃａｓｉｏｎ外のサブフレームにおけるＣＲＳに基づいてＲＳＲＰを測定してもよい。
【００５０】
ＲＳＲＰのための参照ポイントは、端末装置のためのアンテナコネクタでなければならない。端末装置によって受信ダイバーシチが使用されている場合、報告される値は個々のダイバーシチブランチの何れに対応するＲＳＲＰよりも低くてはならない。すなわち、端末装置によって受信ダイバーシチが使用されている場合、報告される値は個々のダイバーシチブランチの何れに対応するＲＳＲＰよりも高くなければならない。
【００５１】
端末装置は、ＲＲＣアイドル（ＲＲＣ＿ＩＤＬＥ）状態でイントラ周波数のセルおよび／またはインター周波数のセルのＲＳＲＰを測定する。ここで、ＲＲＣアイドル状態のイントラ周波数のセルとは、端末装置がブロードキャストによってシステム情報が受信されたセルと同じ周波数帯域のセルである。ここで、ＲＲＣアイドル状態のインター周波数の
セルとは、端末装置がブロードキャストによってシステム情報が受信されたセルと異なる周波数帯域のセルである。
【００５２】
端末装置は、ＲＲＣ接続（ＲＲＣ＿ＣＯＮＮＥＣＴＥＤ）状態でイントラ周波数のセルおよび／またはインター周波数のセルのＲＳＲＰを測定する。ここで、ＲＲＣ接続状態のイントラ周波数のセルとは、端末装置がＲＲＣシグナリングまたはブロードキャストによってシステム情報が受信されたセルと同じ周波数帯域のセルである。ここで、ＲＲＣ接続状態のインター周波数のセルとは、端末装置がＲＲＣシグナリングまたはブロードキャストによってシステム情報が受信されたセルと異なる周波数帯域のセルである。
【００５３】
なお、考慮される測定周波数帯域幅の中、かつ、端末装置によってＲＳＲＰを決定するために用いられる測定周期の中のリソースエレメントの数は、制限を伴う端末装置の実装に委ねられる。なお、該制限は対応する測定精度の要件を満たす必要がある。
【００５４】
なお、リソースエレメント毎のパワー（電力）は、ＣＰを含まないシンボルの有用な部分の間に受信された電力から決定される。
【００５５】
以下では、ＲＳＲＱの詳細について説明する。ＲＳＲＱは、ＲＳＲＰとＲＳＳＩの比で定義され、通信品質の指標である測定対象セルの信号対干渉雑音比（ＳＩＮＲ）と同等の目的で用いられる。ＲＳＲＱにおける、ＲＳＲＰとＲＳＳＩの組み合わせは以下の限りではないが、本実施形態において、ＲＳＲＱにおける、ＲＳＲＰとＲＳＳＩの好ましい組み合わせについて記載する。
【００５６】
ＲＳＲＱの一例について説明する。
【００５７】
ＲＳＲＱは、Ｎ×ＲＳＲＰ／ＲＳＳＩの式で計算される比として定義される。ここで、Ｎは、ＲＳＳＩの測定帯域幅に相当するリソースブロック数であり、ＲＳＲＱの分子と分母は、同じリソースブロックのセットで構成される。ここで、ＲＳＲＰは、第１のＲＳＲＰである。以下、第１のＲＳＲＰを用いて計算されたＲＳＲＱを用いて計算されたＲＳＲＱをＣＲＳベースＲＳＲＱまたは第１のＲＳＲＱと呼称する。
【００５８】
ＲＳＳＩ（Ｅ−ＵＴＲＡ  ｃａｒｒｉｅｒ  ＲＳＳＩ）は、測定サブフレームのある（いくらかの）ＯＦＤＭシンボルのみから観測される総受信電力を線形平均した値で構成される。言い換えると、ＲＳＳＩは、アンテナポート０に対する参照信号を含んでいるＯＦＤＭシンボルのみを観測した総受信電力を線形平均した値で構成される。言い換えると、ＲＳＳＩは、アンテナポート０のＣＲＳ（アンテナポート０にマップされた無線リソース）を含んでいるＯＦＤＭシンボルのみを観測した総受信電力を線形平均した値で構成する。ＲＳＳＩは、リソースブロック数Ｎの帯域幅で観測される。ＲＳＳＩの総受信電力は、同一チャネルのサービングセルや非サービングセルからの電力、隣接チャネルからの干渉電力、熱雑音電力、などを含む。
【００５９】
上位層から他を示された場合を除いて、ＲＳＳＩは、測定サブフレームのアンテナポート０に対する参照信号を含んでいるＯＦＤＭシンボルのみから測定される。上位層からＲＳＲＱ測定を行うための全てのＯＦＤＭシンボルが示された場合、ＲＳＳＩは、測定サブフレームのダウンリンク部分の全てのＯＦＤＭシンボルから測定される。上位層からＲＳＲＱ測定を行うためのある（いくらかの）サブフレームが示された場合、ＲＳＳＩは、示されたサブフレームのダウンリンク部分の全てのＯＦＤＭシンボルから測定される。
【００６０】
上位層がＤＳに基づく測定を示した場合、ＲＳＳＩは、設定されたＤＳ  Ｏｃｃａｓｉｏｎ内のサブフレームのダウンリンク部分の全てのＯＦＤＭシンボルから測定される。
【００６１】
ＲＳＲＱのための参照ポイントは、端末装置のためのアンテナコネクタでなければならない。端末装置によって受信ダイバーシチが使用されている場合、報告される値は個々のダイバーシチブランチの何れに対応するＲＳＲＱよりも低くてはならない。すなわち、端末装置によって受信ダイバーシチが使用されている場合、報告される値は個々のダイバーシチブランチの何れに対応するＲＳＲＱよりも高くなければならない。
【００６２】
端末装置は、ＲＲＣアイドル状態でイントラ周波数のセルおよび／またはインター周波数のセルのＲＳＲＱを測定する。端末装置は、ＲＲＣ接続状態でイントラ周波数のセルおよび／またはインター周波数のセルのＲＳＲＱを測定する。
【００６３】
ＲＳＲＰの一例について説明する。
【００６４】
ＲＳＲＰは、設定されたＤＳ  Ｏｃｃａｓｉｏｎ内のサブフレームにおいて考慮される測定周波数帯域幅の中に含まれるＤＳ測定のために設定されたＣＳＩ−ＲＳが送信されるリソースエレメントの電力を線形平均した値として定義される。ＲＳＲＰの決定において、アンテナポート１５のＣＳＩ−ＲＳがマッピングされるリソースエレメント（アンテナポート１５に割り当てられたリソースエレメントにマッピングされた無線リソース）が用いられる。以下、アンテナポート１５のＣＳＩ−ＲＳがマッピングされるリソースエレメントを用いて計算されたＲＳＲＰをＣＳＩ−ＲＳＲＰ（ＣＳＩ  Ｒｅｆｅｒｅｎｃｅ  Ｓｉｇｎａｌ  Ｒｅｃｅｉｖｅｄ  Ｐｏｗｅｒ）またはＣＳＩ−ＲＳベースＲＳＲＰまたは第２のＲＳＲＰと称する。
【００６５】
なお、ＲＳＲＰはＣＳＩ−ＲＳＲＰに換言されてもよいし、ＣＳＩ−ＲＳＲＰはＲＳＲＰに換言されてもよい。
【００６６】
ＣＳＩ−ＲＳＲＰのための参照ポイントは、端末装置のためのアンテナコネクタでなければならない。端末装置によって受信ダイバーシチが使用されている場合、報告される値は個々のダイバーシチブランチの何れに対応するＣＳＩ−ＲＳＲＰよりも低くてはならない。すなわち、端末装置によって受信ダイバーシチが使用されている場合、報告される値は個々のダイバーシチブランチの何れに対応するＣＳＩ−ＲＳＲＰよりも高くなければならない。
【００６７】
端末装置は、受信したマスターインフォメーションブロック（ＭＩＢ）またはシステムインフォメーションブロック（ＳＩＢ）に基づいて、ＲＲＣアイドル状態でイントラ周波数のセルおよび／またはインター周波数のセルのＣＳＩ−ＲＳＲＰを測定してもよい。端末装置は、ＲＲＣ接続状態でイントラ周波数のセルおよび／またはインター周波数のセルのＣＳＩ−ＲＳＲＰを測定する。
【００６８】
なお、考慮される測定周波数帯域幅の中、かつ、端末装置によってＣＳＩ−ＲＳＲＰを決定するために用いられる測定周期の中のリソースエレメントの数は、制限を伴う端末装置の実装に委ねられる。なお、該制限は対応する測定精度の要件を満たす必要がある。
【００６９】
なお、リソースエレメント毎のパワー（電力）は、ＣＰを含まないシンボルの有用な部分の間に受信された電力から決定される。
【００７０】
ＤＳの測定帯域幅は、上位層シグナリングを用いて、設定されてもよい。
【００７１】
なお、下りリンクサブフレームには、検出信号（ＤＳ：Ｄｉｓｃｏｖｅｒｙ  Ｓｉｇｎａｌ）が配置されてもよい。あるセルにおいて、ＤＳ（ＤＳ  Ｏｃｃａｓｉｏｎ）は、連
続する所定数のサブフレームの時間期間（ＤＳ期間）で構成される。その所定数は、ＦＤＤ（Frame structure type 1）において１から５であり、ＴＤＤ（Frame structure type
2）において２から５である。その所定数は、ＲＲＣのシグナリングによって設定される。また、端末装置はＤＳ期間を測定する区間が設定される。ＤＳ期間を測定する区間の設定を、ＤＭＴＣ（Discovery signals measurement timing configuration）とも呼称される。端末装置がＤＳ期間を測定する区間（ＤＭＴＣ区間、ＤＭＴＣ  Ｏｃｃａｓｉｏｎ）は、６ｍｓ（６サブフレーム）の区間で設定される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＣのシグナリングによって設定される。
【００７２】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００７３】
ＬＢＴに基づいてＤＳが送信されるセルにおいて、端末装置は設定されたＤＳ  Ｏｃｃａｓｉｏｎ内のサブフレームにおいて考慮される測定周波数帯域幅の中に含まれるＤＳ測定のために設定されたＣＳＩ−ＲＳおよび／またはＣＲＳおよび／またはＰＳＳおよび／またはＳＳＳおよび／または第２のＳＳＳ（従来のＳＳＳとは異なる時間および／または周波数を用いて送信される同期信号）に基づいて、ＲＳＲＰおよび／またはＲＳＲＱおよび／またはＲＳＳＩおよび／またはＣＳＩ−ＲＳＲＰおよび／またはＣＳＩ−ＲＳＲＱおよび／またはＣＳＩ−ＲＳＳＩが測定されることが好ましい。更に、測定されたＲＳＲＰおよび／またはＲＳＲＱおよび／またはＲＳＳＩおよび／またはＣＳＩ−ＲＳＲＰおよび／またはＣＳＩ−ＲＳＲＱおよび／またはＣＳＩ−ＲＳＳＩなどに対して、リポート基準の評価が行われる。そして、リポート基準の評価で測定値の報告が必要だと判断された後、端末装置は、測定報告情報（測定報告メッセージ）を無線インターフェースによって送る。なお、リポート基準の設定はＲＲＣシグナリングによって提供される。
【００７４】
なお、ＬＢＴが必要なセル（例えばＬＡＡセル）等におけるＤＳはＬＢＴに基づいて送信されることが好ましい。端末装置が物理層においてＤＳに基づいた測定（ＤＳに基づくＲＳＲＰ測定、ＤＳに基づくＲＳＲＱ測定、ＤＳに基づくＲＳＳＩ測定、など）を行っているとき、端末装置においてＤＳが送信されていると考慮されているサブフレームにおいてＬＢＴに基づいてＤＳが送信されない場合がある。すなわち、端末装置においてＤＳが送信されていると考慮されているサブフレームで実際はＤＳが送信されていない場合があり得る。なお、端末装置においてＤＳが送信されていると考慮されているサブフレームは、ＤＭＴＣ  ｏｃｃａｓｉｏｎの内のサブフレームであることが好ましい。
【００７５】
ＬＢＴに基づいてＤＳが送信されるセルにおいて、端末装置が物理層においてＤＳに基づいた測定（ＤＳに基づくＲＳＲＰ測定、ＤＳに基づくＲＳＲＱ測定、ＤＳに基づくＲＳＳＩ測定、など）を行っているとき、端末装置においてＤＳが送信されていると考慮されているサブフレームにおいて実際に送信されたＤＳに基づく測定結果と端末装置においてＤＳが送信されていると考慮されているサブフレームにおいて実際に送信されなかったＤＳに基づく測定結果を平均すると端末装置は正しい測定を行うことができない。すなわち
、端末装置は実際に送信されたＤＳに基づく測定を行うことができない。すなわち、端末装置は、実際に送信されたＤＳのみに基づくＲＳＲＰ測定、実際に送信されたＤＳのみに基づくＲＳＲＱ測定、実際に送信されたＤＳのみに基づくＲＳＳＩ測定を行うことができない。
【００７６】
なお、ＬＢＴに基づいてＤＳが送信されるセルにおいて、ＬＢＴに基づいて実際にＤＳが送信されたか否かは、端末装置に通知されてもよい。例えば、ＬＢＴに基づいて実際にＤＳが送信されたことを、端末装置に明示的に通知されてもよい。例えば、ＬＢＴに基づいて実際にＤＳが送信されなかったことを、端末装置に明示的に通知されてもよい。なお、ＬＢＴに基づいて実際にＤＳが送信されたことおよび／または送信されなかったことに通知は、ライセンスドセル（ＬＡＡセルではないセル）を用いて行われることが好ましい。なお、ＬＢＴに基づいて実際にＤＳが送信されたことおよび／または送信されなかったことに通知は、該ＤＳ送信に関連するＬＡＡセルとは異なるセルを用いて行われることが好ましい。なお、ＬＢＴに基づいて実際にＤＳが送信されたことおよび／または送信されなかったことに通知は、該ＤＳ送信に関連するＬＡＡセルを用いて行われることが好ましい。なお、ＬＢＴに基づいて実際にＤＳが送信されたことおよび／または送信されなかったことに通知は、物理層における信号を用いて行われることが好ましい。なお、ＬＢＴに基づいて実際にＤＳが送信されたことおよび／または送信されなかったことの通知は、ＤＭＴＣ  ｏｃｃａｓｉｏｎの外のサブフレームを用いて行われることが好ましい。
【００７７】
なお、ＬＢＴに基づいてＤＳが送信されるか否かは、端末装置に通知されてもよい。換言すると、ＤＳ送信の際に下りリンクＬＢＴが必要か否かは、端末装置に通知されてもよい。換言すると、基地局装置からＬＢＴに基づくＤＳが送信されることは、端末装置に通知されてもよい。換言すると、基地局装置からＬＢＴに基づかないＤＳが送信されることは、端末装置に通知されてもよい。なお、ＬＢＴに基づくＤＳとは、ＤＳ送信の際にＬＢＴが必要であり該ＬＢＴの結果に基づいて送信されるＤＳであることが好ましい。すなわち、ＬＢＴに基づくＤＳとは、ＬＢＴに基づいてチャネルがビジーかアイドルか判断され、チャネルがアイドルであった場合にのみ送信されるＤＳであることが好ましい。なお、ＬＢＴに基づかないＤＳとは、ＤＳ送信の際にＬＢＴが不要であるＤＳであることが好ましい。すなわち、ＬＢＴに基づかないＤＳとは、チャネルがビジーまたはアイドルに関係なく送信されるＤＳであることが好ましい。すなわち、ＬＢＴに基づかないＤＳとは、ショートコントロールシグナリング（SCS, Short Control Signaling）を用いて送信されるＤＳであることが好ましい。なお、ショートコントロールシグナリング（SCS, Short Control Signaling）はＬＢＴが不要なシグナリングであることが好ましい。なお、ＬＢＴに基づくＤＳ送信は第１のＤＳ送信（もしくは第１のＤＳ）、ＬＢＴに基づかないＤＳ送信は第２のＤＳ送信（もしくは第２のＤＳ）と称されてもよい。
【００７８】
なお、ＬＢＴに基づいてＤＳが送信されるか否かを示すことに関連する情報は、物理層または上位層のシグナルを用いて送信または通知されることが好ましい。なお、ＬＢＴに基づいてＤＳが送信されるか否かを示すことに関連する情報は、ＤＣＩフォーマットに定義されるフィールドに情報ビットとしてマップされて送信されることが好ましい。なお、ＬＢＴに基づいてＤＳが送信されるか否かを示すことに関連する情報は、国または地域（リージョン）を示すことに関係する情報であることが好ましい。例えば、端末装置には予めＬＢＴに基づかないＤＳ送信が可能な国または地域（リージョン）が設定されており、受信した国または地域（リージョン））を示すことに関係する情報によって示される国または地域（リージョン）が、予め設定されているＬＢＴに基づかないＤＳ送信が可能な国または地域（リージョン）に対応していた場合、ＬＢＴに基づかないＤＳ送信が行われていることを検出することが好ましい。具体的には、端末装置には予めＬＢＴに基づかないＤＳ送信が可能な国としてアメリカ（ＵＳ）が設定されており、受信した国または地域（リージョン））を示すことに関係する情報によって示される国または地域（リージョン）
がＵＳに対応していた場合、基地局装置からＬＢＴに基づかないＤＳ送信が行われていることを検出することが好ましい。
【００７９】
ＬＢＴに基づいて実際にＤＳが送信されたか否かを通知する方法の一例を示す。
【００８０】
ＬＢＴに基づいて実際にＤＳが送信されたか否かは、物理層の信号（Physical layer signaling, L1 signaling）を用いて端末装置に対して通知されることが好ましい。すなわち、ＬＢＴに基づいて実際にＤＳが送信されたか否かは、基地局装置から明示的に通知されることが好ましい。
【００８１】
例えば、ＬＢＴに基づいて実際にＤＳが送信されたか否かは、物理下りリンク共有チャネル（PDSCH）または物理下りリンク制御チャネル（PDCCH）を用いて通知されることが好ましい。具体的には、物理下りリンク制御チャネル（PDCCH）を用いて送信される下りリ
ンク制御情報（DCI, Downlink Control Information）を用いて通知されることが好まし
い。具体的には、物理下りリンク制御チャネル（PDCCH）を用いて送信されるＤＣＩフォ
ーマット（DCI Format）を用いて通知されることが好ましい。具体的には、ＤＣＩフォーマットのフィールドにマップされる情報ビットを用いて通知されることが好ましい。なお、ＤＣＩフォーマットのフィールドとはＤＣＩフォーマットに定義されるフィールドであり、情報ビットがマップされる。なお、物理下りリンク制御チャネル（PDCCH）を用いて
送信されるＤＣＩフォーマットは、ＤＣＩフォーマット０，１，１Ａ，１Ｂ，１Ｃ，１Ｄ，２，２Ａ，２Ｂ，２Ｃ，２Ｄ，３，３Ａ，３Ｂ，３Ｃ，３Ｄ，４，４Ａ，４Ｂ，４Ｃ，４Ｄ，５，５Ａ，５Ｂ，５Ｃ，５Ｄ，ｘの何れかであることが好ましい。物理下りリンク制御チャネル（PDCCH）を用いてＤＣＩフォーマット（例えば、ＤＣＩフォーマットｘ）
送信されるとは、ＤＣＩフォーマット（例えば、ＤＣＩフォーマットｘ）を伴う物理下りリンク制御チャネル（PDCCH）を受信することであることが好ましい。
【００８２】
図１２に、本実施形態に係るDSが実際に送信されたか否かを示すことに関連する情報を通知する方法の一例を示す。
【００８３】
ＤＣＩフォーマットのフィールドを用いて、ＬＢＴに基づいて実際にＤＳが送信されたか否かを通知する一例を示す。
【００８４】
なお、ＤＣＩファーマットはＰＤＣＣＨまたはＥＰＤＣＣＨで送信される。以下では説明のためＤＣＩフォーマットがＰＤＣＣＨで送信される場合を用いて説明するが、当然、ＰＤＣＣＨはＥＰＤＣＣＨと読み替えることができる。当然、ＰＤＣＣＨ候補（ＰＤＣＣＨ  Ｃａｎｄｉｄａｔｅ）はＥＰＤＣＣＨ候補（ＥＰＤＣＣＨ  Ｃａｎｄｉｄａｔｅ）と読み替えることができる。
【００８５】
ＬＢＴに基づいて実際にＤＳが送信されたか否かは、ＤＣＩフォーマット（例えば、ＤＣＩフォーマットｘ）に定義されるフィールドにマップされる情報ビットによって通知されることが好ましい。例えば、該フィールドにマップされる情報ビットによって、ＤＳが送信されたことが示されることが好ましい。具体的には、該フィールドは１ビットで定義されるフィールドであり、該フィールドに‘１’がマップされた場合ＤＳが送信されたことが示されることが好ましく、該フィールドに‘０’がマップされた場合ＤＳが送信されなかったことが示されることが好ましい。なお、該フィールドに‘１’がマップされた場合ＤＳが送信されなかったことが示され、該フィールドに‘０’がマップされた場合ＤＳが送信されたことが示されてもよい。なお、該フィールドはＤＳ  Ｔｒａｎｓｍｉｓｓｉｏｎ  Ｉｎｄｉｃａｔｏｒ（ＤＴＩ）  Ｆｉｅｌｄと称されてもよい。
【００８６】
なお、ＤＴＩ  Ｆｉｅｌｄ（ＤＳが送信されたか否かを示すことに関連するフィールド
）を伴うＤＣＩフォーマットはＥＰＤＣＣＨのみで送信されてもよい。すなわち、ＤＴＩ
Ｆｉｅｌｄ（ＤＳが送信されたか否かを示すことに関連するフィールド）を伴うＤＣＩフォーマットはＰＤＣＣＨで送信されなくてもよい。
【００８７】
なお、ＤＴＩ  Ｆｉｅｌｄ（ＤＳが送信されたか否かを示すことに関連するフィールド）が示すＤＳが送信されたこと／ＤＳが送信されなかったこととは、ＤＭＴＣ  ｏｃｃａｓｉｏｎの内のサブフレームにおいて実際にＤＳが送信されたこと／ＤＳが送信されなかったこと（ＤＳ  ｏｃｃａｓｉｏｎにおいて実際にＤＳが送信されたこと／ＤＳが送信されなかったこと）、であることが好ましい。
【００８８】
例えば、ＤＴＩ  Ｆｉｅｌｄ（ＤＳが送信されたか否かを示すことに関連するフィールド）を伴うＤＣＩフォーマットｘをＤＭＴＣ  ｏｃｃａｓｉｏｎ＃３より遅くＤＭＴＣ  ｏｃｃａｓｉｏｎ＃４よりも早いサブフレームｎ（図１２において矢印で示されるタイミング）において受信した場合、ＤＴＩ  Ｆｉｅｌｄにマップされる情報ビットによって、ＤＭＴＣ  ｏｃｃａｓｉｏｎ＃３においてＤＳが送信されたか否かが示されることが好ましい。換言すると、ＤＴＩ  Ｆｉｅｌｄ（ＤＳが送信されたか否かを示すことに関連するフィールド）を伴うＤＣＩフォーマットｘをＤＭＴＣ  ｏｃｃａｓｉｏｎ＃３より遅くＤＭＴＣ  ｏｃｃａｓｉｏｎ＃４よりも早いサブフレームｎにおいて受信した場合、ＤＴＩ
Ｆｉｅｌｄにマップされる情報ビットによって、ＤＭＴＣ  ｏｃｃａｓｉｏｎ＃３内のＤＳ  ｏｃｃａｓｉｏｎにおいてＤＳが送信されたか否かが示されることが好ましい。具体的には、ＤＴＩ  Ｆｉｅｌｄに‘１’がマップされたＤＣＩフォーマットｘをＤＭＴＣ
ｏｃｃａｓｉｏｎ＃３より遅くＤＭＴＣ  ｏｃｃａｓｉｏｎ＃４よりも早いサブフレームｎにおいて受信した場合、ＤＭＴＣ  ｏｃｃａｓｉｏｎ＃３内のＤＳ  ｏｃｃａｓｉｏｎにおいてＤＳが送信されたことが示されることが好ましい。具体的には、ＤＴＩ  Ｆｉｅｌｄに‘０’がマップされたＤＣＩフォーマットｘをＤＭＴＣ  ｏｃｃａｓｉｏｎ＃３より遅くＤＭＴＣ  ｏｃｃａｓｉｏｎ＃４よりも早いサブフレームｎにおいて受信した場合、ＤＭＴＣ  ｏｃｃａｓｉｏｎ＃３内のＤＳ  ｏｃｃａｓｉｏｎにおいてＤＳが送信されなかったことが示されることが好ましい。
【００８９】
すなわち、ＤＴＩ  Ｆｉｅｌｄ（ＤＳが送信されたか否かを示すことに関連するフィールド）を伴うＤＣＩフォーマットｘをサブフレームｎにおいて受信した場合、ＤＴＩ  Ｆｉｅｌｄにマップされる情報ビットによって、サブフレームｎよりも前で最近のＤＭＴＣ
ｏｃｃａｓｉｏｎ内のＤＳ  ｏｃｃａｓｉｏｎにおいてＤＳが送信されたか否かが示されることが好ましい。
【００９０】
例えば、ＤＳが送信されたか否かを示すことに関連するフィールドは、複数のビットで定義されるフィールドであってもよい。ＤＴＩ  Ｆｉｅｌｄが４ビット（情報ビットａ０，ａ１，ａ２，ａ３）で定義されている場合を例に説明する。例えば、ＤＴＩ  Ｆｉｅｌｄ（ＤＳが送信されたか否かを示すことに関連するフィールド）を伴うＤＣＩフォーマットｘをＤＭＴＣ  ｏｃｃａｓｉｏｎ＃３より遅くＤＭＴＣ  ｏｃｃａｓｉｏｎ＃４よりも早いサブフレームｎ（図１２において矢印で示されるタイミング）において受信した場合、ＤＴＩ  Ｆｉｅｌｄにマップされる情報ビットによって、ＤＭＴＣ  ｏｃｃａｓｉｏｎ＃０−３においてＤＳが送信されたか否かが示されることが好ましい。換言すると、ＤＴＩ  Ｆｉｅｌｄ（ＤＳが送信されたか否かを示すことに関連するフィールド）を伴うＤＣＩフォーマットｘをＤＭＴＣ  ｏｃｃａｓｉｏｎ＃３より遅くＤＭＴＣ  ｏｃｃａｓｉｏｎ＃４よりも早いサブフレームｎにおいて受信した場合、ＤＴＩ  Ｆｉｅｌｄにマップされる情報ビットによって、ＤＭＴＣ  ｏｃｃａｓｉｏｎ＃０−３内のＤＳ  ｏｃｃａｓｉｏｎにおいてＤＳが送信されたか否かが示されることが好ましい。具体的には、ａ０，ａ１，ａ２，ａ３に‘１，０，０，１’がマップされたＤＣＩフォーマットｘをＤＭＴＣ  ｏｃｃａｓｉｏｎ＃３より遅くＤＭＴＣ  ｏｃｃａｓｉｏｎ＃４よりも早いサブフレーム
ｎにおいて受信した場合、ＤＭＴＣ  ｏｃｃａｓｉｏｎ＃０内のＤＳ  ｏｃｃａｓｉｏｎにおいてＤＳが送信されたことが示され、ＤＭＴＣ  ｏｃｃａｓｉｏｎ＃１内のＤＳ  ｏｃｃａｓｉｏｎにおいてＤＳが送信されなかったことが示され、ＤＭＴＣ  ｏｃｃａｓｉｏｎ＃２内のＤＳ  ｏｃｃａｓｉｏｎにおいてＤＳが送信されなかったことが示され、ＤＭＴＣ  ｏｃｃａｓｉｏｎ＃３内のＤＳ  ｏｃｃａｓｉｏｎにおいてＤＳが送信されたことが示される。すなわち、情報ビットａ０によってＤＭＴＣ  ｏｃｃａｓｉｏｎ＃０内のＤＳ  ｏｃｃａｓｉｏｎにおいてＤＳが送信されたか否かが示され、情報ビットａ１によってＤＭＴＣ  ｏｃｃａｓｉｏｎ＃１内のＤＳ  ｏｃｃａｓｉｏｎにおいてＤＳが送信されたか否かが示され、情報ビットａ２によってＤＭＴＣ  ｏｃｃａｓｉｏｎ＃２内のＤＳ
ｏｃｃａｓｉｏｎにおいてＤＳが送信されたか否かが示され、情報ビットａ３によってＤＭＴＣ  ｏｃｃａｓｉｏｎ＃３内のＤＳ  ｏｃｃａｓｉｏｎにおいてＤＳが送信されたか否かが示されることが好ましい。すなわち、ａ０からａｙにマップされるビット情報が時間的に連続するＤＭＴＣ  ｏｃｃａｓｉｏｎ＃０−ｙに対応し、該ビット情報によってＤＭＴＣ  ｏｃｃａｓｉｏｎ＃０−ｙにおいて（ＤＭＴＣ  ｏｃｃａｓｉｏｎ＃０−ｙ内のＤＳ  ｏｃｃａｓｉｏｎにおいて）ＤＳが送信されたか否かが示されることが好ましい。なお、ＤＴＩ  Ｆｉｅｌｄは、ＤＣＩフォーマットｘに定義されてＰＤＣＣＨで送信されてもよいし、ビット情報としてＰＤＳＣＨで送信されてもよいし、上位レイヤパラメータとして上位レイヤシグナリングとして通知されてもよい。なお、ＤＴＩ  Ｆｉｅｌｄは、ビットマップとして定義されてもよい。
【００９１】
すなわち、ａ０からａｙで定義されるフィールドを伴うＤＣＩフォーマットｘをサブフレームｎにおいて受信した場合、ＤＴＩ  Ｆｉｅｌｄにマップされる情報ビットによって、サブフレームｎよりも前で最近のＤＭＴＣ  ｏｃｃａｓｉｏｎからｙ前までのそれぞれのＤＭＴＣ  ｏｃｃａｓｉｏｎ内のＤＳ  ｏｃｃａｓｉｏｎにおいてＤＳが送信されたか否かが示されることが好ましい。
【００９２】
なお、ＤＴＩ  Ｆｉｅｌｄ（ＤＳが送信されたか否かを示すことに関連するフィールド）を伴うＤＣＩフォーマットｘは各ＤＭＴＣ  ｏｃｃａｓｉｏｎ（または各ＤＭＴＣ  ｏｃｃａｓｉｏｎ内のＤＳ  ｏｃｃａｓｉｏｎ）から所定のサブフレーム数後または所定のサブフレーム数以内に送信されることが好ましい。すなわち、端末装置は、各ＤＭＴＣ  ｏｃｃａｓｉｏｎ（または各ＤＭＴＣ  ｏｃｃａｓｉｏｎ内のＤＳ  ｏｃｃａｓｉｏｎ）から所定のサブフレーム数後または所定のサブフレーム数以内にＤＴＩ  Ｆｉｅｌｄを伴うＤＣＩフォーマットｘを受信することを期待する（想定する）ことが好ましい。すなわち、端末装置は、サブフレームｎからＤＭＴＣ  ｏｃｃａｓｉｏｎが始まった場合（またはサブフレームｎでＤＭＴＣ  ｏｃｃａｓｉｏｎが終わった場合）、サブフレームｎ＋ｚにおいてＤＴＩ  Ｆｉｅｌｄを伴うＤＣＩフォーマットｘを受信する（サブフレームｎ＋ｚまでにＤＴＩ  Ｆｉｅｌｄを伴うＤＣＩフォーマットｘを受信する）ことを期待する（想定する）ことが好ましい。なお、サブフレームｎ＋ｚのｚは所定のサブフレーム数である。なお、所定のサブフレーム数は、上位レイヤシグナリングによって端末装置に通知（または設定）されることが好ましい。
【００９３】
なお、ＤＴＩ  Ｆｉｅｌｄ（ＤＳが送信されたか否かを示すことに関連するフィールド）伴うＤＣＩフォーマットｘは所定の周期で送信されることが好ましい。すなわち、ＤＴＩ  Ｆｉｅｌｄを伴うＤＣＩフォーマットｘは所定の周期で端末装置によりモニタされることが好ましい。なお、所定の周期は上位レイヤシグナリングによって端末装置に通知（または設定）されることが好ましい。なお、所定の周期は所定のサブフレーム数で設定されることが好ましい。なお、所定の周期はＤＳ  ｏｃｃａｓｉｏｎまたはＤＭＴＣ  ｏｃｃａｓｉｏｎの回数で設定されることが好ましい。
【００９４】
なお、ＤＴＩ  Ｆｉｅｌｄ（ＤＳが送信されたか否かを示すことに関連するフィールド
）を伴うＤＣＩフォーマットｘはＤＳ送信と同じサブフレームで送信されることが好ましい。すなわち、端末装置は、あるサブフレームにおいてＤＴＩ  Ｆｉｅｌｄを伴うＤＣＩフォーマットｘを検出しなければ、該サブフレームにおいてＤＳが送信されなかったと想定する（仮定する）ことが好ましい。なお、ＤＳ送信と同じサブフレームは、各ＤＭＴＣ
ｏｃｃａｓｉｏｎ（または各ＤＭＴＣ  ｏｃｃａｓｉｏｎ内のＤＳ  ｏｃｃａｓｉｏｎ）に含まれることが好ましい。なお、ＤＳ送信と同じサブフレームとは、各ＤＭＴＣ  ｏｃｃａｓｉｏｎ（または各ＤＭＴＣ  ｏｃｃａｓｉｏｎ内のＤＳ  ｏｃｃａｓｉｏｎ）であってもよいし、ＤＳ  ｏｃｃａｓｉｏｎにおいて実際にＤＳが送信されるサブフレームであってもよい。なお、ＤＴＩ  Ｆｉｅｌｄを伴うＤＣＩフォーマットｘはＤＳ送信が行われるセルと同じセルで送信されてもよい。なお、ＤＴＩ  Ｆｉｅｌｄを伴うＤＣＩフォーマットｘはＤＳ送信が行われるセルと異なるセルで送信されてもよい。なお、ＤＳ送信が行われるセルと異なるセルとは、ライセンスバンドのセル（ＬＡＡセルでないセル）であることが好ましい。なお、ＤＳ送信が行われるセルと異なるセルとは、下りリンク送信のためのＬＢＴを必要としないセルであることが好ましい。
【００９５】
なお、ＤＴＩ  Ｆｉｅｌｄ（ＤＳが送信されたか否かを示すことに関連するフィールド）にマップされる情報ビットが何れのセル上でＤＳが送信されたか否かを示すかは、上位レイヤシグナリングによって端末装置に通知（または設定）されることが好ましい。すなわち、ＤＴＩ  Ｆｉｅｌｄにマップされる情報ビットによって何れのセル上でＤＳが送信されたか否かが示されるかは、上位レイヤシグナリングによって端末装置に通知（または設定）されることが好ましい。すなわち、ＤＴＩ  Ｆｉｅｌｄにマップされる情報ビットが何れのセル上におけるＤＳ送信の有無を示すかは、上位レイヤシグナリングによって端末装置に通知（または設定）されることが好ましい。なお、ＤＴＩ  Ｆｉｅｌｄにマップされる情報ビットが何れのセル上でＤＳが送信されたか否かを示すことに関連するフィールドもしくはパラメータには、サービングセルインデックス（ServCellIndex）が設定さ
れることが好ましい。すなわち、設定されたサービングセルインデックス（ServCellIndex）に対応するセル上でＤＳが送信されたか否かがＤＴＩ  Ｆｉｅｌｄにマップされる情
報ビットによって示されることが好ましい。
【００９６】
なお、ＤＴＩ  Ｆｉｅｌｄ（ＤＳが送信されたか否かを示すことに関連するフィールド）が存在するか否かは、上位レイヤシグナリングによって端末装置に通知（または設定）されることが好ましい。例えば、上位レイヤシグナリングによって通知される所定のフィールドもしくはパラメータ（例えば、DTIF-Presence）に、“ＴＲＵＥ”が設定されてい
る場合ＤＣＩフォーマット（ＤＣＩフォーマットｘ）にＤＴＩ  Ｆｉｅｌｄが存在することを示し、“ＦＡＬＳＥ”が設定されている場合ＤＣＩフォーマット（ＤＣＩフォーマットｘ）にＤＴＩ  Ｆｉｅｌｄが存在しないことを示すことが好ましい。なお、ＤＴＩ  Ｆｉｅｌｄが存在することを通知された端末装置はＤＴＩ  Ｆｉｅｌｄを含む（伴う）ペイロードサイズのＤＣＩフォーマット（ＤＣＩフォーマットｘ）の検出を試みることが好ましい。なお、ＤＣＩフォーマット（ＤＣＩフォーマットｘ）の検出を試みることはＤＣＩフォーマット（ＤＣＩフォーマットｘ）をモニタすること、または、ＰＤＣＣＨをモニタすること、または、ＰＤＣＣＨ候補（ＰＤＣＣＨ  Ｃａｎｄｉｄａｔｅ）をモニタリングすることと同じである。
【００９７】
なお、ＤＴＩ  Ｆｉｅｌｄが何れのセル上でＤＳが送信されたか否かを示すことに関連するフィールドもしくはパラメータと、ＤＴＩ  Ｆｉｅｌｄが存在するか否かを示すことに関連するフィールドもしくはパラメータは、１つの上位レイヤシグナリングによって端末装置に通知（または設定）されることが好ましい。
【００９８】
なお、ＤＴＩ  Ｆｉｅｌｄが何れのセル上でＤＳが送信されたか否かを示すことに関連するフィールドもしくはパラメータと、ＤＴＩ  Ｆｉｅｌｄが存在するか否かを示すこと
に関連するフィールドもしくはパラメータは、異なる（独立の）上位レイヤシグナリングによって端末装置に通知（または設定）されることが好ましい。
【００９９】
なお、ＤＴＩ  Ｆｉｅｌｄ（ＤＳが送信されたか否かを示すことに関連するフィールド）のサイズは、上位レイヤのシグナリングによって通知されてもよい。換言すると、ＤＴＩ  Ｆｉｅｌｄ（ＤＳが送信されたか否かを示すことに関連するフィールド）のサイズは、上位レイヤのシグナリングによって設定されてもよい。なお、ＤＴＩ  Ｆｉｅｌｄのサイズとは、フィールドを構成するビット数（ビット長）であることが好ましい。
【０１００】
なお、ＤＴＩ  Ｆｉｅｌｄ（ＤＳが送信されたか否かを示すことに関連するフィールド）を伴うＤＣＩフォーマットｘは、ＤＭＴＣ  ｏｃｃａｓｉｏｎ外のサブフレームにおいて送信されることが好ましい。換言すると、ＤＭＴＣ  ｏｃｃａｓｉｏｎ内のサブフレームにおいて、端末装置はＤＴＩ  Ｆｉｅｌｄを伴うＤＣＩフォーマットｘの検出を期待しないことが好ましい。換言すると、ＤＭＴＣ  ｏｃｃａｓｉｏｎ内のサブフレームにおいて、端末装置はＤＴＩ  Ｆｉｅｌｄを伴うＤＣＩフォーマットｘに対応するペイロードサイズのＰＤＣＣＨ候補（ＰＤＣＣＨ  Ｃａｎｄｉｄａｔｅ）のモニタリングを行わないことが好ましい。
【０１０１】
なお、ＤＴＩ  Ｆｉｅｌｄ（ＤＳが送信されたか否かを示すことに関連するフィールド）を伴うＤＣＩフォーマットｘは、ＤＭＴＣ  ｏｃｃａｓｉｏｎ内のサブフレームにおいて送信されることが好ましい。その場合は、ＤＴＩ  Ｆｉｅｌｄにマップされる情報ビットによって、ＤＴＩ  Ｆｉｅｌｄを伴うＤＣＩフォーマットｘを受信したサブフレームを含むＤＭＴＣ  ｏｃｃａｓｉｏｎ内のＤＳ  ｏｃｃａｓｉｏｎにおいてＤＳが送信されたか否かが示されてもよい。
【０１０２】
なお、ＤＴＩ  Ｆｉｅｌｄ（ＤＳが送信されたか否かを示すことに関連するフィールド）は、端末装置に所定の設定が設定された場合（または所定のパラメータが設定された場合もしくは所定の上位層シグナリングを受信した場合）にのみ存在すると端末装置によって仮定（想定）されることが好ましい。すなわち、端末装置は、端末装置に所定の設定が設定された場合に、ＤＴＩ  Ｆｉｅｌｄを伴うＤＣＩフォーマットｘのペイロードサイズに対応するＰＤＣＣＨ候補（ＰＤＣＣＨ  Ｃａｎｄｉｄａｔｅ）のモニタリングを行うことが好ましい。すなわち、端末装置は、端末装置に所定の設定が設定されていない場合に、ＤＴＩ  Ｆｉｅｌｄを伴うＤＣＩフォーマットｘのペイロードサイズに対応するＰＤＣＣＨ候補（ＰＤＣＣＨ  Ｃａｎｄｉｄａｔｅ）のモニタリングを行わないことが好ましい。例えば、所定の設定とはＤＳに関連する設定であることが好ましい。例えば、所定の設定とはＤＭＴＣに関連する設定であることが好ましい。例えば、所定の設定とはＤＭＴＣ
ｏｃｃａｓｉｏｎに関連する設定であることが好ましい。例えば、所定の設定とはＤＳ
ｏｃｃａｓｉｏｎに関連する設定であることが好ましい。例えば、所定の設定とはＬＡＡに関連する設定であることが好ましい。例えば、所定の設定とは所定のセル（例えばＬＡＡセル）におけるＤＳに関連する設定であることが好ましい。
【０１０３】
なお、ＤＴＩ  Ｆｉｅｌｄ（ＤＳが送信されたか否かを示すことに関連するフィールド）を伴うＤＣＩフォーマットｘは、更にＣＩ  Ｆｉｅｌｄ（Ｃａｒｒｉｅｒ  Ｉｎｄｉｃａｔｏｒ  Ｆｉｅｌｄ）を伴うことが好ましい。すなわちＤＴＩ  Ｆｉｅｌｄを伴うＤＣＩフォーマットｘは、更にＣＩ  Ｆｉｅｌｄを伴うペイロードサイズであることが好ましい。すなわち、ＤＣＩフォーマットｘは、ＤＴＩ  ＦｉｅｌｄとＣＩ  Ｆｉｅｌｄを伴うペイロードサイズであることが好ましい。なお、ＣＩ  Ｆｉｅｌｄ値（ＣＩ  Ｆｉｅｌｄ
ｖａｌｕｅ）はサービングセルインデックス（ServCellIndex）と同じであることが好
ましく、ＤＴＩ  ＦｉｅｌｄはＣＩ  Ｆｉｅｌｄ  ｖａｌｕｅに対応するサービングセルインデックス（ServCellIndex）を伴うサービングセルにおいてＤＳが送信されたか否か
を示すことに関連するビット情報がマップされることが好ましい。なお、ＣＩ  Ｆｉｅｌｄは３ビットで定義される（構成される）フィールドであることが好ましい。
【０１０４】
なお、ＤＴＩ  Ｆｉｅｌｄ（ＤＳが送信されたか否かを示すことに関連するフィールド）を伴うＤＣＩフォーマットｘは、更に第１のＣＩ  Ｆｉｅｌｄと第２のＣＩ  Ｆｉｅｌｄを含むことが好ましい。すなわちＤＴＩ  Ｆｉｅｌｄを伴うＤＣＩフォーマットｘは、更に第１のＣＩ  Ｆｉｅｌｄと第２のＣＩ  Ｆｉｅｌｄを伴うペイロードサイズであることが好ましい。すなわち、ＤＣＩフォーマットｘは、ＤＴＩ  Ｆｉｅｌｄと第１のＣＩ  Ｆｉｅｌｄと第２のＣＩ  Ｆｉｅｌｄを伴うペイロードサイズであることが好ましい。なお、第１のＣＩ  Ｆｉｅｌｄ値（第１のＣＩ  Ｆｉｅｌｄ  ｖａｌｕｅ）はサービングセルインデックス（ServCellIndex）と同じであることが好ましい。なお、第２のＣＩ  Ｆ
ｉｅｌｄ値（第２のＣＩ  Ｆｉｅｌｄ  ｖａｌｕｅ）はサービングセルインデックス（ServCellIndex）と同じであることが好ましい。ＤＣＩフォーマットｘがＰＤＳＣＨまたは
ＰＵＳＣＨの割り当てを含む場合、第１のＣＩ  Ｆｉｅｌｄ値（第１のＣＩ  Ｆｉｅｌｄ
ｖａｌｕｅ）は、ＰＤＳＣＨまたはＰＵＳＣＨを割り当てるサービングセルのサービングセルインデックス（ServCellIndex）を示すことが好ましく、第２のＣＩ  Ｆｉｅｌｄ
値（第２のＣＩ  Ｆｉｅｌｄ  ｖａｌｕｅ）は、ＤＳが送信されたか否かを示すサービングセルのサービングセルインデックス（ServCellIndex）を示すことが好ましい。なお、
第２のＣＩ  Ｆｉｅｌｄ値（第２のＣＩ  Ｆｉｅｌｄ  ｖａｌｕｅ）にはＬＢＴに基づいてＤＳが送信されるサービングセルのサービングセルインデックス（ServCellIndex）を
示す情報がマップされることが好ましい。なお、ＤＣＩフォーマットｘがＰＤＳＣＨまたはＰＵＳＣＨの割り当てを含まない場合、ＤＣＩフォーマットｘは第１のＣＩ  Ｆｉｅｌｄを伴わないことが好ましい。
【０１０５】
なお、第１のＣＩ  Ｆｉｅｌｄが存在するか否かは、上位レイヤシグナリングによって端末装置に通知されることが好ましい。例えば、上位レイヤシグナリングによって通知される所定のフィールドもしくはパラメータ（例えば、cif-Presence）に、“ＴＲＵＥ”が設定されている場合ＤＣＩフォーマット（ＤＣＩフォーマットｘ）に第１のＣＩ  Ｆｉｅｌｄが存在することを示し、“ＦＡＬＳＥ”が設定されている場合ＤＣＩフォーマット（ＤＣＩフォーマットｘ）に第１のＣＩ  Ｆｉｅｌｄが存在しないことを示すことが好ましい。なお、第１のＣＩ  Ｆｉｅｌｄが存在することを通知された端末装置は第１のＣＩ  Ｆｉｅｌｄを含むペイロードサイズのＤＣＩフォーマット（ＤＣＩフォーマットｘ）の検出を試みることが好ましい。なお、ＤＣＩフォーマット（ＤＣＩフォーマットｘ）の検出を試みることはＤＣＩフォーマット（ＤＣＩフォーマットｘ）をモニタすること、または、ＰＤＣＣＨ候補（ＰＤＣＣＨ  Ｃａｎｄｉｄａｔｅ）をモニタリングすることと同じである。なお、第１のＣＩ  Ｆｉｅｌｄは下りリンクグラントまたは上りリンクグラントを含むＤＣＩフォーマットに含まれることが好ましい。
【０１０６】
なお、第２のＣＩ  Ｆｉｅｌｄが存在するか否かは、上位レイヤシグナリングによって端末装置に通知されることが好ましい。例えば、上位レイヤシグナリングによって通知される所定のフィールドもしくはパラメータ（例えば、CIF-Presence-r14）に、“ＴＲＵＥ”が設定されている場合ＤＣＩフォーマット（ＤＣＩフォーマットｘ）に第２のＣＩ  Ｆｉｅｌｄが存在することを示し、“ＦＡＬＳＥ”が設定されている場合ＤＣＩフォーマット（ＤＣＩフォーマットｘ）に第２のＣＩ  Ｆｉｅｌｄが存在しないことを示すことが好ましい。なお、第２のＣＩ  Ｆｉｅｌｄが存在することを通知された端末装置は第２のＣＩ  Ｆｉｅｌｄを含むペイロードサイズのＤＣＩフォーマット（ＤＣＩフォーマットｘ）の検出を試みることが好ましい。なお、ＤＣＩフォーマット（ＤＣＩフォーマットｘ）の検出を試みることはＤＣＩフォーマット（ＤＣＩフォーマットｘ）をモニタすること、または、ＰＤＣＣＨ候補（ＰＤＣＣＨ  Ｃａｎｄｉｄａｔｅ）をモニタリングすることと同じである。なお、第２のＣＩ  Ｆｉｅｌｄは下りリンクグラントまたは上りリンクグラン
トを含むＤＣＩフォーマット以外にも含まれることが好ましい。すなわち、第２のＣＩ  Ｆｉｅｌｄは全てのＤＣＩフォーマットに含まれることが好ましい。
【０１０７】
すなわち、パラメータ（cif-Presence）は、ＤＣＩフォーマット（ＤＣＩフォーマットｘ）に第１のＣＩ  Ｆｉｅｌｄが含まれているか否かを示すパラメータであり、パラメータ（cif-Presence-r14）は、ＤＣＩフォーマット（ＤＣＩフォーマットｘ）に第２のＣＩ
Ｆｉｅｌｄが含まれているか否かを示すパラメータである。なお、パラメータ（cif-Presence）はクロスキャリアスケジューリングに関連するパラメータ（CrossCarrierSchedulingConfig-r10）に含まれることが好ましく、パラメータ（cif-Presenc-14）はクロスキャリアスケジューリングに関連するパラメータ（CrossCarrierSchedulingConfig-r10）に含まれないことが好ましい。すなわち、パラメータ（cif-Presence）とパラメータ（cif-Presenc-14）は異なる（独立の）上位層シグナリングを用いて端末装置へ通知されることが好ましい。
【０１０８】
なお、ＬＡＡ  Ｃｅｌｌのサービングセルインデックス（ServCellIndex）に対応する
ＣＩ  Ｆｉｅｌｄ値（ＣＩ  Ｆｉｅｌｄ  ｖａｌｕｅ）がマップされたＣＩ  Ｆｉｅｌｄを伴うＤＣＩフォーマットは、更にＤＴＩ  Ｆｉｅｌｄ（ＤＳが送信されたか否かを示すことに関連するフィールド）を伴うことが好ましい。換言すると、ＬＡＡ  Ｃｅｌｌのサービングセルインデックス（ServCellIndex）に対応するＣＩ  Ｆｉｅｌｄ値（ＣＩ  Ｆ
ｉｅｌｄ  ｖａｌｕｅ）がマップされたＣＩ  Ｆｉｅｌｄを伴うＤＣＩフォーマットは、ＣＩ  ＦｉｅｌｄとＤＴＩ  Ｆｉｅｌｄ（ＤＳが送信されたか否かを示すことに関連するフィールド）を伴うことが好ましい。すなわち、端末装置は、ＬＡＡ  Ｃｅｌｌのサービングセルインデックス（ServCellIndex）に対応するＣＩ  Ｆｉｅｌｄ値（ＣＩ  Ｆｉｅ
ｌｄ  ｖａｌｕｅ）がマップされたＣＩ  Ｆｉｅｌｄを伴うＤＣＩフォーマットを探索する場合に、更にＤＴＩ  Ｆｉｅｌｄを伴うＤＣＩフォーマットｘのペイロードサイズに対応するＰＤＣＣＨ候補（ＰＤＣＣＨ  Ｃａｎｄｉｄａｔｅ）のモニタリングを行うことが好ましい。
【０１０９】
なお、ＬＡＡ  Ｃｅｌｌ上で送信される該ＬＡＡ  ＣｅｌｌためのＤＣＩフォーマットは、ＤＴＩ  Ｆｉｅｌｄ（ＤＳが送信されたか否かを示すことに関連するフィールド）を伴うことが好ましい。すなわち、ＬＡＡ  Ｃｅｌｌにおいてセルフスケジューリングで送信されるＤＣＩフォーマットは、ＤＴＩ  Ｆｉｅｌｄ（ＤＳが送信されたか否かを示すことに関連するフィールド）を伴うことが好ましい。なお、ＬＡＡ  Ｃｅｌｌにおいてセルフスケジューリングで送信されるＤＣＩフォーマットとは、該ＬＡＡ  Ｃｅｌｌ上で該ＬＡＡ  Ｃｅｌｌのサービングセルインデックス（ServCellIndex）に対応するＣＩ  Ｆｉ
ｅｌｄ値（ＣＩ  Ｆｉｅｌｄ  ｖａｌｕｅ）がマップされたＣＩ  Ｆｉｅｌｄを伴うＤＣＩフォーマットが送信されることであってもよい。すなわち、端末装置は、ＬＡＡ  Ｃｅｌｌ上で送信される該ＬＡＡ  ＣｅｌｌためのＤＣＩフォーマットを探索する場合に、ＤＴＩ  Ｆｉｅｌｄを伴うＤＣＩフォーマットｘのペイロードサイズに対応するＰＤＣＣＨ候補（ＰＤＣＣＨ  Ｃａｎｄｉｄａｔｅ）のモニタリングを行うことが好ましい。
【０１１０】
なお、ＤＴＩ  Ｆｉｅｌｄ（ＤＳが送信されたか否かを示すことに関連するフィールド）を伴うＰＤＣＣＨ候補（ＰＤＣＣＨ  Ｃａｎｄｉｄａｔｅ）は、所定のＲＮＴＩでスクランブリングされたＣＲＣを伴うＰＤＣＣＨ候補（ＰＤＣＣＨ  Ｃａｎｄｉｄａｔｅ）であることが好ましい。なお、所定のＲＮＴＩとは、ＬＡＡ  Ｃｅｌｌに関連するＲＮＴＩであることが好ましい。なお、所定のＲＮＴＩとは、ＬＢＴに基づいてＤＳが送信されるサービングセルに関連するＲＮＴＩであることが好ましい。
【０１１１】
なお、ＤＴＩ  Ｆｉｅｌｄ（ＤＳが送信されたか否かを示すことに関連するフィールド）を伴うＤＣＩフォーマットｘはＣＳＳ（Ｃｏｍｍｏｎ  Ｓｅａｒｃｈ  Ｓｐａｃｅ）に
配置されることが好ましい。
【０１１２】
なお、ＤＴＩ  Ｆｉｅｌｄ（ＤＳが送信されたか否かを示すことに関連するフィールド）を伴うＤＣＩフォーマットｘはＵＳＳ（ＵＥ−ｓｐｅｃｉｆｉｃ  Ｓｅａｒｃｈ  Ｓｐａｃｅ）のみに配置されることが好ましい。すなわち、ＤＴＩ  Ｆｉｅｌｄ（ＤＳが送信されたか否かを示すことに関連するフィールド）を伴うＤＣＩフォーマットｘはＣＳＳに配置されないことが好ましい。なお、セカンダリセル（もしくはプライマリセカンダリセル）にＣＳＳが存在する場合は、該ＣＳＳにＤＴＩ  Ｆｉｅｌｄを伴うＤＣＩフォーマットｘが配置されてもよい。
【０１１３】
なお、ＤＳが送信されたか否かを示すことに関連する情報は、ライセンスドセルで送信されることが好ましい。すなわち、ＤＴＩ  Ｆｉｅｌｄ（ＤＳが送信されたか否かを示すことに関連するフィールド）を伴うＤＣＩフォーマットｘは、ライセンスドセル上でモニタされることが好ましい。すなわち、ＤＴＩ  Ｆｉｅｌｄを伴うＤＣＩフォーマットｘは、ライセンスドセル上で送信されることが好ましい。すなわち、ＤＴＩ  Ｆｉｅｌｄを伴うＤＣＩフォーマットｘは、ＬＡＡ  Ｃｅｌｌ上で送信されないことが好ましい。すなわち、ＤＴＩ  Ｆｉｅｌｄを伴うＤＣＩフォーマットｘは、ＬＡＡ  Ｃｅｌｌを除いたセル上で送信されることが好ましい。なお、ライセンスドセルは、下りリンク送信のためのＬＢＴを必要としないセルであることが好ましい。すなわち、ＤＴＩ  Ｆｉｅｌｄを伴うＤＣＩフォーマットｘは、下りリンク送信のためのＬＢＴを必要としないセル上でモニタされることが好ましい。
【０１１４】
なお、ＤＳが送信されたか否かを示すことに関連する情報は、該ＤＳが送信されるセルで送信されることが好ましい。すなわち、ＤＴＩ  Ｆｉｅｌｄ（ＤＳが送信されたか否かを示すことに関連するフィールド）を伴うＤＣＩフォーマットｘは、該ＤＳが送信されるセル上でモニタされることが好ましい。すなわち、ＤＴＩ  Ｆｉｅｌｄを伴うＤＣＩフォーマットｘは、該ＤＳが送信されるセル上で送信されることが好ましい。すなわち、ＤＴＩ  Ｆｉｅｌｄを伴うＤＣＩフォーマットｘは、セルフスケジューリングで送信されることが好ましい。すなわち、ＤＴＩ  Ｆｉｅｌｄを伴うＤＣＩフォーマットｘがＬＡＡ  Ｃｅｌｌで送信される場合は、セルフスケジューリングでのみ送信されることが好ましい。
【０１１５】
ＬＢＴに基づいて実際にＤＳが送信されたか否かを通知する方法の一例を示す。
【０１１６】
ＬＢＴに基づいて実際にＤＳが送信されたか否かは、端末装置によって判定（判断）されることが好ましい。すなわち、ＬＢＴに基づいて実際にＤＳが送信されたか否かは、端末装置によって暗示的に判定（判断）されることが好ましい。すなわち、ＬＢＴに基づいて実際にＤＳが送信されたか否かは、基地局装置から明示的に通知されないことが好ましい。なお、端末装置によって判定すること、または、端末装置によって判断することは、端末装置によって検出することに換言されてもよい。なお、端末装置によって判定されること、または、端末装置によって判断されることは、端末装置によって検出されることに換言されてもよい。
【０１１７】
例えば、端末装置は、ＤＳが送信されたか否かを示すこと以外に関連する情報の検出に基づいて、ＤＳが送信されたか否かを判定（判断）することが好ましい。例えば、端末装置は、ＤＴＩ  Ｆｉｅｌｄを伴うＤＣＩフォーマット以外のＤＣＩフォーマットを検出に基づいて、ＤＳが送信されたか否かを判定（判断）することが好ましい。例えば、ＤＳが送信されたか否かを示すこと以外に関連する情報とは、下りリンク送信バーストを示すことに関連する情報であることが好ましい。例えば、ＤＳが送信されたか否かを示すこと以外に関連する情報とは、ＤＳが送信されたか否かを示すこと以外に関連するＤＣＩフォーマットであり、下りリンク送信バーストを示すことに関連する情報ビットがマップされる
フィールドが定義されるＤＣＩフォーマットであることが好ましい。
【０１１８】
例えば、端末装置はＤＳが送信される周波数の測定結果と閾値を比較して、測定結果が閾値より小さかった場合（または測定結果が閾値以下だった場合）ＤＳが送信されなかったと判定（判断）することが好ましい。なお、測定結果とはＲＲＭ測定の測定結果であることが好ましく、ＲＲＭ測定とは、ＲＳＲＰ測定、ＲＳＲＱ測定、ＲＳＳＩ測定、ＣＳＩ−ＲＳＲＰ測定、ＣＳＩ−ＲＳＲＱ測定、ＣＳＩ−ＲＳＳＩ測定の何れであってもよい。なお、ＤＳが送信される周波数とは、端末装置によってＤＳ送信が想定されている周波数であることが好ましい。なお、ＤＳが送信される周波数とは、ＤＳの設定に関連する周波数であることが好ましい。なお、ＤＳが送信される周波数とは、ＤＳ  ｏｃｃａｓｉｏｎに関連する周波数であることが好ましい。なお、ＤＳが送信される周波数とは、ＤＭＴＣの設定に関連する周波数であることが好ましい。なお、ＤＳが送信される周波数とは、ＤＭＴＣ  ｏｃｃａｓｉｏｎに関連する周波数であることが好ましい。なお、ＤＳが送信される周波数とは、ＬＡＡセルに関連する周波数であることが好ましい。なお、ＤＳが送信される周波数とは、アンライセンスバンド（ＬＡＡバンド）の周波数であることが好ましい。なお、ＤＳが送信される周波数とは、所定のインデックスで管理されるバンドに対応する周波数であることが好ましい。なお、所定のインデックスで管理されるバンドとは、後述するインデックス“２５２”からインデックス“２５５”に対応するオペレーティングバンドであることが好ましい。
【０１１９】
具体的には、端末装置はＤＳが送信される周波数のＲＳＲＰ測定結果と閾値を比較して、測定結果が閾値より小さかった場合（または測定結果が閾値以下だった場合）ＤＳが送信されなかったと判定（判断）することが好ましい。なお、該ＲＳＲＰ測定結果は、ＤＳが送信される周波数において送信されるＣＲＳが送信されるリソースエレメントに基づくＲＳＲＰ測定の結果であることが好ましい。なお、該ＲＳＲＰ測定は、ＤＳを構成するＣＲＳ（ＤＳに含まれるＣＲＳ）が送信されるリソースエレメントに基づく測定であることが好ましい。
【０１２０】
具体的には、端末装置はＤＳが送信される周波数のＣＳＩ−ＲＳＲＰ測定結果と閾値を比較して、測定結果が閾値より小さかった場合（または測定結果が閾値以下だった場合）ＤＳが送信されなかったと判定（判断）することが好ましい。なお、該ＣＳＩ−ＲＳＲＰ測定結果は、ＤＳが送信される周波数において送信されるＤＳが送信されるリソースエレメントに基づくＣＳＩ−ＲＳＲＰ測定の結果であることが好ましい。なお、該ＣＳＩ−ＲＳＲＰ測定は、ＤＳを構成するＣＳＩ−ＲＳ（ＤＳに含まれるＣＳＩ−ＲＳ）が送信されるリソースエレメントに基づく測定であることが好ましい。
【０１２１】
例えば、端末装置はＤＳ  ｏｃｃａｓｉｏｎにおけるＰＳＳおよび／またはＳＳＳの検出に基づいて、ＤＳが送信されたか否かを判定（判断）することが好ましい。すなわち、端末装置はＤＳ  ｏｃｃａｓｉｏｎにおいてＰＳＳおよび／またはＳＳＳが検出されなかった場合、ＤＳが送信されなかったと判定（判断）することが好ましい。すなわち、端末装置はＤＳ  ｏｃｃａｓｉｏｎにおいてＰＳＳおよび／またはＳＳＳが検出された場合、ＤＳが送信されたと判定（判断）することが好ましい。なお、ＤＳ  ｏｃｃａｓｉｏｎにおけるＰＳＳおよび／またはＳＳＳとは、ＤＳを構成する（ＤＳに含まれる）ＰＳＳおよび／またはＳＳＳであることが好ましい。
【０１２２】
なお、ＤＳ  ｏｃｃａｓｉｏｎにおけるＰＳＳおよび／またはＳＳＳの検出することとは、ＤＳ  ｏｃｃａｓｉｏｎにおけるＰＳＳおよび／またはＳＳＳが送信されていると端末装置によって仮定されているリソースエレメントにおいて電力が検出されることであることが好ましい。なお、リソースエレメントにおいて電力が検出されることとは、リソースエレメントにおける電力と所定の閾値とを比較してリソースエレメントにおける電力が
所定の閾値を超えていることであることが好ましい。なお、所定の閾値とは関連するテストで定義される閾値であることが好ましく、端末装置が予め保持している閾値であることが好ましい。
【０１２３】
測定結果が閾値より小さかった場合（または測定結果が閾値以下だった場合）とは、１つの測定結果と閾値を比較することで判断されてもよい。具体的には、１つの測定結果と閾値を比較し、１つの測定結果が閾値より小さかった場合（または１つの測定結果が閾値以下だった場合）にＤＳが送信されなかったと判定（判断）することが好ましい。なお、１つの測定結果とは、ある１つのサブフレームにおいて行われた測定の結果であることが好ましい。なお、１つの測定結果とは、ある１つのＤＳ  ｏｃｃａｓｉｏｎ（またはＤＭＴＣ  ｏｃｃａｓｉｏｎ）において行われた測定の結果であることが好ましい。なお、測定はＤＳ  ｏｃｃａｓｉｏｎにおけるＰＳＳおよび／またはＳＳＳの検出に換言することができる。なお、測定結果はＤＳ  ｏｃｃａｓｉｏｎにおけるＰＳＳおよび／またはＳＳＳが送信されていると端末装置によって仮定されているリソースエレメントにおいて検出された電力レベルに換言することができる。
【０１２４】
測定結果が閾値より小さかった場合（または測定結果が閾値以下だった場合）とは、複数の測定結果の平均値と閾値を比較することで判断されてもよい。具体的には、複数の測定結果の平均値と閾値を比較し、複数の測定結果の平均値が閾値より小さかった場合（または複数の測定結果の平均値が閾値以下だった場合）にＤＳが送信されなかったと判定（判断）することが好ましい。なお、複数の測定結果の平均値とは、所定の期間において測定される複数の測定結果の平均値であることが好ましい。なお、所定の期間は上位層によって（上位層シグナリングによって）設定されることが好ましい。なお、所定の期間はサブフレーム単位で設定されることが好ましい。なお、所定の期間はＤＳ  ｏｃｃａｓｉｏｎまたはＤＭＴＣ  ｏｃｃａｓｉｏｎの回数で設定されることが好ましい。例えば、所定の期間としてＤＳ  ｏｃｃａｓｉｏｎの回数にｎ回が設定された端末装置は、ｎ回のＤＳ
ｏｃｃａｓｉｏｎにおいて測定されるｎ個の測定結果を平均することが好ましく、該平均値が閾値を下回った場合にＤＳが送信されなかったと判定（判断）することが好ましい。なお、ｎ回のＤＳ  ｏｃｃａｓｉｏｎとは時間的に連続するｎ回のＤＳ  ｏｃｃａｓｉｏｎであることが好ましい。なお、測定はＤＳ  ｏｃｃａｓｉｏｎにおけるＰＳＳおよび／またはＳＳＳの検出に換言することができる。なお、測定結果はＤＳ  ｏｃｃａｓｉｏｎにおけるＰＳＳおよび／またはＳＳＳが送信されていると端末装置によって仮定されているリソースエレメントにおいて検出された電力レベルに換言することができる。
【０１２５】
測定結果が閾値より小さかった場合（または測定結果が閾値以下だった場合）とは、測定結果が所定の回数連続で閾値を下回った場合であってもよい。具体的には、測定結果と閾値を比較し、所定の回数連続で閾値を下回った場合にＤＳが送信されなかったと判定（判断）することが好ましい。なお、所定の回数は上位層によって（上位層シグナリングによって）設定されることが好ましい。なお、所定の回数はＤＳ  ｏｃｃａｓｉｏｎまたはＤＭＴＣ  ｏｃｃａｓｉｏｎの回数で設定されることが好ましい。例えば、所定の回数としてＤＳ  ｏｃｃａｓｉｏｎの回数にｎ回が設定された端末装置は、ｎ回のＤＳ  ｏｃｃａｓｉｏｎにおいて測定されるｎ個の測定結果が全て閾値を下回った場合にＤＳが送信されなかったと判定（判断）することが好ましい。が好ましい。なお、ｎ回のＤＳ  ｏｃｃａｓｉｏｎとは時間的に連続するｎ回のＤＳ  ｏｃｃａｓｉｏｎであることが好ましい。なお、測定はＤＳ  ｏｃｃａｓｉｏｎにおけるＰＳＳおよび／またはＳＳＳの検出に換言することができる。なお、測定結果はＤＳ  ｏｃｃａｓｉｏｎにおけるＰＳＳおよび／またはＳＳＳが送信されていると端末装置によって仮定されているリソースエレメントにおいて検出された電力レベルに換言することができる。
【０１２６】
測定結果が閾値より小さかった場合（または測定結果が閾値以下だった場合）とは、測
定結果が所定の期間に所定の回数閾値を下回った場合であってもよい。具体的には、測定結果と閾値を比較し、所定の期間に所定の回数閾値を下回った場合にＤＳが送信されなかったと判定（判断）することが好ましい。なお、所定の期間は上位層によって（上位層シグナリングによって）設定されることが好ましい。なお、所定の期間のみが設定され、所定の期間において１回でも測定結果が閾値を下回った場合にＤＳが送信されなかったと判定（判断）することが好ましい。換言すると所定の回数は設定されないことが好ましい。なお、所定の期間はサブフレーム単位で設定されることが好ましい。なお、所定の回数は上位層によって（上位層シグナリングによって）設定されることが好ましい。なお、所定の期間はＤＳ  ｏｃｃａｓｉｏｎまたはＤＭＴＣ  ｏｃｃａｓｉｏｎの回数で設定されることが好ましい。例えば、所定の期間としてＤＳ  ｏｃｃａｓｉｏｎの回数にｎ回が設定された端末装置は、ｎ回のＤＳ  ｏｃｃａｓｉｏｎにおいて測定されるｎ個の測定結果の内所定の個数の測定結果が閾値を下回った場合にＤＳが送信されなかったと判定（判断）することが好ましい。なお、ｎ回のＤＳ  ｏｃｃａｓｉｏｎとは時間的に連続するｎ回のＤＳ  ｏｃｃａｓｉｏｎであることが好ましい。なお、測定はＤＳ  ｏｃｃａｓｉｏｎにおけるＰＳＳおよび／またはＳＳＳの検出に換言することができる。なお、測定結果はＤＳ  ｏｃｃａｓｉｏｎにおけるＰＳＳおよび／またはＳＳＳが送信されていると端末装置によって仮定されているリソースエレメントにおいて検出された電力レベルに換言することができる。
【０１２７】
なお、測定結果と比較する閾値は、上位層によって（上位層シグナリングによって）設定されることが好ましい。
【０１２８】
なお、測定結果と比較する閾値は、物理層シグナリングによって設定されることが好ましい。例えば、ＰＤＣＣＨまたはＰＤＳＣＨで閾値に関連する情報が送信されることが好ましい。
【０１２９】
なお、測定結果と比較する閾値は、端末装置に予め設定されることが好ましい。例えば、端末装置は閾値して用いるデフォルト値を予め保持していることが好ましく、上位層によって（上位層シグナリングによって）新しく閾値が設定された場合に閾値を更新する（置き換える）ことが好ましい。
【０１３０】
ＬＢＴに基づいて実際にＤＳが送信されなかった場合、具体的にはＤＳが送信されなかったことが基地局装置から明示的に通知された場合、または、ＤＳが送信されなかったことが端末装置によって暗示的に判定（判断）された場合、端末装置は該ＤＳが送信されていると想定して測定した周波数の測定結果を上位層（端末装置の上位層、第３層（Ｌａｙｅｒ  ３），ＲＲＣ層）に報告しないことが好ましい。なお、測定結果を上位層へ報告しないとは、物理層（Physical layer、第１層）における測定結果を上位層に報告せず（上げず）破棄することであることが好ましい。なお、測定とはＲＲＭ測定であることが好ましく、ＲＲＭ測定とは、ＲＳＲＰ測定、ＲＳＲＱ測定、ＲＳＳＩ測定、ＣＳＩ−ＲＳＲＰ測定、ＣＳＩ−ＲＳＲＱ測定、ＣＳＩ−ＲＳＳＩ測定の何れであってもよい。
【０１３１】
ＬＢＴに基づいて実際にＤＳが送信されなかった場合、具体的にはＤＳが送信されなかったことが基地局装置から明示的に通知された場合、または、ＤＳが送信されなかったことが端末装置によって暗示的に判定（判断）された場合、端末装置は該ＤＳが送信されていると想定して測定した周波数において測定ができなかったことを上位層（端末装置の上位層、第３層（Ｌａｙｅｒ  ３），ＲＲＣ層）に報告することが好ましい。なお、測定ができなかったことを上位層に報告するとは、測定結果として（物理層の測定結果として）所定の値を上位層へ報告する（上げる）ことであることが好ましい。なお、所定の値とは、ｅｍｐｔｙ, -ｉｎｆｉｎｉｔｙ, ｉｎｆｉｎｉｔｙ, ｎｕｌｌ等であることが好まし
い。なお、測定ができなかったことを上位層に報告した場合、その測定結果に対しては第
２の第３層フィルタリングを適用することが好ましい。なお、ＤＳが実際に送信された場合には、その測定結果に対しては第１の第３層フィルタリングを適用することが好ましい。なお、測定とはＲＲＭ測定であることが好ましく、ＲＲＭ測定とは、ＲＳＲＰ測定、ＲＳＲＱ測定、ＲＳＳＩ測定、ＣＳＩ−ＲＳＲＰ測定、ＣＳＩ−ＲＳＲＱ測定、ＣＳＩ−ＲＳＳＩ測定の何れであってもよい。
【０１３２】
ＬＢＴに基づいて実際にＤＳが送信されなかった場合、具体的にはＤＳが送信されなかったことが基地局装置から明示的に通知された場合、または、ＤＳが送信されなかったことが端末装置によって暗示的に判定（判断）された場合、端末装置は該ＤＳが送信されていると想定して測定した周波数の測定結果に対して第２の第３層フィルタリングを適用することが好ましい。すなわち、端末装置は該ＤＳが送信されていると想定して測定した周波数の測定結果として第２の第３層フィルタリングを適用した測定結果を上位層（端末装置の上位層、第３層（Ｌａｙｅｒ  ３），ＲＲＣ層）に報告することが好ましい。なお、ＤＳが実際に送信された場合には、その測定結果に対しては第１の第３層フィルタリングを適用することが好ましい。なお、測定とはＲＲＭ測定であることが好ましく、ＲＲＭ測定とは、ＲＳＲＰ測定、ＲＳＲＱ測定、ＲＳＳＩ測定、ＣＳＩ−ＲＳＲＰ測定、ＣＳＩ−ＲＳＲＱ測定、ＣＳＩ−ＲＳＳＩ測定の何れであってもよい。
【０１３３】
上位層に報告するとは、下位層（例えば、物理層、端末装置の物理層、第１層（Ｌａｙｅｒ  １））が取得したデータ（下記層におけるデータ）を上位層（端末装置の上位層、第３層（Ｌａｙｅｒ  ３），ＲＲＣ層）に報告することであることが好ましい。なお、上位層に報告するとは、下位層が取得したデータを上位層に渡すことであることが好ましい。なお、上位層に報告するとは、下位層が取得したデータを上位層に提供されることであることが好ましい。なお、上位層に報告するとは、下位層が取得したデータが上位層で用いられることであることが好ましい。なお、上位層に報告するとは、下位層が取得したデータが上位層の処理に用いられることであることが好ましい。なお、上位層に報告するとは、物理層から入力された測定値（サンプル）が第１層フィルタリングを通過する（ブロックされない）ことであることが好ましい。なお、上位層に報告するとは、第３層フィルタリングが適用されることであることが好ましい。なお、上位層に報告するとは、第３層に入力されることであることが好ましい。なお、上位層に報告するとは、リポート基準の評価が行われることであることが好ましい。なお、上位層に報告するとは、下位層が取得したデータに対してリポート基準の評価を行うことであることが好ましい。
【０１３４】
上位層に報告しないとは、下位層（例えば、物理層、端末装置の物理層、第１層（Ｌａｙｅｒ  １））が取得したデータ（下記層におけるデータ）を上位層（端末装置の上位層、第３層（Ｌａｙｅｒ  ３），ＲＲＣ層）に報告しないことであることが好ましい。なお、上位層に報告しないとは、下位層が取得したデータを上位層に渡さないことであることが好ましい。なお、上位層に報告しないとは、下位層が取得したデータを上位層に提供しないことであることが好ましい。なお、上位層に報告しないとは、下位層が取得したデータが上位層で用いられないことであることが好ましい。なお、上位層に報告しないとは、下位層が取得したデータが上位層の処理に用いられないことであることが好ましい。なお、上位層に報告しないとは、物理層から入力された測定値（サンプル）が第１層フィルタリングを通過しない（ブロックされる）ことであることが好ましい。なお、上位層に報告しないとは、第３層フィルタリングが適用されないことであることが好ましい。なお、上位層に報告しないとは、第３層に入力されないことであることが好ましい。なお、上位層に報告しないとは、リポート基準の評価が行われないことであることが好ましい。なお、上位層に報告しないとは、下位層が取得したデータに対してリポート基準の評価を行うことであることが好ましい。
【０１３５】
なお、下位層が取得したデータとは、下位層における測定値、下位層が物理層において
測定した測定値、下位層において測定した測定値に基づく測定値、の何れに換言されてもよい。
【０１３６】
ここで、第１の第３層フィルタリングについて説明する。第１の第３層フィルタリングは図１１の第３層フィルタリング部１３０１２において適用されるフィルターであり、数式（１）を用いたフィルターである。
【０１３７】
（数１）
Ｆｎ＝（１―α）×Ｆｎ−１＋α×Ｍｎ
【０１３８】
ここで、第２の第３層フィルタリングについて説明する。第２の第３層フィルタリングは図１１の第３層フィルタリング部１３０１２において適用されるフィルターであり、数式（２）または数式（３）を用いたフィルターである。
【０１３９】
（数２）
Ｆｎ＝Ｆｎ−１
【０１４０】
（数３）
Ｆｎ＝（１―α）×Ｆｎ−１
【０１４１】
ここで、Ｍｎは物理層からの最新受信測定結果（つまり、図１１のポイントＢにおける測定結果）である。また、Ｆｎはリポート基準の評価または測定のリポートで用いられる更新され、フィルターされた後の測定結果（つまり、図１１のポイントＣまたはＣ′における測定結果）である。また、Ｆｎ−１は以前にフィルターされた測定結果（つまり、過去に測定した図１１のポイントＣまたはＣ′における測定結果）である。なお、Ｆ0は、
物理層からの最初の測定結果を受信したときのＭ１がセットされる。そして、αはＦｎを計算する際に過去の測定結果と最新の測定結果の割合を示すパラメータであり、α＝１／２（ｋ／４）と表される。なお、ｋは物理量設定によって受信された（上位層パラメータとして設定された）、対応する測定量に対するフィルタリング係数（filterCoefficientRSRP, filterCoefficientRSRQ, filterCoefficientCSI-RSRPなど）である。
【０１４２】
すなわち、第２の第３層フィルタリングは、物理層からの最新受信測定結果（つまり、図１１のポイントＢにおける測定結果）に基づかないフィルタリングである。換言すると、第２の第３層フィルタリングは、以前にフィルターされた測定結果（つまり、過去に測定した図１１のポイントＣまたはＣ′における測定結果）のみに基づくフィルタリングである。なお、第２の第３層フィルタリングはフィルタリング係数が適用されてもよい（数（３））。
【０１４３】
すなわち、ＤＳが実際に送信されなかった場合に第２の第３層フィルタリングを適用するとは、端末によって送信が想定されていたが実際には送信されなかったＤＳに基づく最新受信測定結果を用いないことである。すなわち、ＤＳが実際に送信されなかった場合に第２の第３層フィルタリングが適用することで、端末によって送信が想定されていたが実際には送信されなかったＤＳに基づく測定結果を排除することが可能となる。
【０１４４】
ＤＳが送信されたことが明示的に通知される場合の例を、図１２を用いて具体的に説明する。端末装置は各ＤＭＴＣ  ｏｃｃａｓｉｏｎ内のＤＳ  ｏｃｃａｓｉｏｎにおいてＤＳが送信されていると仮定して測定を行っているものとする。例えば、端末装置はＤＭＴＣ  ｏｃｃａｓｉｏｎ＃３内のＤＳ  ｏｃｃａｓｉｏｎにおいてＤＳが送信されていると想定して測定を行う。そして、ＤＭＴＣ  ｏｃｃａｓｉｏｎ＃３より遅くＤＭＴＣ  ｏｃｃａｓｉｏｎ＃４よりも早いサブフレーム（図１２において矢印で示されるタイミング）
において、ＤＭＴＣ  ｏｃｃａｓｉｏｎ＃３内のＤＳ  ｏｃｃａｓｉｏｎにおいてＤＳが送信されなかったことが基地局装置から明示的に通知された場合、端末装置は、ＤＭＴＣ
ｏｃｃａｓｉｏｎ＃３における測定結果を上位層へ報告しない。または、ＤＭＴＣ  ｏｃｃａｓｉｏｎ＃３において測定できなかったことを上位層へ報告する。また、ＤＭＴＣ
ｏｃｃａｓｉｏｎ＃３より遅くＤＭＴＣ  ｏｃｃａｓｉｏｎ＃４よりも早いサブフレーム（図１２において矢印で示されるタイミング）において、ＤＭＴＣ  ｏｃｃａｓｉｏｎ＃３内のＤＳ  ｏｃｃａｓｉｏｎにおいてＤＳが送信されたことが基地局装置から明示的に通知された場合、ＤＭＴＣ  ｏｃｃａｓｉｏｎ＃３における測定結果を上位層へ報告する。
【０１４５】
ＤＳが送信されたことが明示的に通知される場合の例を、図１２を用いて具体的に説明する。端末装置は各ＤＭＴＣ  ｏｃｃａｓｉｏｎ内のＤＳ  ｏｃｃａｓｉｏｎにおいてＤＳが送信されていると仮定して測定を行っているものとする。例えば、端末装置はＤＭＴＣ  ｏｃｃａｓｉｏｎ＃０−３内のＤＳ  ｏｃｃａｓｉｏｎにおいてＤＳが送信されていると想定して測定を行う。そして、ＤＭＴＣ  ｏｃｃａｓｉｏｎ＃３より遅くＤＭＴＣ  ｏｃｃａｓｉｏｎ＃４よりも早いサブフレーム（図１２において矢印で示されるタイミング）において、
ＤＭＴＣ  ｏｃｃａｓｉｏｎ＃０内のＤＳ  ｏｃｃａｓｉｏｎにおいてＤＳが送信された、
ＤＭＴＣ  ｏｃｃａｓｉｏｎ＃１内のＤＳ  ｏｃｃａｓｉｏｎにおいてＤＳが送信されなかった、
ＤＭＴＣ  ｏｃｃａｓｉｏｎ＃２内のＤＳ  ｏｃｃａｓｉｏｎにおいてＤＳが送信されなかった、
ＤＭＴＣ  ｏｃｃａｓｉｏｎ＃３内のＤＳ  ｏｃｃａｓｉｏｎにおいてＤＳが送信された、
ことが基地局装置から明示的に通知された場合、端末装置は、
ＤＭＴＣ  ｏｃｃａｓｉｏｎ＃０における測定結果を上位層へ報告し、
ＤＭＴＣ  ｏｃｃａｓｉｏｎ＃１における測定結果を上位層へ報告せず、
ＤＭＴＣ  ｏｃｃａｓｉｏｎ＃２における測定結果を上位層へ報告せず、
ＤＭＴＣ  ｏｃｃａｓｉｏｎ＃３における測定結果を上位層へ報告する。
または、
ＤＭＴＣ  ｏｃｃａｓｉｏｎ＃０における測定結果を上位層へ報告し、
ＤＭＴＣ  ｏｃｃａｓｉｏｎ＃１において測定できなかったことを上位層へ報告し、
ＤＭＴＣ  ｏｃｃａｓｉｏｎ＃２において測定できなかったことを上位層へ報告し、
ＤＭＴＣ  ｏｃｃａｓｉｏｎ＃３における測定結果を上位層へ報告する。
【０１４６】
更に、ＬＢＴに基づいて実際にＤＳが送信されたと通知された場合、該ＤＳに基づく測定結果を（端末装置の）上位層へ報告することが好ましい。更に、ＬＢＴに基づいて実際にＤＳが送信されていないと通知された場合、該ＤＳに基づく測定結果を（端末装置の）上位層へ報告せず破棄することが好ましい。
【０１４７】
更に、ＬＢＴに基づいて実際にＤＳが送信されたと通知された場合の該ＤＳに基づく測定結果と、ＬＢＴに基づいて実際にＤＳが送信されていないと通知された場合の該ＤＳに基づく測定結果の両方を保持し、測定報告のトリガに従ってその何れを送信してもよい。
【０１４８】
なお、ＬＢＴに基づいてＤＳが送信されるセルにおいて、ＬＢＴに基づいて実際にＤＳが送信されたか否かは、端末装置に通知されてもよい。
【０１４９】
なお、ＬＢＴに基づいてＤＳが送信されるセルにおいて、ＬＢＴに基づいて実際にＤＳが送信されたか否かは、端末装置によって判定されてもよい。例えば、端末装置が物理層
においてＤＳに基づいた測定（ＤＳが送信されていると考慮されるリソースエレメントの電力レベルの測定、および／または、後述するＤＳに基づくＲＳＲＰ測定、ＤＳに基づくＲＳＲＱ測定、ＤＳに基づくＲＳＳＩ測定、など）を行い、測定結果を閾値と比較し測定結果が閾値を超えていた場合、端末装置はＬＢＴに基づいて実際にＤＳが送信されたと判定することが好ましい。
【０１５０】
更に、ＬＢＴに基づいて実際にＤＳが送信されたと判定された場合、該ＤＳに基づく測定結果を（端末装置の）上位層へ報告することが好ましい。更に、ＬＢＴに基づいて実際にＤＳが送信されていないと判定された場合、該ＤＳに基づく測定結果を（端末装置の）上位層へ報告せず破棄することが好ましい。なお、閾値は上位層のシグナリングまたは物理層のシグナリングによって端末装置に通知（設定）されることが好ましい。
【０１５１】
更に、ＬＢＴに基づいて実際にＤＳが送信されたと判定された場合の該ＤＳに基づく測定結果と、ＬＢＴに基づいて実際にＤＳが送信されていないと判定された場合の該ＤＳに基づく測定結果の両方を保持し、測定報告のトリガに従ってその何れまたはその何れに基づいて算出された値を送信してもよい。
【０１５２】
すなわち、本発明の一様態による端末装置は、基地局装置と通信する端末装置であって、測定対象に関する設定に基づいて、測定対象（Measurement objects）が設定される上
位層処理部と、前記測定対象に基づいて、第１の周波数のための測定を行う測定部と、ＤＣＩフォーマットの検出を試みる検出部と、を備え、前記測定対象に関する設定は、少なくとも前記第１の周波数における測定に用いられる検出信号測定設定（measDS-Config）
を含み、前記測定部は、前記第１の周波数のための前記検出信号測定設定に従って検出信号（Discovery Signal）に基づく測定を行い、検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値を上位層で用いないことを特徴とする端末装置である。
【０１５３】
また、本発明の一様態による端末装置は上述の端末装置であって、前記上位層で用いないとは、前記物理層が取得した測定値に基づく測定値を上位層に提供しないことであることを特徴とする。
【０１５４】
また、本発明の一様態による端末装置は上述の端末装置であって、前記上位層で用いないとは、前記物理層の測定値に基づく測定値に対してリポート基準の評価が行われないことであることを特徴とする。
【０１５５】
また、本発明の一様態による端末装置は上述の端末装置であって、前記上位層で用いないとは、前記物理層の測定値に基づく測定値に対して所定のフィルタリングが適用されることであることを特徴とする。
【０１５６】
また、本発明の一様態による端末装置は上述の端末装置であって、前記所定のフィルタリングとは物理層からの最新受信測定結果に基づかず、かつ、以前にフィルターされた測定結果に基づくフィルタリングであることを特徴とする。
【０１５７】
また、本発明の一様態による端末装置は上述の端末装置であって、前記所定のフィールドにマップされる情報ビットによって、前記ＤＣＩフォーマットが検出されたサブフレームよりも前で、かつ、最近の１つのＤＳ  ｏｃｃａｓｉｏｎにおいて前記検出信号が送信されたか否かが示されることを特徴とする。
【０１５８】
また、本発明の一様態による端末装置は上述の端末装置であって、前記所定のフィールドを伴うＤＣＩフォーマットは、前記あるＤＳ  ｏｃｃａｓｉｏｎから所定のサブフレーム後に送信されると想定して検出を試みる、ことを特徴とする。
【０１５９】
また、本発明の一様態による端末装置は上述の端末装置であって、前記所定のフィールドを伴うＤＣＩフォーマットは、ＤＳ  ｏｃｃａｓｉｏｎに関連する設定がされた場合にのみ検出を試みる、ことを特徴とする。
【０１６０】
また、本発明の一様態による端末装置は上述の端末装置であって、前記第１の周波数はアンライセンスバンドであることを特徴とする。
【０１６１】
すなわち、本発明の一様態による基地局装置は、端末装置と通信する基地局装置であって、測定対象（Measurement objects）の設定に関する上位層パラメータを送信する上位
層パラメータ送信部と、前記測定対象に基づく、第１の周波数のための測定の報告を受信する受信部と、ＤＣＩフォーマットを送信する送信部と、を備え、前記測定対象に関する設定は、少なくとも前記第１の周波数における測定に用いられる検出信号測定設定（measDS-Config）を含み、前記受信部は、前記第１の周波数のための前記検出信号測定設定に
従う検出信号（Discovery Signal）に基づく測定の報告を受信し、検出された前記ＤＣＩフォーマットの所定のフィールドにマップされる情報ビットによってあるＤＳ  ｏｃｃａｓｉｏｎにおける前記検出信号が送信されなかったことが示された場合、前記あるＤＳ  ｏｃｃａｓｉｏｎにおける物理層の測定値に基づく測定値に関連する測定の報告の受信を期待しないことを特徴とする基地局装置である。
【０１６２】
すなわち、本発明の一様態による端末装置は、基地局装置と通信する端末装置であって、上位層パラメータを受信する受信部と、ＤＣＩフォーマットの検出を試みる検出部を備え、前記検出部は、前記上位層パラメータに基づいて、ＤＣＩフォーマットに所定のフィールドが存在することが示された場合、前記所定のフィールドを伴うペイロードサイズのＤＣＩフォーマットの検出を試み、前記所定のフィールドは、あるＤＳ  ｏｃｃａｓｉｏｎにおける検出信号（Discovery Signal）が送信されたか否かを示す情報ビットがマップされるフィールドであることを特徴とする端末装置である。
【０１６３】
また、本発明の一様態による端末装置は上述の端末装置であって、前記所定のフィールドのサイズは上位層によって設定されることを特徴とする。
【０１６４】
また、本発明の一様態による端末装置は上述の端末装置であって、前記情報ビットが、何れの搬送波周波数のセルおける前記検出信号の送信を示すかは、上位層によって設定されることであることを特徴とする。
【０１６５】
また、本発明の一様態による端末装置は上述の端末装置であって、前記所定のフィールドを伴うペイロードサイズのＤＣＩフォーマットは、下りリンク送信のためのＬＢＴ（Listen Before Talk）を必要としないセル上でのみ検出を試みることを特徴とする。
【０１６６】
また、本発明の一様態による端末装置は上述の端末装置であって、前記所定のフィールドにマップされる情報ビットによって、前記ＤＣＩフォーマットが検出されたサブフレームよりも前で、かつ、最近の１つのＤＳ  ｏｃｃａｓｉｏｎにおいて前記検出信号が送信されたか否かが示されることを特徴とする。
【０１６７】
また、本発明の一様態による端末装置は上述の端末装置であって、前記所定のフィールドを伴うＤＣＩフォーマットは、前記あるＤＳ  ｏｃｃａｓｉｏｎから所定のサブフレーム後に送信されると想定して検出を試みることを特徴とする。
【０１６８】
また、本発明の一様態による端末装置は上述の端末装置であって、前記受信部は、更に前記ＤＣＩフォーマットにＣａｒｒｉｅｒ  Ｉｎｄｉｃａｔｏｒフィールドが存在するか否かを示す上位層パラメータを受信することを特徴とする。
【０１６９】
次に、端末装置で測定された測定値を上位層へ報告する仕組みを説明する。
【０１７０】
測定のモデルについて説明する。図１１は、測定のモデルの一例を示す図である。
【０１７１】
測定部１３０１は、第１層フィルタリング部１３０１１、第３層フィルタリング部１３０１２、およびリポート基準の評価部１３０１３を含んで構成されてもよい。なお、測定部１３０１は、受信部１０５および上位層処理部１０１の一部の機能を含んで構成されてもよい。具体的には、第１層フィルタリング部１３０１１は受信部１０５に含まれており、第３層フィルタリング部１３０１２、およびリポート基準の評価１３０１３は上位層処理部１０１に含まれて構成されてもよい。
【０１７２】
物理層から入力された測定値（サンプル）は、第１層フィルタリング（Layer 1 filtering）部１３０１１によってフィルターが掛けられる。第１層フィルタリング部１３０１
１は、例えば、複数の入力値の平均、重み付け平均、チャネル特性に追従した平均などが適用され、その他のフィルター方法を適用してもよい。第１層から報告された測定値は第１層フィルタリング部１３０１１のあとに第３層に入力される。第３層フィルタリング（Layer 3 filtering）部１３０１２に入力された測定値はフィルターが掛けられる。第３
層フィルタリングの設定はＲＲＣシグナリングから提供される。第３層フィルタリング部１３０１２でフィルタリングされて報告される間隔は、入力された測定間隔と同じである。リポート基準の評価部１３０１３では、実際に測定値の報告が必要かどうかを検査する。評価は１つ以上の測定のフローに基づいている。例えば、異なる測定値間の比較などである。端末装置は、少なくとも新しい測定結果が報告された度にリポート基準の評価を行う。リポート基準の設定はＲＲＣシグナリングによって提供される。リポート基準の評価で測定値の報告が必要だと判断された後、端末装置は、測定報告情報（測定報告メッセージ）を、無線インターフェースを介して伝送する。
【０１７３】
第１層フィルタリング部１３０１１（つまり、物理層）から出力された測定結果は、第３層フィルタリング部１３０１２を通過する際に（つまり、リポート基準の評価または測定のリポートで用いられる前に）、数式（１）を用いたフィルターが掛けられる。
【０１７４】
（数１）
Ｆｎ＝（１―α）×Ｆｎ−１＋α×Ｍｎ
【０１７５】
ここで、Ｍｎは物理層からの最新受信測定結果（つまり、図１１のポイントＢにおける測定結果）である。また、Ｆｎはリポート基準の評価または測定のリポートで用いられる更新され、フィルターされた後の測定結果（つまり、図１１のポイントＣまたはＣ′における測定結果）である。また、Ｆｎ−１は以前にフィルターされた測定結果（つまり、過去に測定した図１１のポイントＣまたはＣ′における測定結果）である。なお、Ｆ0は、
物理層からの最初の測定結果を受信したときのＭ１がセットされる。そして、αはＦｎを計算する際に過去の測定結果と最新の測定結果の割合を示すパラメータであり、α＝１／２（ｋ／４）と表される。なお、ｋは物理量設定によって受信された（上位層パラメータとして設定された）、対応する測定量に対するフィルタリング係数（filterCoefficientRSRP, filterCoefficientRSRQ, filterCoefficientCSI-RSRPなど）である。例えば、図１
１のポイントＣまたはＣ′において、ＲＳＲＰの測定結果を得るためには、ＲＳＲＰに関するフィルタリング係数（filterCoefficientRSRP）が適用される。また、図１１のポイ
ントＣまたはＣ′において、ＲＳＲＱの測定結果を得るためには、ＲＳＲＱに関するフィルタリング係数（filterCoefficientRSRQ）が適用される。つまり、測定の種類に応じて
、適用されるフィルタリング係数は異なってもよい。しかし、上位層シグナリングを介して、対応するフィルタリング係数が設定されない場合には、端末装置は、デフォルト値を用いて、図１１のポイントＣまたはＣ′における測定結果を得てもよい。なお、第３層フィルタリング部１３０１２において適用されるフィルタリング係数を第３層フィルタリング係数と称してもよい。
【０１７６】
端末装置は、フィルターを適用することで、異なる入力間隔であっても時間的性質を保つ。フィルター係数ｋは２００ｍｓと同じサンプル間隔を仮定する。
【０１７７】
ｋが０にセットされた場合、第３層フィルタリングは適用されない。つまり、端末装置は、ｋが０にセットされた場合、第３層フィルタリングを適用した測定結果を得なくてもよい。
【０１７８】
フィルタリングは、リポート基準の評価または測定のリポートで用いられるドメインと同じドメインで行われる。例えば、対数の特性を有する測定に対しては、対数の特性を有するフィルタリングが適用されてもよい。
【０１７９】
フィルターに入力される間隔は、自由に設定できる（つまり、実装に依存してもよい）。
【０１８０】
Ｆｎを取得する際に、ＭｎとＦｎ−１が異なる測定方法による測定結果である場合、Ｆｎ−１をリセットしてもよい。例えば、Ｆｎ−１はＣＲＳに対するＲＳＲＰの測定結果であり、ＭｎがＣＳＩ−ＲＳに対するＲＳＲＰの測定結果であった場合など、測定対象が変更された場合は、Ｆｎ−１をリセットしてもよい。つまり、ＦｎにＭｎのみが適用されてもよい（つまり、Ｆｎ＝Ｍｎ）。
【０１８１】
第３層フィルタリング係数は物理量設定（quantityConfig）を用いて指定される。第３層フィルタリング係数は、最新の測定結果と、過去のフィルタリング測定結果との比（割合）を規定するために用いられる（つまり、αを計算するために用いられる）。なお、第３層フィルタリングは、単にフィルタリングと称されてもよい。
【０１８２】
次に、本実施形態に係る第３層フィルタリング係数（L3 filtering coefficient）の設定方法の一例を示す。
【０１８３】
各測定に対応する、種々の第３層フィルタリング係数は、物理量設定（quantityConfig）に含まれることが好ましい。
【０１８４】
物理量設定には、ＥＵＴＲＡに関する第１の物理量設定（quantityConfigEUTRA）が含
まれることが好ましい。ＥＵＴＲＡに関する第１の物理量設定には、ＣＲＳに基づくＲＳＲＰ測定に用いられるフィルタリング係数（filterCoefficientRSRP）とＣＲＳに基づく
ＲＳＲＱ測定に用いられるフィルタリング係数（filterCoefficientRSRQ）が含まれるこ
とが好ましい。なお、ＥＵＴＲＡに関する第１の物理量設定に含まれるフィルタリング係数にはデフォルト値がセットされていることが好ましい（例えば、ｆｃ４）。
【０１８５】
物理量設定には、ＥＵＴＲＡに関する第２の物理量設定（quantityConfigEUTRA-v12）
が含まれてもよい。ＥＵＴＲＡに関する第２の物理量設定には、ＣＳＩ−ＲＳに基づくＲＳＲＰ測定に用いられるフィルタリング係数（filterCoefficientCSI-RSRP）が含まれる
ことが好ましい。
【０１８６】
物理量設定に、さらに、ＥＵＴＲＡに関する第３の物理量設定（quantityConfigEUTRA-v13もしくはquantityConfigEUTRA-U）が含まれる場合、ＥＵＴＲＡに関する第１の物理量設定や第２の物理量設定とは個別にＣＲＳに基づくＲＳＲＰ測定に用いられるフィルタリング係数、ＣＲＳに基づくＲＳＲＱ測定に用いられるフィルタリング係数、ＣＳＩ−ＲＳに基づくＲＳＲＰ測定に用いられるフィルタリング係数、ＣＳＩ−ＲＳに基づくＲＳＲＱ測定に用いられるフィルタリング係数、ＲＳＳＩ測定に用いられるフィルタリング係数のうち、少なくとも１つが含まれてもよい。なお、ＥＵＴＲＡに関する第３の物理量設定に含まれるフィルタリング係数のデフォルト値は“０（またはｆｃ０）”にセットされていることが好ましい。
【０１８７】
なお、ＥＵＴＲＡに関する第２の物理量設定と第３の物理量設定は、オプションとして追加される設定である。例えば、端末装置において、特定の機能（能力）を有することが基地局装置に通知された場合に、設定されるパラメータである。
【０１８８】
なお、ＥＵＴＲＡに関する第３の物理量設定には、第３の物理量設定に対応する識別子（quantityConfigId）が含まれてもよい。第３の物理量設定が複数設定される場合には、複数の識別子が設定されてもよい。第３の物理量設定に対応する識別子は、測定設定に対応する識別子（measId）と測定対象設定に対応する識別子（measObjectId）と報告設定に対応する識別子（reportConfigId）と紐付けられてもよい。つまり、対応する測定対象設定識別子および報告設定識別子に対応する測定結果に対して該第３の物理量設定識別子と対応するフィルタリング係数が適用されてもよい。なお、測定設定、測定対象設定、報告設定はそれぞれ、ＥＵＴＲＡに関する設定である。
【０１８９】
また、ＥＵＴＲＡに関する第３の物理量設定は、測定対象設定に含まれてもよい。つまり、該測定対象設定に含まれた搬送波周波数における測定結果に対してのみ該第３の物理量設定に含まれたフィルタリング係数が適用されてもよい。
【０１９０】
なお、ＥＵＴＲＡに関する第３の物理量設定が測定対象設定に含まれる場合、検出セル、および／または、隣接セルリストに記載されているセル、および／または、ブラックリストに記載されているセルに対して、フィルタリング係数が設定されてもよい。例えば、リスト化されているセルに対しては、リストに対して共通のフィルタリング係数が設定されてもよいし、リスト化されているセルそれぞれに対してフィルタリング係数が設定されてもよい。
【０１９１】
また、ＥＵＴＲＡに関する第３の物理量設定が測定対象設定に含まれる場合、フィルタリング係数に関する情報はリスト化されてもよい。リスト化されたフィルタリング係数に関する情報はそれぞれ、セルのリストに含まれる物理層セル識別子やセルインデックスと紐付けられてもよい。
【０１９２】
物理量設定に、ＥＵＴＲＡに関する第３の物理量設定が含まれるとすれば、該第３の物理量設定が含まれるフィルタリング係数は、所定の周波数が設定された測定対象設定に対する測定結果にのみ適用されてもよい。例えば、所定の周波数がアンライセンスバンドまたはＬＡＡバンドに属する周波数である場合に、該所定の周波数を含む測定対象における測定結果に対してのみ該フィルタリング係数は適用されてもよい。所定の周波数以外の周波数における測定対象に対応する測定結果には、該第３の物理量設定に含まれるフィルタリング係数が適用されないことが好ましい。その場合、所定の周波数以外の搬送波周波数における測定対象に対応する測定結果には、ＥＵＴＲＡに関する第１の物理量設定および／または第２の物理量設定に含まれるフィルタリング係数が適用されることが好ましい。なお、各物理量設定において、フィルタリング係数が設定されていない場合には、端末装
置は、各周波数において、個別に設定されたデフォルト値に基づいて測定結果にフィルタリングを適用してもよい。
【０１９３】
なお、所定の周波数は、ＬＡＡセルで用いられる周波数であることが好ましい。なお、所定の周波数は、ＬＢＴに基づいてＤＳが送信されるセルの周波数であることが好ましい。なお、所定の周波数は、アンライセンスバンドで運用されるセルの周波数であることが好ましい。なお、所定の周波数は、オペレーティングバンドの所定のインデックスに対応するオペレーティングバンドの周波数であることが好ましい。なお、所定の周波数は、ＬＡＡのオペレーティングバンドのインデックスに対応するオペレーティングバンドの周波数であることが好ましい。なお、上記所定の周波数は、オペレーティングバンド（Ｅ−ＵＴＲＡオペレーティングバンド）の所定のインデックスに対応するオペレーティングバンドであることが好ましい。例えば、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオペレーティングバンドであり、ダウンリンクオペレーティングバンドは基地局装置における送信および端末装置における受信に使用されるオペレーティングバンドである。なお、アップリンクオペレーティングバンドとダウンリンクオペレーティングバンドは、それぞれ下限の周波数と上限の周波数（対応する周波数帯）で与えられることが好ましい。なお、デュプレックスモードはＴＤＤまたはＦＤＤで与えられることが好ましい。なお、ＬＡＡセルにおけるデュプレックスモードは、ＴＤＤとＦＤＤ以外であってもよい。例えば、ＬＡＡセルにおけるデュプレックスモードは、後述する送信バースト（少なくともダウンリンクバーストを含む、アップリンクバーストを含むか否かは任意）であってもよい。
【０１９４】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“２５２”からインデックス“２５５”に対応するオペレーティングバンドはアンライセンスドバンド（ＬＡＡのバンド）であることが好ましい。なお、インデックス“２５２”には、アップリンクオペレーティングバンドが適用されず（n/a, not applicable）、ダウンリンクオペレーティングバン
ドに５１５０ＭＨｚ−５２５０Ｈｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（n/a, not applicable）
、ダウンリンクオペレーティングバンドに５７２５ＭＨｚ−５８５０Ｈｚが適用され、デュプレックスモードにＦＤＤが適用されることが好ましい。なお、５１５０ＭＨｚ−５２５０Ｈｚと５７２５ＭＨｚ−５８５０Ｈｚはアンライセンスドバンド（ＬＡＡのバンド）であることが好ましい。すなわち、上記所定の周波数は、インデックス“２５２”からインデックス“２５５”に対応するオペレーティングバンドであることが好ましい。
【０１９５】
なお、キャリアアグリゲーションのためのバンドコンビネーションがテーブルで与えられる場合、集約されている複数のオペレーティングバンドの内、ＬＡＡバンドに対応するオペレーティングバンドのインデックスに対応する周波数の測定に対してのみＥＵＴＲＡに関する第３の物理量設定に含まれるフィルタリング係数が適用されることが好ましい。
【０１９６】
なお、本実施形態において、quantityConfigE-UTRAは第１の上位層パラメータと称されてもよい。なお、quantityConfigE-UTRAは従来の（第１の）上位層パラメータと称されてもよい。なお、quantityConfigE-UTRA-v12は第２の上位層パラメータと称されてもよい。なお、quantityConfigE-UTRA-v12は従来の（第２の）上位層パラメータと称されてもよい。なお、quantityConfigE-UTRAによって指定されるフィルタリング係数は、第１のフィルタリング係数と称されてもよい。なお、quantityConfigE-UTRAによって指定されるフィルタリング係数は、従来のフィルタリング係数と称されてもよい。なお、quantityConfigE-UTRA-v13によって指定されるフィルタリング係数は、第２のフィルタリング係数と称されてもよい。なお、quantityConfigE-UTRA-v13によって指定されるフィルタリング係数は、新しいフィルタリング係数と称されてもよい。
【０１９７】
換言すると、ライセンスバンドのための周波数における測定（ＲＳＲＰおよび／またはＲＳＲＱおよび／またはＲＳＳＩおよび／またはＣＳＩ−ＲＳＲＰおよび／またはＣＳＩ−ＲＳＲＱおよび／またはＣＳＩ−ＲＳＳＩのための測定）と、アンライセンスバンド（ＬＡＡバンド）のための周波数における測定（ＲＳＲＰおよび／またはＲＳＲＱおよび／またはＲＳＳＩおよび／またはＣＳＩ−ＲＳＲＰおよび／またはＣＳＩ−ＲＳＲＱおよび／またはＣＳＩ−ＲＳＳＩのための測定）で異なるフィルタリング係数を用いることが好ましい。つまり、ライセンスバンドのための周波数における測定のフィルタリング係数と、アンライセンスバンド（ＬＡＡバンド）のための周波数における測定のフィルタリング係数（は上位層によって独立に設定されることが好ましい。
【０１９８】
なお、端末装置に1つの周波数（またはバンド）における測定のための複数のフィルタ
リング係数が設定され、基地局からのシグナリングによって、該周波数（または該バンド）における測定毎に何れのフィルタリング係数を適用するかを指示（指定）されてもよい。例えば、端末装置に第１の周波数（または第１のバンド）における測定のための第１のフィルタリング係数と第２のフィルタリング係数が設定され、上位層のシグナリングによって、該第１の周波数（または該第1のバンド）における測定のために、第１のフィルタ
リング係数または第２のフィルタリング係数の何れを適用するか指示されてもよい。なお、何れのフィルタリング係数を使用するかは物理層の信号（例えば、ＰＤＣＣＨ／ＥＰＤＣＣＨ）を用いて指示されてもよい。
【０１９９】
なお、端末装置に1つの周波数（またはバンド）における測定のための複数のフィルタ
リング係数が設定され、該周波数（または該バンド）における測定毎に何れのフィルタリング係数を適用するかは、端末装置によって判定（判断、選択）されてもよい。例えば、端末装置に第１の周波数（または第１のバンド）における測定のための第１のフィルタリング係数と第２のフィルタリング係数が設定され、ＤＳが送信されたか否かを示すことに関連する情報に基づいて、該第１の周波数（または該第1のバンド）における測定のため
に、第１のフィルタリング係数または第２のフィルタリング係数の何れを適用するか指示されてもよい。なお、ＤＳが送信されたか否かを示すことに関連する情報に基づいて、実際にＤＳが送信されたと判定された場合は第１のフィルタリング係数を用いることが好ましく、ＤＳが送信されたか否かを示すことに関連する情報に基づいて、実際にＤＳが送信されなかったと判定された場合は第２のフィルタリング係数を用いることが好ましい。なお、ＤＳが送信されたか否かを示すことに関連する情報は、基地局装置から明示的に通知される情報であってもよいし、端末装置がＤＳの受信電力を所定の閾値と比較することで獲得する情報であってもよい。
【０２００】
なお、第１の周波数に対応する複数の測定対象に対して、第１のフィルタリング係数が適用され、第２の周波数に対応する複数の測定対象に対して、第２のフィルタリング係数が適用されることが好ましい。換言すると、第１の周波数に関連する測定に対応する複数
の測定対象に対して、第１のフィルタリング係数が適用され、第２の周波数に関連する測定に対応する複数の測定対象に対して、第２のフィルタリング係数が適用されることが好ましい。例えば、あるライセンスバンドの周波数に対応する複数の測定対象に対して、第１のフィルタリング係数が適用され、あるＬＡＡバンドの周波数に対応する複数の測定対象に対して、第２のフィルタリング係数が適用されることが好ましい。
【０２０１】
また、ＥＵＴＲＡに関する第３の物理量設定がＤＳ測定設定に含まれる場合、対応するＤＳに基づく測定結果に対してのみ該第３の物理量設定に含まれるフィルタリング係数が適用されてもよい。
【０２０２】
また、ＥＵＴＲＡに関する第３の物理量設定がＤＳ測定設定内のＣＳＩ−ＲＳ設定に含まれる場合、対応するＣＳＩ−ＲＳに基づく測定結果に対してのみ該第３の物理量設定に含まれるフィルタリング係数が適用されてもよい。
【０２０３】
ＬＡＡバンドの周波数に関連する測定を除いた全ての測定に対して、端末装置は、報告基準（レポーティング基準）の評価のために測定結果を使用する前に、第３層フィルタリングを適用してもよい。それに対して、ＬＡＡバンドの周波数に関連する測定のために、端末装置は、報告基準（レポーティング基準）の評価のために測定結果を使用する前に、第３層フィルタリングを適用しないことが好ましい。
【０２０４】
なお、「第３層フィルタリング（Layer 3 filtering）を適用しない」とは、該測定の
ために第３層フィルタリング係数に“０”が設定された場合と同じであることが好ましい。例えば、端末装置に何れかの第３層フィルタリング係数が設定されていたとしても、前記設定にかかわらず端末装置は測定のための第３層フィルタリング係数に“０”を設定することである。なお、「第３層フィルタリングを適用しない」とは、物理層からの最新の測定結果のみに基づく出力がフィルター適用後の出力であることが好ましい。なお、「第３層フィルタリングを適用しない」とは、古い（前の）フィルターされた測定結果に基づかない出力がフィルター適用後の出力であることが好ましい。
【０２０５】
換言すると、端末装置は所定の周波数に関連する測定のための第３層フィルタリング係数に“０”が設定されていると想定することが好ましい。例えば、端末装置はＬＡＡバンドの周波数に関連する測定のためのフィルタリング係数に“０”が設定されていると想定することが好ましい。
【０２０６】
なお、フィルタリング係数は、所定のバンド（所定の周波数）を除いたバンドのみに適用可能であることが好ましい。換言すると、所定のバンドのためにフィルタリングは適用されないことが好ましい。なお、本実施形態において「フィルタリングが適用されない」とは、少なくとも「端末装置が、ｋが“０”にセットされていると想定する」ことを含んでいる。
【０２０７】
また、ＥＵＴＲＡに関する第３の物理量設定が報告設定に含まれる場合、該報告設定に対応する測定結果を報告する際にのみ、該第３の物理量設定に含まれるフィルタリング係数が適用されてもよい。また、ＥＵＴＲＡに関する第３の物理量設定が報告設定に含まれる場合、イベントトリガ条件と対応付けて設定されてもよい。つまり、特定のイベントに対してのみ該第３の物理量設定に含まれるフィルタリング係数が適用されてもよい。
【０２０８】
なお、測定および／または報告に関連する設定は上位層（上位レイヤ、ハイヤーレイヤ、higher layer）によって行われることが好ましい。換言すると、端末装置は、上位層からの信号に基づいて測定および／または報告に関連する設定を設定されることが好ましい。換言すると、測定および／または報告に関連するパラメータ（情報）は端末装置の上位
層処理部（上位レイヤ処置部、ハイヤーレイヤ処理部）によって設定されることが好ましい。
【０２０９】
次に、測定（measurement）について説明する。基地局装置は、端末装置に対して、Ｒ
ＲＣシグナリング（無線リソース制御信号）のＲＲＣ接続再設定（RRC Connection Reconfiguration）メッセージを使って、測定設定（Measurement configuration）メッセージ
を送信する。端末装置は、測定設定（Measurement configuration）メッセージに含まれ
るシステム情報を設定するとともに、通知されたシステム情報に従って、サービングセル（serving cell）および隣接セル（リストセル（listed cell）および／または検出セル
（detected cell）を含む）に対する測定、イベント評価、測定報告を行う。リストセル
は、測定対象（Measurement object）にリストされているセル（基地局装置から端末装置へ隣接セルリストとして通知されているセル）であり、検出セルは、測定対象（Measurement object）によって指示された周波数において端末装置が検出したが、測定対象（Measurement object）にはリストされていないセル（隣接セルリストとして通知されていない端末装置自身が検出したセル）である。
【０２１０】
測定（measurement）には、３つのタイプ（周波数内測定（intra-frequency measurements）、周波数間測定（inter-frequency measurements）、無線アクセス技術間測定（inter-RAT measurements））がある。周波数内測定（intra-frequency measurements）は、
サービングセルの下りリンク周波数（下りリンク周波数）での測定である。周波数間測定（inter-frequency measurements）は、サービングセルの下りリンク周波数とは異なる周波数での測定である。無線アクセス技術間測定（inter-RAT measurements）は、サービングセルの無線技術（例えばEUTRA）とは異なる無線技術（例えばUTRA、GERAN，CDMA2000など）での測定である。
【０２１１】
測定設定（Measurement configuration）メッセージには、測定識別子（measId）、測
定対象（Measurement objects）、報告設定（Reporting configurations）の設定の追加
および／または修正および／または削除、物理量設定（quantityConfig）、測定ギャップ設定（measGapConfig）、サービングセル品質閾値（s-Measure）などが含まれる。
【０２１２】
測定ギャップ設定（measGapConfig）は、測定ギャップパターン（measurement gap pattern）の設定や、測定ギャップ（measurement gap）の活性化（activation）／非活性化
（deactivation）を制御するために利用される。測定ギャップ設定（measGapConfig）で
は、測定ギャップを活性化させる場合の情報として、ギャップパターン（gap pattern）
、開始システムフレーム番号（startSFN）、開始サブフレーム番号（startSubframeNumber）が通知される。ギャップパターン（gap pattern）は、測定ギャップ（measurement gap）として、どのパターンを使うかを規定する。開始システムフレーム番号（startSFN）
は、測定ギャップ（measurement gap）を開始するシステムフレーム番号（SFN: System Frame Number）を規定する。開始サブフレーム番号（startSubframeNumber）は、測定ギャップ（measurement gap）を開始するサブフレーム番号を規定する。
【０２１３】
測定ギャップとは、上りリンク／下りリンク送信がスケジュールされていない場合に、端末装置が測定を行なうために利用する可能性のある期間（時間、サブフレーム）のことである。
【０２１４】
サービングセル品質閾値（s-Measure）は、サービングセル（serving cell）の品質に
関する閾値を表し、端末装置が測定（measurement）を行う必要があるか否かを制御する
ために利用される。サービングセル品質閾値（s-Measure）は、ＲＳＲＰに対する値とし
て設定される。
【０２１５】
ここで、測定識別子（measId）は、測定対象（Measurement objects）と、報告設定（Reporting configurations）とをリンクさせるために利用され、具体的には、測定対象識
別子（measObjectId）と報告設定識別子（reportConfigId）とをリンクさせる。測定識別子（measId）には、一つの測定対象識別子（measObjectId）と一つの報告設定識別子（reportConfigId）が対応付けられる。測定設定（Measurement configuration）メッセージ
は、測定識別子（measId）、測定対象（Measurement objects）、報告設定（Reporting configurations）の関係に対して追加・修正・削除することが可能である。
【０２１６】
measObjectToRemoveListは、指定された測定対象識別子（measObjectId）および指定された測定対象識別子（measObjectId）に対応する測定対象（Measurement objects）を削
除するコマンドである。この際、指定された測定対象識別子（measObjectId）に対応付けられたすべての測定識別子（measId）は、削除される。このコマンドは、同時に複数の測定対象識別子（measObjectId）の指定が可能である。
【０２１７】
measObjectToAddModifyList（または、measObjectToAddModListと称してもよい）は、
指定された測定対象識別子（measObjectId）を指定された測定対象（Measurement objects）に修正、または、指定された測定対象識別子（measObjectId）と指定された測定対象
（Measurement objects）を追加するコマンドである。このコマンドは、同時に複数の測
定対象識別子（measObjectId）の指定が可能である。
【０２１８】
reportConfigToRemoveListは、指定された報告設定識別子（reportConfigId）および指定された報告設定識別子（reportConfigId）に対応する報告設定（Reporting configurations）を削除するコマンドである。この際、指定された報告設定識別子（reportConfigId）に対応付けられたすべての測定識別子（measId）は、削除される。このコマンドは、同時に複数の報告設定識別子（reportConfigId）の指定が可能である。
【０２１９】
measIdToRemoveListは、指定された測定識別子（measId）を削除するコマンドである。この際、指定された測定識別子（measId）に対応付けられた測定対象識別子（measObjectId）と報告設定識別子（reportConfigId）は、削除されずに維持される。このコマンドは、同時に複数の測定識別子（measId）の指定が可能である。
【０２２０】
measIdToAddModifyListは、指定された測定識別子（measId）を指定された測定対象識
別子（measObjectId）と指定された報告設定識別子（reportConfigId）に対応付けるように修正、または、指定された測定対象識別子（measObjectId）と指定された報告設定識別子（reportConfigId）を指定された測定識別子（measId）に対応付けし、指定された測定識別子（measId）を追加するコマンドである。このコマンドは、同時に複数の測定識別子（measId）の指定が可能である。
【０２２１】
測定対象（Measurement objects）は、無線アクセス技術（RAT：Radio Access Technology）および周波数ごとに規定されている。また、報告設定（Reporting configurations
）は、EUTRAに対する規定と、EUTRA以外のRATに対する規定がある。
【０２２２】
測定対象（Measurement objects）には、測定対象識別子（measObjectId）と対応付け
られた測定対象EUTRA（measObjectEUTRA）などが含まれる。
【０２２３】
なお、１つの周波数において複数の測定対象の設定が行われる場合は、１つの周波数のために複数の測定対象（Measurement objects）が設定される。換言すると、１つの周波
数において複数の測定対象の設定が行われる場合は、１つの周波数に対応する複数の測定対象（Measurement objects）が設定される。１つの周波数において複数の測定対象の設
定が行われる場合は、１つの周波数に対応する複数の測定のために複数の測定対象（Meas
urement objects）が設定される。換言すると、複数の測定対象に対して共通の周波数が
設定されてもよい。換言すると、複数の測定対象に対して同じEUTRA搬送波周波数情報（eutra-CarrierInfoまたはcarrierFreq）が設定されてもよい。
【０２２４】
測定対象識別子（measObjectId）は、測定対象（Measurement objects）の設定を識別
するために使用する識別子である。測定対象（Measurement objects）の設定は、前述の
ように、無線アクセス技術（RAT）および周波数ごとに規定されている。測定対象（Measurement objects）は、EUTRA、UTRA、GERAN、CDMA2000に対して別途仕様化されている。EUTRAに対する測定対象（Measurement objects）である測定対象EUTRA（measObjectEUTRA）は、EUTRAの隣接セルに対して適用される情報を規定する。また、測定対象EUTRA（measObjectEUTRA）のなかで異なる周波数のものは異なる測定対象（Measurement objects）として扱われ、別途、測定対象識別子（measObjectId）が割り当てられる。
【０２２５】
測定対象の情報の一例について説明する。
【０２２６】
測定対象EUTRA（measObjectEUTRA）には、搬送波周波数情報（eutra-CarrierInfoまた
はcarrierFreq）、測定帯域幅（measurementBandwidth）、アンテナポート１存在情報（presenceAntennaPort1）、オフセット周波数（offsetFreq）、隣接セルリスト（neighbour
cell list）に関する情報、ブラックリスト（black list）に関する情報が含まれる。
【０２２７】
次に、測定対象EUTRA（measObjectEUTRA）に含まれる情報について説明する。EUTRA搬
送波周波数情報（eutra-CarrierInfo）は、測定対象とする搬送波周波数を指定する。測
定帯域幅（measurementBandwidth）は、測定対象とする搬送波周波数で動作する全ての隣接セル共通な測定帯域幅を示す。アンテナポート１存在情報（presenceAntennaPort1）は、測定対象とするセルにおいてアンテナポート１を使用しているか否かを示す。オフセット周波数（offsetFreq）は、測定対象とする周波数において適用される測定オフセット値を示す。なお、オフセット周波数（offsetFreq）は測定対象とする搬送波周波数における電力のオフセット値でありデシベルで与えられる。
【０２２８】
測定対象の情報の一例について説明する。
【０２２９】
受信したmeasObjectToAddModListに含まれるそれぞれの測定対象識別子（measObjectId）のために、（受信したmeasObjectToAddModListに含まれるそれぞれの測定対象識別子（measObjectId）に）適合する測定対象識別子（measObjectId）を伴う登録（エントリー）が、その登録のための上位層パラメータ（VarMeasConfig）の中の測定対象リスト（measObjectList）に存在する場合、端末装置は以下を行う。
【０２３０】
受信した測定対象（measObject）がＤＳ測定設定（measDS-Config）を含んでいる場合
、かつ、ＤＳ測定設定（measDS-Config）が“セットアップ（setup）”にセットされている場合、かつ、受信したＤＳ測定設定（measDS-Config）がmeasCSI-RS-ToRemoveListを含んでいる場合、該measCSI-RS-ToRemoveListに含まれるそれぞれのmeasCSI-RS-Idのために、measCSI-RS-ToAddModListから適合するmeasCSI-RS-Idを伴う登録を削除する。
【０２３１】
受信した測定対象（measObject）がＤＳ測定設定（measDS-Config）を含んでいる場合
、かつ、ＤＳ測定設定（measDS-Config）が“セットアップ（setup）”にセットされている場合、かつ、受信したＤＳ測定設定（measDS-Config）がmeasCSI-RS-ToAddModListを含む場合、かつ、該measCSI-RS-ToAddModListに含まれるmeasCSI-RS-Idの値それぞれのために、適合するmeasCSI-RS-Idを伴う登録がmeasCSI-RS-ToAddModListに存在する場合、そのmeasCSI-RS-Idのために受信した値を伴う登録に置き換える。
【０２３２】
受信した測定対象（measObject）がＤＳ測定設定（measDS-Config）を含んでいる場合
、かつ、ＤＳ測定設定（measDS-Config）が“セットアップ（setup）”にセットされている場合、かつ、受信したＤＳ測定設定（measDS-Config）がmeasCSI-RS-ToAddModListを含む場合、かつ、該measCSI-RS-ToAddModListに含まれるmeasCSI-RS-Idの値それぞれのために、適合するmeasCSI-RS-Idを伴う登録がmeasCSI-RS-ToAddModListに存在する場合以外（存在しない場合）、measCSI-RS-ToAddModListに受信したmeasCSI-RS-Idのための新しい登録を追加する。
【０２３３】
受信した測定対象（measObject）がＤＳ測定設定（measDS-Config）を含んでいる場合
、かつ、ＤＳ測定設定（measDS-Config）が“セットアップ（setup）”にセットされている場合、上位層パラメータ（VarMeasConfig）の中のＤＳ測定設定（measDS-Config）の他のフィールドに、受信したフィールドの値をセットする。すなわち、受信した測定対象（measObject）がＤＳ測定設定（measDS-Config）を含んでいる場合、かつ、ＤＳ測定設定
（measDS-Config）が“セットアップ（setup）”にセットされている場合、上位層パラメータ（VarMeasConfig）の中のＤＳ測定設定（measDS-Config）のフィールドの値を更新することが好ましい。
【０２３４】
受信した測定対象（measObject）がＤＳ測定設定（measDS-Config）を含んでいる場合
、かつ、ＤＳ測定設定（measDS-Config）が“セットアップ（setup）”にセットされている場合、ＤＳ測定タイミング設定設定（DMTC, discovery signals measurement timing configuration）手順を行うことが好ましい。
【０２３５】
受信した測定対象（measObject）がＤＳ測定設定（measDS-Config）を含んでいない場
合、ＣＲＳに基づく測定を行うことが好ましい。換言すると、受信した測定対象（measObject）がＤＳ測定設定（measDS-Config）を含んでいる場合、ＤＳに基づく測定を行うこ
とが好ましい。
【０２３６】
すなわち、受信した測定対象（measObject）がＤＳ測定設定（measDS-Config）を含ん
でいない場合は第１のフィルタリング係数を適用し、受信した測定対象（measObject）がＤＳ測定設定（measDS-Config）を含んでいる場合は該ＤＳ測定設定（measDS-Config）に含まれている第２のフィルタリング係数を適用することが好ましい。なお、第１のフィルタリング係数は、物理量設定（quantityConfig）で指定されるフィルタリング係数であることが好ましい。なお、第１のフィルタリング係数は、デフォルト値として設定されているフィルタリング係数であることが好ましい。
【０２３７】
ＤＳ測定タイミング設定（DMTC, discovery signals measurement timing configuration）の一例を示す。
【０２３８】
端末装置は受信したメッセージ（dmtc-PeriodOffset）に従ってＤＳ測定タイミング設
定をセットアップしなければならない。例えば、各ＤＭＴＣ  ｏｃｃａｓｉｏｎの最初のサブフレームは、下記条件に合うＰＣｅｌｌのシステムフレームナンバーとサブフレームナンバーにおいて発生する。なお、dmtc-PeriodOffsetは、ＤＭＴＣ周期（dmtc-Periodicity）とＤＭＴＣオフセット（dmtc-offset）を示す。なお、dmtc-PeriodOffsetは周波数
のために設定されることが好ましい。すなわち、dmtc-PeriodOffsetはキャリア周波数ご
とに設定されることが好ましい。ＤＭＴＣ周期（dmtc-Periodicity）の値は４０ｍｓ、８０ｍｓ、１６０ｍｓなどに対応することが好ましい。なお、ＤＭＴＣオフセット（dmtc-offset）はサブフレームの数で与えられることが好ましい。ＤＭＴＣ  ｏｃｃａｓｉｏｎ
の継続時間は所定の時間であることが好ましい。例えば、ＤＭＴＣ  ｏｃｃａｓｉｏｎの継続時間は６ｍｓであることが好ましい。
【０２３９】
各ＤＭＴＣ  ｏｃｃａｓｉｏｎの最初のサブフレームとなる条件の一例を示す。システムフレームナンバーをＴで割った余りが、ＦＬＯＯＲ（dmtc-PeriodOffset/10）に一致するシステムフレームナンバーがＤＭＴＣ  ｏｃｃａｓｉｏｎの最初のサブフレームが発生するシステムフレームのシステムフレームナンバーである。そして、該システムフレームにおけるdmtc-PeriodOffsetを１０で割った余り（dmtc-PeriodOffset mod 10）と一致す
るサブフレームナンバーがＤＭＴＣ  ｏｃｃａｓｉｏｎの最初のサブフレームが発生するサブフレームのサブフレームナンバーである。なお、Ｔがdmtc-Periodicity/10で与えら
れる。なお、ＦＬＯＯＲ（  ）は床関数である。なお、システムフレームナンバーとサブフレームナンバーはＰＣｅｌｌを基準とすることが好ましい。すなわち、端末装置は上記条件に基づいて特定されるＰＣｅｌｌのシステムナンバーとサブフレームナンバーに基づいて、ＰＣｅｌｌおよびまたはＳＣｅｌｌにおける各ＤＭＴＣ  ｏｃｃａｓｉｏｎの最初のサブフレームを特定することが好ましい。
【０２４０】
なお、該当する（関連する）周波数上で、端末装置はＤＭＴＣ  ｏｃｃａｓｉｏｎの外のサブフレームにおけるＤＳ送信を考慮しなければならない。すなわち、端末装置はＤＭＴＣ  ｏｃｃａｓｉｏｎの内のサブフレームにおけるＤＳ送信を考慮しなければならない。すなわち、基地局装置はＤＭＴＣ  ｏｃｃａｓｉｏｎの内のサブフレームにおいてＤＳ送信を行うことが好ましい。すなわち、基地局装置はＤＭＴＣ  ｏｃｃａｓｉｏｎの外のサブフレームにおいてＤＳ送信を行わないことが好ましい。
【０２４１】
さらに、ＤＳ測定設定（measDS-Config）には、ＣＳＩ−ＲＳ個別オフセット（csi-RS-IndividualOffset）、ＤＳオケイジョン継続期間（ds-OccasionDuration）、測定ＣＳＩ
−ＲＳ追加修正リスト（measCSI-RS-ToAddModList）、測定ＣＳＩ−ＲＳ削除リスト（measCSI-RS-ToRemoveModList）、物理セルＩＤ（phyCellId）、リソース設定（resourceConfig）、スクランブリング識別子（scramblingIdentity）、サブフレームオフセット（subframeOffset）が含まれてもよい。なお、ＣＳＩ−ＲＳ個別オフセット（csi-RS-IndividualOffset）は特定のＣＳＩ−ＲＳリソースに適用される電力オフセット値でデシベル値に
よって与えられる。なお、ＤＭＴＣ周期オフセット（dmtc-PeriodOffset）は、その周波
数のためのＤＭＴＣの周期とオフセットを示す。なお、ＤＳオケイジョン継続期間（ds-OccasionDuration）は、その周波数のためのＤＳオケイジョンの継続期間を示す。ＤＳオ
ケイジョン継続期間は、１つの周波数上で全てのセルのＤＳ送信のために共通である。なお、測定ＣＳＩ−ＲＳ追加修正リスト（measCSI-RS-ToAddModList）は、ＤＳ測定のため
のＣＳＩ−ＲＳリソースの追加／修正リストである。なお、測定ＣＳＩ−ＲＳ削除リスト（measCSI-RS-ToRemoveModList）は、ＤＳ測定のためのＣＳＩ−ＲＳリソースの追加／修正リストである。なお、リソース設定（resourceConfig）は、ＣＳＩ−ＲＳ設定に関連するパラメータである。サブフレームオフセット（subframeOffset）はＤＳオケイジョンにおけるＣＳＩ−ＲＳリソースと物理セルＩＤ（phyCellId）によって示されるＳＳＳ間の
サブフレームオフセットである。
【０２４２】
測定対象EUTRA（measObjectEUTRA）には、EUTRA搬送波周波数情報（eutra-CarrierInfo）、測定帯域幅（measurementBandwidth）、ＤＳ測定設定（measDS-Config）、オフセッ
ト周波数（offsetFreq）、隣接セルリスト（neighbour cell list）に関する情報、ブラ
ックリスト（black list）に関する情報が含まれる。
【０２４３】
次に、測定対象EUTRA（measObjectEUTRA）に含まれる情報ついて説明する。EUTRA搬送
波周波数情報（eutra-CarrierInfo）は、測定対象とする搬送波周波数を指定する。測定
帯域幅（measurementBandwidth）は、測定対象とする搬送波周波数で動作する全ての隣接セル共通な測定帯域幅を示す。
【０２４４】
隣接セルリストおよびブラックリストに関する情報の一例について説明する。
【０２４５】
隣接セルリスト（neighbour cell list）に関する情報は、イベント評価や、測定報告
の対象となる隣接セルに関する情報を含む。隣接セルリスト（neighbour cell list）に
関する情報としては、物理セル識別子（physical cell ID）や、セル固有オフセット（cellIndividualOffset、隣接セルに対して適用する測定オフセット値を示す）などが含まれている。この情報は、EUTRAの場合、端末装置が、既に、報知情報（報知されるシステム
情報）から既に取得している隣接セルリスト（neighbour cell list）に対して、追加・
修正または削除を行うための情報として利用される。
【０２４６】
また、ブラックリスト（black list）に関する情報は、イベント評価や、測定報告の対象とならない隣接セルに関する情報を含む。ブラックリスト（black list）に関する情報としては、物理セル識別子（physical cell ID）などが含まれる。この情報は、EUTRAの
場合、端末装置が、既に、報知情報から取得しているブラックセルリスト（black listed
cell list）に対して、追加・修正または削除を行うための情報として利用される。
【０２４７】
全ての測定のために、端末装置は、報告基準（レポーティング基準）の評価のために測定結果を使用する前に、第３層フィルタリング（Layer 3 filtering）を適用する。
【０２４８】
全ての測定のために、端末装置は、測定報告（測定レポーティング）のために測定結果を使用する前に、第３層フィルタリング（Layer 3 filtering）を適用する。
【０２４９】
端末装置が測定設定（measConfig）を持っているときはいつでも、各サービングセルのためのＲＳＲＰとＲＳＲＱ測定は以下に従う。
【０２５０】
端末装置がＣＲＳに基づくＤＳ測定をサポートしている場合、端末装置はデアクティベート状態の各ＳＣｅｌｌのために、ＤＳ測定設定（measDS-Config）に従ってＤＭＴＣを
適用する。なお、ＤＭＴＣは、該ＳＣｅｌｌの周波数に対応する測定対象（measObject）内に設定されている場合に適用されることが好ましい。
【０２５１】
パラメータ（VarMeasConfig）内のmeasIdListに含まれるそれぞれのmeasIdのために、
関連する報告設定（reportConfig）のための目的がＣＧＩ報告（reportCGI）に設定され
ている場合以外、以下の測定を行う。
【０２５２】
関連する測定対象（measObject）にＤＳ測定（measDS-config）が設定されている場合
、かつ、端末装置がＣＳＩ−ＲＳに基づくＤＳ測定をサポートしている場合、かつ、関連する報告設定（reportConfig）のイベント識別子（eventId）にイベントＣ１（eventC1）またはイベントＣ２（eventC2）が設定されている場合、端末装置は関係する測定対象（measObject）によって示される周波数上のＣＳＩ−ＲＳリソースの対応する測定を行う。
なお、ＤＭＴＣは関係する測定対象（measObject）の中のＤＳ測定設定（measDS-Config
）に従って適用される。
【０２５３】
更に、関連する報告設定（reportConfig）に所定のパラメータ（例えば、reportCRS-Meas）が含まれている場合、関係する測定対象（measObject）によって示される周波数上の隣接セルの対応する測定を行う。なお、プライマリ周波数（例えば、ＰＣｅｌｌの搬送波周波数）上の隣接セルのために、関係する測定対象（measObject）に隣接セル測定サブフレームパターン設定（measSubframePatternConfigNeigh）が含まれている場合、隣接セル測定サブフレームパターン設定（measSubframePatternConfigNeigh）に従って時間領域の測定リソース制限が適用されてもよい。なお、関係する測定対象（measObject）のＤＳ測定設定（measDS-Config）に従ってＤＭＴＣが適用されてもよい。
【０２５４】
関連する測定対象（measObject）にＤＳ測定（measDS-config）が設定されている場合
、かつ、端末装置がＣＳＩ−ＲＳに基づくＤＳ測定をサポートしている場合、かつ、関連する報告設定（reportConfig）に所定のパラメータ（例えば、reportStrongestCSI-RSs）が含まれている場合、端末装置は関係する測定対象（measObject）によって示される周波数上のＣＳＩ−ＲＳリソースの対応する測定を行う。なお、ＤＭＴＣは関係する測定対象（measObject）の中のＤＳ測定設定（measDS-Config）に従って適用される。
【０２５５】
更に、関連する報告設定（reportConfig）に所定のパラメータ（例えば、reportCRS-Meas）が含まれている場合、関係する測定対象（measObject）によって示される周波数上の隣接セルの対応する測定を行う。なお、プライマリ周波数（例えば、ＰＣｅｌｌの搬送波周波数）上の隣接セルのために、関係する測定対象（measObject）に隣接セル測定サブフレームパターン設定（measSubframePatternConfigNeigh）が含まれている場合、隣接セル測定サブフレームパターン設定（measSubframePatternConfigNeigh）に従って時間領域の測定リソース制限が適用されてもよい。なお、関係する測定対象（measObject）のＤＳ測定設定（measDS-Config）に従ってＤＭＴＣが適用されてもよい。
【０２５６】
上記以外の場合、端末装置は関係する測定対象（measObject）によって示される周波数とＲＡＴ上の隣接セルの対応する測定を行う。なお、プライマリ周波数（例えば、ＰＣｅｌｌの搬送波周波数）上の隣接セルのために、関係する測定対象（measObject）に隣接セル測定サブフレームパターン設定（measSubframePatternConfigNeigh）が含まれている場合、隣接セル測定サブフレームパターン設定（measSubframePatternConfigNeigh）に従って時間領域の測定リソース制限が適用されてもよい。なお、端末装置がＣＲＳに基づくＤＳ測定をサポートしている場合、関係する測定対象（measObject）のＤＳ測定設定（measDS-Config）に従ってＤＭＴＣが適用されてもよい。
【０２５７】
次に、報告設定の詳細について説明する。
【０２５８】
報告設定（Reporting configurations）には、報告設定識別子（reportConfigId）と対応付けられた報告設定EUTRA（reportConfigEUTRA）などが含まれる。
【０２５９】
報告設定識別子（reportConfigId）は、測定に関する報告設定（Reporting configurations）を識別するために使用する識別子である。測定に関する報告設定（Reporting configurations）は、前述のように、EUTRAに対する規定と、EUTRA以外のRAT（UTRA、GERAN、CDMA2000）に対する規定がある。EUTRAに対する報告設定（Reporting configurations）
である報告設定EUTRA（reportConfigEUTRA）は、EUTRAにおける測定の報告に利用するイ
ベントのトリガ条件（triggering criteria）を規定する。
【０２６０】
また、報告設定EUTRA（reportConfigEUTRA）には、イベント識別子（eventId）、トリ
ガ量（triggerQuantity）、ヒステリシス（hysteresis）、トリガ時間（timeToTrigger）、報告量（reportQuantity）、最大報告セル数（maxReportCells）、報告間隔（reportInterval）、報告回数（reportAmount）が含まれる。
【０２６１】
イベント識別子（eventId）は、イベントトリガ報告（event triggered reporting）に関する条件（criteria）を選択するために利用される。ここで、イベントトリガ報告（event triggered reporting）とは、イベントトリガ条件を満たした場合に、測定を報告す
る方法である。この他に、イベントトリガ条件を満たした場合に、一定間隔で、ある回数だけ測定を報告するというイベントトリガ定期報告（event triggered periodic reporting）もある。
【０２６２】
イベント識別子（eventId）によって指定されたイベントトリガ条件を満たした場合、
端末装置は、基地局装置に対して、測定報告（measurement report）を行なう。トリガ量（triggerQuantity）は、イベントトリガ条件を評価するために利用する量である。すな
わち、ＲＳＲＰ、または、ＲＳＲＱが指定される。すなわち、端末装置は、このトリガ量（triggerQuantity）によって指定された量を利用して、下りリンク参照信号の測定を行
い、イベント識別子（eventId）で指定されたイベントトリガ条件を満たしているか否か
を判定する。
【０２６３】
ヒステリシス（hysteresis）は、イベントトリガ条件で利用されるパラメータである。トリガ時間（timeToTrigger）は、イベントトリガ条件を満たすべき期間を示す。報告量
（reportQuantity）は、測定報告（measurement report）において報告する量を示す。ここでは、トリガ量（triggerQuantity）で指定した量、または、ＲＳＲＰおよびＲＳＲＱ
が指定される。
【０２６４】
最大報告セル数（maxReportCells）は、測定報告（measurement report）に含めるセルの最大数を示す。報告間隔（reportInterval）は、定期報告（periodical reporting）またはイベントトリガ定期報告（eventtriggered periodic reporting）に対して利用され
、報告間隔（reportInterval）で示される間隔ごとに定期報告する。報告回数（reportAmount）は、必要に応じて、定期報告（periodical reporting）を行う回数を規定する。
【０２６５】
なお、後述のイベントトリガ条件で利用する閾値パラメータやオフセットパラメータは、報告設定において、イベント識別子（eventId）と一緒に、端末装置へ通知される。
【０２６６】
なお、基地局装置は、サービングセル品質閾値（s-Measure）を通知する場合と通知し
ない場合がある。基地局装置がサービングセル品質閾値（s-Measure）を通知する場合、
端末装置は、サービングセル（serving cell）のＲＳＲＰがサービングセル品質閾値（s-Measure）よりも低いときに、隣接セルの測定と、イベント評価（イベントトリガ条件を
満たすか否か、報告条件（Reporting criteria）の評価とも言う）を行う。一方、基地局装置がサービングセル品質閾値（s-Measure）を通知しない場合、端末装置は、サービン
グセル（serving cell）のＲＳＲＰによらず、隣接セルの測定と、イベント評価を行う。
【０２６７】
次に、イベントおよびイベントトリガ条件の詳細について説明する。
【０２６８】
イベントトリガ条件を満たした端末装置は、基地局装置に対して、測定報告（Measurement report）を送信する。測定報告（Measurement report）には、測定結果（Measurement result）が含まれる。
【０２６９】
測定報告（measurement report）をするためのイベントトリガ条件には、複数定義されており、それぞれ加入条件と離脱条件がある。すなわち、基地局装置から指定されたイベントに対する加入条件を満たした端末装置は、基地局装置に対して測定報告（measurement report）を送信する。一方、イベント加入条件を満たして測定報告（measurement report）を送信していた端末装置は、イベント離脱条件を満たした場合、測定報告（measurement report）の送信を停止する。
【０２７０】
以下で説明されるイベントおよびイベントトリガ条件の一例は、第１の測定結果または第２の測定結果のどちらかが用いられる。
【０２７１】
イベントの一例について説明する。
【０２７２】
イベントは、閾値よりもサービングセルの測定結果が改善したときにトリガされる。端末装置は、条件Ａ１−１を満した場合、その測定報告の送信を行う。端末装置は、条件Ａ
１−２を満した場合、その測定報告の送信を停止する。
【０２７３】
加入条件Ａ１−１はMs - Hys > Thresholdである。離脱条件Ａ１−２はMs + Hys < Thresholdである。
【０２７４】
ここで、Msはサービングセルに対する第１の測定結果または第２の測定結果（セル特有の測定オフセット値を考慮しない）、Hysは対象とするイベントに対するヒステリシスパ
ラメータ、Thresholdは対象とするイベントに対して利用される閾値パラメータである。
【０２７５】
イベントの一例について説明する。
【０２７６】
イベントは、閾値よりもサービングセルの測定結果が悪化したときにトリガされる。端末装置は、条件Ａ２−１を満した場合、その測定報告の送信を行う。端末装置は、条件Ａ２−２を満した場合、その測定報告の送信を停止する。
【０２７７】
加入条件Ａ２−１はMs - Hys < Thresholdである。離脱条件Ａ２−２はMs + Hys > Thresholdである。
【０２７８】
ここで、Msはサービングセルに対する第１の測定結果または第２の測定結果（セル特有の測定オフセット値を考慮しない）、Hysは対象とするイベントに対するヒステリシスパ
ラメータ、Thresholdは対象とするイベントに対して利用される閾値パラメータである。
【０２７９】
イベントの一例について説明する。
【０２８０】
イベントは、プライマリセルの測定結果よりも周辺セルの測定結果が改善したときにトリガされる。端末装置は、条件Ａ３−１を満した場合、その測定報告の送信を行う。端末装置は、条件Ａ３−２を満した場合、その測定報告の送信を停止する。
【０２８１】
加入条件Ａ３−１はMn + Ofn + Ocn - Hys > Mp + Ofp + Ocp + Offである。離脱条件
Ａ３−２はMn + Ofn + Ocn + Hys < Mp + Ofp + Ocp + Offである。
【０２８２】
ここで、Mnは周辺セルに対する第１の測定結果または第２の測定結果（セル特有の測定オフセット値を考慮しない）、Ofnは周辺セルの周波数に対する周波数特有の測定オフセ
ット値、Ocnは周辺セルに対するセル特有の測定オフセット値（周辺セルに対して設定さ
れていない場合は０がセットされる）、Mpはプライマリセルに対する第１の測定結果または第２の測定結果（セル特有の測定オフセット値を考慮しない）、Ofpはプライマリセル
の周波数に対する周波数特有の測定オフセット値、Ocpはプライマリセルに対するセル特
有の測定オフセット値（プライマリセルに対して設定されていない場合は０がセットされる）、Hysは対象とするイベントに対するヒステリシスパラメータ、Offは対象とするイベントに対して利用されるオフセットパラメータである。
【０２８３】
イベントの一例について説明する。
【０２８４】
イベントは、閾値よりも周辺セルの測定結果が改善したときにトリガされる。端末装置は、条件Ａ４−１を満した場合、その測定報告の送信を行う。端末装置は、条件Ａ４−２を満した場合、その測定報告の送信を停止する。
【０２８５】
加入条件Ａ４−１はMn + Ofn + Ocn - Hys > Thresholdである。離脱条件Ａ４−２はMn
+ Ofn + Ocn + Hys < Thresholdである。
【０２８６】
ここで、Mnは周辺セルに対する第１の測定結果または第２の測定結果（セル特有の測定オフセット値を考慮しない）、Ofnは周辺セルの周波数に対する周波数特有の測定オフセ
ット値、Ocnは周辺セルに対するセル特有の測定オフセット値（周辺セルに対して設定さ
れていない場合は０がセットされる）、Hysは対象とするイベントに対するヒステリシス
パラメータ、Thresholdは対象とするイベントに対して利用される閾値パラメータである
。
【０２８７】
イベントの一例について説明する。
【０２８８】
イベントは、閾値１よりもプライマリセルの測定結果が悪化し、かつ、閾値２よりも周辺セルの測定結果が改善したときにトリガされる。端末装置は、条件Ａ５−１かつ条件Ａ５−２を満した場合、その測定報告の送信を行う。端末装置は、条件Ａ５−３かつ条件Ａ５−４を満した場合、その測定報告の送信を停止する。
【０２８９】
加入条件Ａ５−１はMp - Hys < Threshold1である。加入条件Ａ５−２はMn + Ofn + Ocn - Hys > Threshold2である。離脱条件Ａ５−３はMp + Hys > Threshold1である。離脱
条件Ａ５−４はMn + Ofn + Ocn + Hys < Threshold2である。
【０２９０】
ここで、Mpはプライマリセルに対する第１の測定結果または第２の測定結果（セル特有の測定オフセット値を考慮しない）、Mnは周辺セルに対する第１の測定結果または第２の測定結果（セル特有の測定オフセット値を考慮しない）、Ofnは周辺セルの周波数に対す
る周波数特有の測定オフセット値、Ocnは周辺セルに対するセル特有の測定オフセット値
（周辺セルに対して設定されていない場合は０がセットされる）、Hysは対象とするイベ
ントに対するヒステリシスパラメータ、Threshold1とThreshold2は対象とするイベントに対して利用される閾値パラメータである。
【０２９１】
イベントの一例について説明する。
【０２９２】
イベントは、セカンダリセルの測定結果よりも周辺セルの測定結果が改善したときにトリガされる。端末装置は、条件Ａ６−１を満した場合、その測定報告の送信を行う。端末装置は、条件Ａ６−２を満した場合、その測定報告の送信を停止する。
【０２９３】
加入条件Ａ６−１はMn + Ocn - Hys > Ms + Ocs + Offである。離脱条件Ａ６−２はMn + Ocn + Hys < Ms + Ocs + Offである。
【０２９４】
ここで、Mnは周辺セルに対する第１の測定結果または第２の測定結果（セル特有の測定オフセット値を考慮しない）、Ocnは周辺セルに対するセル特有の測定オフセット値（周
辺セルに対して設定されていない場合は０がセットされる）、Msはサービングセルに対する第１の測定結果または第２の測定結果（セル特有の測定オフセット値を考慮しない）、Ocsはサービングセルに対するセル特有の測定オフセット値（サービングセルに対して設
定されていない場合は０がセットされる）、Hysは対象とするイベントに対するヒステリ
シスパラメータ、Offは対象とするイベントに対して利用されるオフセットパラメータで
ある。
【０２９５】
上記のイベントおよびイベントトリガ条件の一例は、第１の測定結果または第２の測定結果のどちらかを用いてイベントトリガ条件を評価する。そのため、第１の測定結果または第２の測定結果のどちらを用いるかを指定する必要がある。
【０２９６】
以下では、イベントトリガ条件を評価するために利用する測定結果の種類の指定方法の一例について説明する。
【０２９７】
報告設定によって、イベントトリガ条件を評価するために利用する測定結果の種類が指定される。パラメータによって第１の測定結果または第２の測定結果のどちらかを用いてイベントトリガ条件を評価する。
【０２９８】
具体的な一例としては、第１の測定結果か第２の測定結果かは、トリガ量（triggerQuantity）によって指定される。トリガ量では、｛第１のＲＳＲＰ、第１のＲＳＲＱ、第２
のＲＳＲＰ、第２のＲＳＲＱ｝と４つの選択欄が規定される。端末装置は、このトリガ量（triggerQuantity）によって指定された量を利用して、下りリンク参照信号の測定を行
い、イベント識別子（eventId）で指定されたイベントトリガ条件を満たしているか否か
を判定する。
【０２９９】
具体的な一例としては、第１の測定結果か第２の測定結果かは、トリガ量の他にイベントトリガ条件を評価するために利用する測定結果の種類を指定する新しいパラメータ（triggerMeasType）が規定される。前記パラメータは、第１の測定結果を用いてイベントト
リガ条件を評価することを示す情報、または、第２の測定結果を用いてイベントトリガ条件を評価することを示す情報がセットされる。例えば、前記パラメータに第２の測定結果を用いてイベントトリガ条件を評価することを示す情報がセットされた場合、端末装置は、第２の測定を行い、第２の測定結果を用いてイベントトリガ条件を評価する。なお、前記パラメータは、報告する測定結果の種類を指定するパラメータ（reportMeasType）と共有してもよい。
【０３００】
なお、サービングセルの測定結果と周辺セルの測定結果との比較などの、１つの条件式に２つ以上の測定結果を用いるイベントトリガ条件においては、それぞれにイベントトリガ条件を評価するために利用する測定結果の種類を指定してもよい。例えば、サービングセルの測定結果用の新しいパラメータ（triggerMeasTypeServ）と周辺セルの測定結果用
の新しいパラメータ（triggerMeasTypeNeigh）が規定されてもよい。
【０３０１】
以下では、イベントトリガ条件を評価するために利用する測定結果の種類の指定方法の一例について説明する。
【０３０２】
報告設定によって、イベントトリガ条件を評価するために利用する測定結果の種類は、測定を指定する条件に依存して決定される。
【０３０３】
具体的な一例としては、イベントトリガ条件を評価するために利用する測定結果の種類は、対象セルの起動／停止の状態に依存して決定される。例えば、対象セルが起動の状態であれば、第１の測定結果を用いてイベントトリガ条件が評価され、対象セルが停止の状態であれば、第２の測定結果を用いてイベントトリガ条件が評価される。
【０３０４】
具体的な一例としては、イベントトリガ条件を評価するために利用する測定結果の種類は、参照信号の検出に依存して決定される。例えば、ＣＲＳが検出されてＤＲＳが検出されなかった場合、第１の測定結果を用いてイベントトリガ条件が評価され、ＣＲＳが検出されずＤＲＳが検出された場合、第２の測定結果を用いてイベントトリガ条件が評価される。ＣＲＳとＤＲＳの両方が検出された場合、受信電力の高い方の測定結果を用いてイベントトリガ条件が評価される。ＣＲＳとＤＲＳの両方が検出されなかった場合、イベントトリガ条件は評価されない。
【０３０５】
以下で説明されるイベントおよびイベントトリガ条件の一例は、第１の測定結果および第２の測定結果の両方が用いられる。
【０３０６】
イベントの一例について説明する。
【０３０７】
イベントは、閾値よりもサービングセルの測定結果が改善したときにトリガされる。端末装置は、条件Ｃ１−１かつ条件Ｃ１−１’を満した場合、その測定報告の送信を行う。端末装置は、条件Ｃ１−２かつ条件Ｃ１−２’を満した場合、その測定報告の送信を停止する。
【０３０８】
加入条件Ｃ１−１はMs - Hys > Thresholdである。離脱条件Ｃ１−２はMs + Hys < Thresholdである。加入条件Ｃ１−１’はMs’ - Hys’ > Threshold’ である。離脱条件Ｃ
１−２’はMs’ + Hys’ < Threshold’ である。
【０３０９】
ここで、Msはサービングセルに対する第１の測定結果（セル特有の測定オフセット値を考慮しない）、Ms’はサービングセルに対する第２の測定結果（セル特有の測定オフセット値を考慮しない）、Hysは対象とするイベントに対する第１の測定結果に対するヒステ
リシスパラメータ、Hys’は対象とするイベントに対する第２の測定結果に対するヒステ
リシスパラメータ、Thresholdは対象とするイベントに対する第１の測定結果に対して利
用される閾値パラメータ、Threshold’は対象とするイベントに対する第２の測定結果に
対して利用される閾値パラメータである。
【０３１０】
イベントの一例について説明する。
【０３１１】
イベントは、閾値よりもサービングセルの測定結果が悪化したときにトリガされる。端末装置は、条件Ｃ２−１かつ条件Ｃ２−１’を満した場合、その測定報告の送信を行う。端末装置は、条件Ｃ２−２かつ条件Ｃ２−２’を満した場合、その測定報告の送信を停止する。
【０３１２】
加入条件Ｃ２−１はMs - Hys < Thresholdである。離脱条件Ｃ２−２はMs + Hys > Thresholdである。加入条件Ｃ２−１’はMs’ - Hys’ < Threshold’ である。離脱条件Ｃ
２−２’はMs’ + Hys’ > Threshold’ である。
【０３１３】
ここで、Msはサービングセルに対する第１の測定結果（セル特有の測定オフセット値を考慮しない）、Ms’はサービングセルに対する第２の測定結果（セル特有の測定オフセット値を考慮しない）、Hysは対象とするイベントに対する第１の測定結果に対するヒステ
リシスパラメータ、Hys’は対象とするイベントに対する第２の測定結果に対するヒステ
リシスパラメータ、Thresholdは対象とするイベントに対する第１の測定結果に対して利
用される閾値パラメータ、Threshold’は対象とするイベントに対する第２の測定結果に
対して利用される閾値パラメータである。
【０３１４】
イベントの一例について説明する。
【０３１５】
イベントは、プライマリセルの測定結果よりも周辺セルの測定結果が改善したときにトリガされる。端末装置は、条件Ｃ３−１かつ条件Ｃ３−１’を満した場合、その測定報告の送信を行う。端末装置は、条件Ｃ３−２かつ条件Ｃ３−２’を満した場合、その測定報告の送信を停止する。
【０３１６】
加入条件Ｃ３−１はMn + Ofn + Ocn - Hys > Mp + Ofp + Ocp + Offである。離脱条件
Ｃ３−２はMn + Ofn + Ocn + Hys < Mp + Ofp + Ocp + Offである。加入条件Ｃ３−１’
はMn’ + Ofn’ + Ocn’ - Hys’ > Mp’ + Ofp’ + Ocp’ + Off’ である。離脱条件Ｃ３−２’はMn’ + Ofn’ + Ocn’ + Hys’ < Mp’ + Ofp’ + Ocp’ + Off’ である。
【０３１７】
ここで、Mnは周辺セルに対する第１の測定結果（セル特有の測定オフセット値を考慮しない）、Mn’は周辺セルに対する第２の測定結果（セル特有の測定オフセット値を考慮しない）、Ofnは周辺セルの周波数に対する第１の測定結果に対する周波数特有の測定オフ
セット値、Ofn’は周辺セルの周波数に対する第２の測定結果に対する周波数特有の測定
オフセット値、Ocnは周辺セルに対する第１の測定結果に対するセル特有の測定オフセッ
ト値（周辺セルに対して設定されていない場合は０がセットされる）、Ocn’は周辺セル
に対する第２の測定結果に対するセル特有の測定オフセット値（周辺セルに対して設定されていない場合は０がセットされる）、Mpはプライマリセルに対する第１の測定結果（セル特有の測定オフセット値を考慮しない）、Mp’はプライマリセルに対する第２の測定結果（セル特有の測定オフセット値を考慮しない）、Ofpはプライマリセルの周波数に対す
る第１の測定結果に対する周波数特有の測定オフセット値、Ofp’はプライマリセルの周
波数に対する第２の測定結果に対する周波数特有の測定オフセット値、Ocpはプライマリ
セルに対する第１の測定結果に対するセル特有の測定オフセット値（プライマリセルに対して設定されていない場合は０がセットされる）、Ocp’はプライマリセルに対する第２
の測定結果に対するセル特有の測定オフセット値（プライマリセルに対して設定されていない場合は０がセットされる）、Hysは対象とするイベントに対する第１の測定結果に対
するヒステリシスパラメータ、Hys’は対象とするイベントに対する第２の測定結果に対
するヒステリシスパラメータ、Offは対象とするイベントに対する第１の測定結果に対し
て利用されるオフセットパラメータ、Off’は対象とするイベントに対する第２の測定結
果に対して利用されるオフセットパラメータである。
【０３１８】
イベントの一例について説明する。
【０３１９】
イベントは、閾値よりも周辺セルの測定結果が改善したときにトリガされる。端末装置は、条件Ｃ４−１かつ条件Ｃ４−１’を満した場合、その測定報告の送信を行う。端末装置は、条件Ｃ４−２かつ条件Ｃ４−２’を満した場合、その測定報告の送信を停止する。
【０３２０】
加入条件Ｃ４−１はMn + Ofn + Ocn - Hys > Thresholdである。離脱条件Ｃ４−２はMn
+ Ofn + Ocn + Hys < Thresholdである。加入条件Ｃ４−１’はMn’ + Ofn’ + Ocn’ -
Hys’ > Threshold’ である。離脱条件Ｃ４−２’はMn’ + Ofn’ + Ocn’ + Hys’ < Threshold’である。
【０３２１】
ここで、Mnは周辺セルに対する第１の測定結果（セル特有の測定オフセット値を考慮しない）、Mn’は周辺セルに対する第２の測定結果（セル特有の測定オフセット値を考慮しない）、Ofnは周辺セルの周波数に対する第１の測定結果に対する周波数特有の測定オフ
セット値、Ofn’は周辺セルの周波数に対する第２の測定結果に対する周波数特有の測定
オフセット値、Ocnは周辺セルに対する第１の測定結果に対するセル特有の測定オフセッ
ト値（周辺セルに対して設定されていない場合は０がセットされる）、Ocn’は周辺セル
に対する第２の測定結果に対するセル特有の測定オフセット値（周辺セルに対して設定されていない場合は０がセットされる）、Hysは対象とするイベントに対する第１の測定結
果に対するヒステリシスパラメータ、Hys’は対象とするイベントに対する第２の測定結
果に対するヒステリシスパラメータ、Thresholdは対象とするイベントに対する第１の測
定結果に対して利用される閾値パラメータ、Thresholdは対象とするイベントに対する第
２の測定結果に対して利用される閾値パラメータである。
【０３２２】
イベントの一例について説明する。
【０３２３】
イベントは、閾値１よりもプライマリセルの測定結果が悪化し、かつ、閾値２よりも周辺セルの測定結果が改善したときにトリガされる。端末装置は、条件Ｃ５−１かつ条件Ｃ５−２かつ条件Ｃ５−１’かつ条件Ｃ５−２’を満した場合、その測定報告の送信を行う
。端末装置は、条件Ｃ５−３かつ条件Ｃ５−４かつ条件Ｃ５−３’かつ条件Ｃ５−４’を満した場合、その測定報告の送信を停止する。
【０３２４】
加入条件Ｃ５−１はMp - Hys < Threshold1である。加入条件Ｃ５−２はMn + Ofn + Ocn - Hys > Threshold2である。離脱条件Ｃ５−３はMp + Hys > Threshold1である。離脱
条件Ｃ５−４はMn + Ofn + Ocn + Hys < Threshold2である。加入条件Ｃ５−１’はMp’ - Hys’ < Threshold1’である。加入条件Ｃ５−２’はMn’ + Ofn’ + Ocn’ - Hys’ >
Threshold2’である。離脱条件Ｃ５−３’はMp’ + Hys’ > Threshold1’である。離脱条件Ｃ５−４’はMn’ + Ofn’ + Ocn’ + Hys’ < Threshold2’である。
【０３２５】
ここで、Mpはプライマリセルに対する第１の測定結果（セル特有の測定オフセット値を考慮しない）、Mp’はプライマリセルに対する第２の測定結果（セル特有の測定オフセット値を考慮しない）、Mnは周辺セルに対する第１の測定結果（セル特有の測定オフセット値を考慮しない）、Mn’は周辺セルに対する第２の測定結果（セル特有の測定オフセット値を考慮しない）、Ofnは周辺セルの周波数に対する第１の測定結果に対する周波数特有
の測定オフセット値、Ofn’は周辺セルの周波数に対する第２の測定結果に対する周波数
特有の測定オフセット値、Ocnは周辺セルに対する第１の測定結果に対するセル特有の測
定オフセット値（周辺セルに対して設定されていない場合は０がセットされる）、Ocn’
は周辺セルに対する第２の測定結果に対するセル特有の測定オフセット値（周辺セルに対して設定されていない場合は０がセットされる）、Hysは対象とするイベントに対する第
１の測定結果に対するヒステリシスパラメータ、Hys’は対象とするイベントに対する第
２の測定結果に対するヒステリシスパラメータ、Threshold1とThreshold2は対象とするイベントに対する第１の測定結果に対して利用される閾値パラメータ、Threshold1’とThreshold2’は対象とするイベントに対する第２の測定結果に対して利用される閾値パラメータである。
【０３２６】
イベントの一例について説明する。
【０３２７】
イベントは、セカンダリセルの測定結果よりも周辺セルの測定結果が改善したときにトリガされる。端末装置は、条件Ｃ６−１かつ条件Ｃ６−１’を満した場合、その測定報告の送信を行う。端末装置は、条件Ｃ６−２かつ条件Ｃ６−２’を満した場合、その測定報告の送信を停止する。なお、周辺セルは、前記セカンダリセルと同じ周波数上のセルである。
【０３２８】
加入条件Ｃ６−１はMn + Ocn - Hys > Ms + Ocs + Offである。離脱条件Ｃ６−２はMn + Ocn + Hys < Ms + Ocs + Offである。加入条件Ｃ６−１’はMn’ + Ocn’ - Hys’ > Ms’ + Ocs’ + Off’である。離脱条件Ｃ６−２’はMn’ + Ocn’ + Hys’ < Ms’ + Ocs’ + Off’である。
【０３２９】
ここで、Mnは周辺セルに対する第１の測定結果（セル特有の測定オフセット値を考慮しない）、Mn’は周辺セルに対する第２の測定結果（セル特有の測定オフセット値を考慮しない）、Ocnは周辺セルに対する第１の測定結果に対するセル特有の測定オフセット値（
周辺セルに対して設定されていない場合は０がセットされる）、Ocn’は周辺セルに対す
る第２の測定結果に対するセル特有の測定オフセット値（周辺セルに対して設定されていない場合は０がセットされる）、Msはサービングセルに対する第１の測定結果（セル特有の測定オフセット値を考慮しない）、Ms’はサービングセルに対する第２の測定結果（セル特有の測定オフセット値を考慮しない）、Ocsはサービングセルに対する第１の測定結
果に対するセル特有の測定オフセット値（サービングセルに対して設定されていない場合は０がセットされる）、Ocs’はサービングセルに対する第２の測定結果に対するセル特
有の測定オフセット値（サービングセルに対して設定されていない場合は０がセットされ
る）、Hysは対象とするイベントに対する第１の測定結果に対するヒステリシスパラメー
タ、Hys’は対象とするイベントに対する第２の測定結果に対するヒステリシスパラメー
タ、Offは対象とするイベントに対する第１の測定結果に対して利用されるオフセットパ
ラメータ、Off’は対象とするイベントに対する第２の測定結果に対して利用されるオフ
セットパラメータである。
【０３３０】
次に、測定結果の詳細について説明する。
【０３３１】
この測定結果（Measurement result）は、測定識別子（measId）、サービングセル測定結果（measResultServing）、EUTRA測定結果リスト（measResultListEUTRA）で構成され
る。ここで、EUTRA測定結果リスト（measResultListEUTRA）には、物理セル識別子（physicalCellIdentity）、EUTRAセル測定結果（measResultEUTRA）が含まれる。ここで、測定識別子（measId）とは、前述のように、測定対象識別子（measObjectId）と報告設定識別子（reportConfigId）とのリンクに利用されていた識別子である。また、物理セル識別子（physicalCellIdentity）は、セルを識別するために利用する。EUTRAセル測定結果（measResultEUTRA）は、EUTRAセルに対する測定結果である。隣接セルの測定結果は関連する
イベントの発生時にのみ含まれる。
【０３３２】
測定結果の一例について説明する。
【０３３３】
測定結果は、対象セルに対するＲＳＲＰおよびＲＳＲＱの両方の結果を報告する。１回で報告されるＲＳＲＰおよびＲＳＲＱは、第１の測定結果または第２の測定結果のどちらか１つである。
【０３３４】
具体的な一例を挙げると、第１の測定結果か第２の測定結果かを決定するパラメータに基づいて、測定結果が報告される。第１の測定結果か第２の測定結果かを決定する基準は、例えば、新しいパラメータ（reportMeasType）である。前記パラメータは、第１の測定結果を報告することを示す情報、または、第２の測定結果を報告することを示す情報がセットされる。例えば、前記パラメータに第２の測定結果を報告することを示す情報がセットされた場合、端末装置は、前記パラメータを認識し、第２の測定を行い、第２の測定結果を測定報告メッセージに載せて送信を行い、第１の測定結果は送信しない。
【０３３５】
なお、前記パラメータは、イベントトリガ条件を評価するために利用する測定結果の種類を指定するパラメータ（triggerMeasType）と共有してもよい。なお、前記パラメータ
は、測定方法を指定する上位層パラメータと共有してもよい。
【０３３６】
なお、前記パラメータ（reportQuantity）は、ＲＳＲＰに対するパラメータ（reportQuantityRSRP）とＲＳＲＱに対するパラメータ（reportQuantityRSRQ）として、測定する種類ごとに設定してもよい。例えばreportQuantityRSRPは第１のＲＳＲＰと設定され、reportQuantityRSRQは第２のＲＳＲＱと設定された場合、端末装置は、第１のＲＳＲＰと第２のＲＳＲＱを送信し、第２のＲＳＲＰと第１のＲＳＲＱは送信しない。
【０３３７】
具体的な一例を挙げると、端末装置は、定期報告またはイベントトリガ定期報告が設定された場合、第１の測定結果と第２の測定結果は周期的に交互に報告される。例えば、１回目の報告では第１の測定結果で報告され、２回目の報告では第２の測定結果が報告され、３回目の報告では第１の測定結果され、４回目の報告では第２の測定結果が報告され、以後繰返し交互に報告される。
【０３３８】
なお、第１の測定結果と第２の測定結果は同頻度で報告されなくてもよい。例えば、第１の測定結果が２回報告された後に第２の測定結果が１回報告される周期で設定されても
よい。具体的には、１回目の報告および２回目の報告では第１の測定結果で報告され、３回目の報告では第２の測定結果される。報告の回数は上位層のパラメータで設定される。
【０３３９】
具体的な一例を挙げると、測定を指定する条件に依存して報告される。
【０３４０】
例えば、報告される測定結果の種類は、対象セルの起動／停止の状態に依存して決定される。
【０３４１】
例えば、報告される測定結果の種類は、参照信号の検出に依存して決定される。例えば、ＣＲＳが検出されてＤＲＳが検出されなかった場合、第１の測定結果が報告され、ＣＲＳが検出されずＤＲＳが検出された場合、第２の測定結果が報告される。ＣＲＳとＤＲＳの両方が検出された場合、受信電力の高い方の測定結果が報告される。ＣＲＳとＤＲＳの両方が検出されなかった場合、報告されない、または、最低値が報告される。
【０３４２】
なお、端末装置は報告された測定結果が第１の測定によって計算された結果か第２の測定によって計算された結果かを基地局装置に認知させるために、測定結果にどの測定の種類がセットされたかを明示するパラメータが追加されてもよい。
【０３４３】
測定結果の報告の一例について説明する。
【０３４４】
測定結果は、対象セルに対する第１のＲＳＲＰおよび第１のＲＳＲＱ、かつ、第２のＲＳＲＰおよび第２のＲＳＲＱの結果を報告する。
【０３４５】
端末装置は、第１の測定および第２の測定を行い、測定結果を測定報告メッセージに載せて送信を行う。
【０３４６】
ＣＲＳが検出できなかった場合、端末装置は、第１の測定結果に最低値をセットして報告する。なお、ＣＲＳが検出できなかった場合、端末装置は、第１の測定結果を報告しなくても良い。
【０３４７】
ＤＲＳが検出できなかった場合、端末装置は、第２の測定結果に最低値をセットして報告する。なお、ＤＲＳが検出できなかった場合、端末装置は、第２の測定結果を報告しなくても良い。
【０３４８】
測定結果の報告の一例について説明する。
【０３４９】
測定結果は、対象セルに対するＲＳＲＰおよびＲＳＲＱ、かつ、セル間干渉測定の結果を報告する。セル間干渉測定の結果は、例えば、干渉測定リソースで測定した受信電力、ＳＩＮＲ、ＲＳＳＩなどである。
【０３５０】
端末装置は、前記パラメータを認識し、測定およびセル間干渉量を行い、測定結果を測定報告メッセージに載せて送信を行う。
【０３５１】
上記では、イベント、イベントトリガ条件、および測定結果の報告の一例について説明された。これらの組み合わせによって、端末装置は、基地局装置に対して第１の測定結果および／または第２の測定結果を報告する。本実施形態は、イベント、イベントトリガ条件、および測定結果の報告の組み合わせは限定されないが、好ましい組み合わせの一例を以下で説明する。
【０３５２】
イベント、イベントトリガ条件、および測定結果の報告の組み合わせの一例について説
明される。
【０３５３】
第１の測定を行う場合には、物理セル識別子が設定される隣接セルリストやブラックリストを含んだ測定対象（measObject）が設定され、また、第１の測定によってトリガされるイベントおよびイベントトリガ条件が設定される報告設定（reportConfig）が設定され、それらがＩＤによって紐付けられることで第１の測定結果（measResults）を含んだ測
定報告メッセージが送信される。更に、第２の測定を行う場合には、拡張されたセルＩＤが設定される新しい隣接セルリストや新しいブラックリストを含んだ測定対象（measObject）が設定され、また、第２の測定によってトリガされるイベントおよびイベントトリガ条件が設定される報告設定（reportConfig）が設定され、それらがＩＤによって紐付けられることで第２の測定結果（measResults）を含んだ測定報告メッセージが送信される。
【０３５４】
すなわち、端末装置に、第１の測定用の測定対象、報告設定、測定結果と、第２の測定用の測定対象、報告設定、測定結果が設定される。すなわち、第１の測定結果の報告設定と第２の測定結果の報告設定がそれぞれ独立に設定される。
【０３５５】
イベント、イベントトリガ条件、および測定結果の報告の組み合わせの一例について説明される。
【０３５６】
第１の測定を行う場合には、物理セル識別子が設定される隣接セルリストやブラックリストを含んだ測定対象（measObject）が設定され、また、第１の測定によってトリガされるイベントおよびイベントトリガ条件が設定される報告設定（reportConfig）が設定され、それらが測定結果（measResults）とＩＤによって紐付けられる。第２の測定を行う場
合には、拡張されたセルＩＤが設定される新しい隣接セルリストや新しいブラックリストを含んだ測定対象（measObject）が設定され、また、第２の測定によってトリガされるイベントおよびイベントトリガ条件が設定される報告設定（reportConfig）が設定され、それらが前記測定結果（measResults）とＩＤによって紐付けられる。第１の測定によって
トリガされるイベントが発生した場合、測定結果に第１の測定結果が代入され、測定報告メッセージによって送信される。第２の測定によってトリガされるイベントが発生した場合、測定結果に第２の測定結果が代入され、測定報告メッセージによって送信される。
【０３５７】
すなわち、第１の測定用の測定対象、報告設定と、第２の測定用の測定対象、報告設定が設定され、測定結果は第１の測定と第２の測定でフィールドが共有される。イベントによって第１の測定結果または第２の測定結果が送信される。
【０３５８】
これにより、端末装置は、第１の測定結果と第２の測定結果を基地局装置に報告することができる。
【０３５９】
本実施形態の端末装置は、基地局装置と通信する端末装置であって、第１のＲＳ（ＣＲＳ）に基づいて第１の測定を行い、第２のＲＳ（ＤＲＳ）に基づいて第２の測定を行う受信部と、前記第１の測定結果と前記第２の測定結果を前記基地局装置に報告する上位層処理部と、を備え、第１の状態では、前記第１の測定結果を前記基地局装置に報告し、第２の状態では、前記第１の測定結果または前記第２の測定結果を前記基地局装置に報告する。
【０３６０】
一例として、前記第２の状態では、前記第１の測定結果を報告するイベントと前記第２の測定結果を報告するイベントと、が前記基地局装置によって設定される。また、一例として、前記第２の状態では、前記第２の測定を報告するイベントのみが前記基地局装置によって設定される。前記第２の測定結果を報告するイベントトリガ条件は、第２の測定結果を用いて規定される。
【０３６１】
一例として、前記第１の状態は、前記第２のＲＳの設定情報が通知されていない状態であり、前記第２の状態は、前記第２のＲＳの設定情報が前記基地局装置から通知された状態である。また、一例として、前記第１の状態は、前記第２の測定情報が設定されていない状態であり、前記第２の状態は、前記第２の測定情報が前記基地局装置から設定された状態である。また、一例として、前記第２の状態は、前記第１のＲＳが送信されない状態である。
【０３６２】
ＰＵＳＣＨの送信電力やＰＨＲ（Power Headroom）では、パスロスに依存して値が決定される。以下では、パスロス（伝搬路減衰値）を推定する方法の一例について説明する。
【０３６３】
サービングセルｃの下りリンクパスロス推定値は、PLc = referenceSignalPower-higher layer filtered RSRPの式で端末装置によって計算される。ここで、referenceSignalPowerは上位層で与えられる。referenceSignalPowerは、ＣＲＳの送信電力に基づいた情報
である。ここで、higher layer filtered RSRPは上位層でフィルタリングされた参照サービングセルの第１のＲＳＲＰである。
【０３６４】
もしサービングセルｃがプライマリセルを含んだＴＡＧに所属している場合、上りリンクプライマリセルに対して、referenceSignalPowerとhigher layer filtered RSRPの参照サービングセルにはプライマリセルが用いられる。上りリンクセカンダリーセルに対して、referenceSignalPowerとhigher layer filtered RSRPの参照サービングセルには上位層のパラメータpathlossReferenceLinkingによって設定されたサービングセルが用いられる。もしサービングセルｃがプライマリセルを含まないＴＡＧに所属している場合、referenceSignalPowerとhigher layer filtered RSRPの参照サービングセルにはサービングセルｃが用いられる。  
【０３６５】
本実施形態の第１の態様において、端末装置は、物理量設定（quantityConfig）と測定対象（Measurement objects）が設定される上位層処理部と、前記物理量設定と前記測定
対象に基づいて、第１の周波数および第２の周波数のための測定を行う測定部を備え、前記物理量設定は少なくとも前記第１の周波数のための測定に用いられる第１のフィルタリング係数と、前記第２の周波数のための測定に用いられる第２のフィルタリング係数と、を含み、前記測定対象は、少なくとも前記第２の周波数における測定に用いられる検出信号測定設定（measDS-Config）を含み、前記測定部は、前記第１の周波数のためのセル固
有参照信号（Cell-specific Reference Signal）に基づく測定と、前記第２の周波数のための前記検出信号測定設定に従って検出信号（Discovery Signal）に基づく測定と、を行い、前記第１の周波数のための測定結果は前記第１のフィルタリング係数に基づくフィルタリングが適用され、前記第２の周波数のための測定結果は前記第２のフィルタリング係数に基づくフィルタリングが適用されることが好ましい。
【０３６６】
本実施形態の第２の態様において、端末装置は、物理量設定（quantityConfig）と測定対象（Measurement objects）が設定される上位層処理部と、前記物理量設定と前記測定
対象に基づいて、第１の周波数および第２の周波数のための測定を行う測定部を備え、前記物理量設定は少なくとも前記第１の周波数のための測定に用いられる第１のフィルタリング係数を含み、前記測定対象は、少なくとも前記第２の周波数における測定に用いられる検出信号測定設定（measDS-Config）を含み、前記測定部は、前記第１の周波数のため
のセル固有参照信号（Cell-specific Reference Signal）に基づく測定と、前記第２の周波数のための前記検出信号測定設定に従って検出信号（Discovery Signal）に基づく測定と、を行い、前記第１の周波数のための測定結果は前記第１のフィルタリング係数に基づくフィルタリングが適用され、前記第２の周波数のための測定結果はフィルタリング係数に基づくフィルタリングが適用されない（フィルタリング係数以外に基づくフィルタリン
グが適用されるまたは上位レイヤから設定されたフィルタリング係数とは異なるフィルタリング係数（例えば、デフォルト値として設定されているフィルタリング係数“０”）に基づくフィルタリングが適用される）ことが好ましい。
【０３６７】
本実施形態の第１の態様および第２の態様において、前記フィルタリングは、Ｆｎ＝（１―α）×Ｆｎ−１＋α×Ｍｎで与えられ、  Ｍｎは物理層からの最新受信測定結果であり、Ｆｎはリポート基準の評価または測定のリポートで用いられる更新されたフィルター後の測定結果であり、Ｆｎ−１は１つ前のフィルター後の測定結果であり、αは１／２（ｋ／４）であり、前記第１の周波数に対して、ｋは第１のフィルタリング係数であり、前記第２の周波数に対して、ｋは第２のフィルタリング係数であることが好ましい。
【０３６８】
本実施形態の第１の態様および第２の態様において、前記第１のフィルタリング係数と前記第２のフィルタリング係数は、それぞれ独立に設定されることが好ましい。
【０３６９】
本実施形態の第１の態様および第２の態様において、前記第２のフィルタリング係数は、常に零であることが好ましい。
【０３７０】
本実施形態の第１の態様および第２の態様において、前記第１の周波数はライセンスドバンドに対応し、前記第２の周波数はアンライセンスドバンドに対応することが好ましい。
【０３７１】
本実施形態の第１の態様および第２の態様において、前記検出信号は下りリンクのＬＢＴ（Listen Before Talk）に基づいて送信されることが好ましい。
【０３７２】
本実施形態の第１の態様および第２の態様において、前記セル固有参照信号に基づく測定と前記検出信号に基づく測定は、ＲＳＲＰ（Reference Signal Received Power）の測
定であることが好ましい。
【０３７３】
本実施形態の第３の態様において、基地局装置であって、物理量設定（quantityConfig）と測定対象（Measurement objects）の設定に関する信号を送信する上位層シグナリン
グ部と、前記物理量設定と前記測定対象に基づいて測定された、第１の周波数および第２の周波数のための測定報告を受信する受信部を備え、前記物理量設定は少なくとも前記第１の周波数のための測定に用いられる第１のフィルタリング係数と、前記第２の周波数のための測定に用いられる第２のフィルタリング係数と、を含み、前記測定対象は、少なくとも前記第２の周波数における測定に用いられる検出信号測定設定（measDS-Config）を
含み、前記受信部は、前記第１の周波数のためのセル固有参照信号（Cell-specific Reference Signal）に基づく測定報告と、前記第２の周波数のための前記検出信号測定設定に従って検出信号（Discovery Signal）に基づく測定報告と、を受信し、前記第１の周波数のための測定結果は前記第１のフィルタリング係数に基づくフィルタリングが適用された測定結果であり、前記第２の周波数のための測定結果は前記第２のフィルタリング係数に基づくフィルタリングが適用された測定結果であることが好ましい。
【０３７４】
本実施形態の第４の態様において、基地局装置であって、物理量設定（quantityConfig）と測定対象（Measurement objects）の設定に関する信号を送信する上位シグナリング
部と、前記物理量設定と前記測定対象に基づいて測定された、第１の周波数および第２の周波数のための測定結果を受信する受信部を備え、前記物理量設定は少なくとも前記第１の周波数のための測定に用いられる第１のフィルタリング係数を含み、前記測定対象は、少なくとも前記第２の周波数における測定に用いられる検出信号測定設定（measDS-Config）を含み、前記受信部は、前記第１の周波数のためのセル固有参照信号（Cell-specific
Reference Signal）に基づく測定報告と、前記第２の周波数のための前記検出信号測定
設定に従って検出信号（Discovery Signal）に基づく測定報告と、を受信し、前記第１の周波数のための測定結果は前記第１のフィルタリング係数に基づくフィルタリングが適用された測定結果であり、前記第２の周波数のための測定結果はフィルタリング係数に基づくフィルタリングが適用されない測定結果である（フィルタリング係数以外に基づくフィルタリングが適用された測定結果または上位レイヤから設定されたフィルタリング係数とは異なるフィルタリング係数（例えば、デフォルト値として設定されているフィルタリング係数“０”）に基づくフィルタリングが適用された測定結果）ことが好ましい。
【０３７５】
本実施形態の第３の態様および第４の態様において、前記フィルタリングは、Ｆｎ＝（１―α）×Ｆｎ−１＋α×Ｍｎで与えられ、  Ｍｎは物理層からの最新受信測定結果であり、Ｆｎはリポート基準の評価または測定のリポートで用いられる更新されたフィルター後の測定結果であり、Ｆｎ−１は１つ前のフィルター後の測定結果であり、αは１／２（ｋ／４）であり、前記第１の周波数に対して、ｋは第１のフィルタリング係数であり、前記第２の周波数に対して、ｋは第２のフィルタリング係数であることが好ましい。
【０３７６】
本実施形態の第３の態様および第４の態様において、前記第１のフィルタリング係数と前記第２のフィルタリング係数を、それぞれ独立に設定することが好ましい。
【０３７７】
本実施形態の第３の態様および第４の態様において、前記第２のフィルタリング係数は、常に零であることが好ましい。
【０３７８】
本実施形態の第３の態様および第４の態様において、前記第１の周波数はライセンスドバンドに対応し、前記第２の周波数はアンライセンスドバンドに対応することが好ましい。
【０３７９】
本実施形態の第３の態様および第４の態様において、前記検出信号は下りリンクのＬＢＴ（Listen Before Talk）に基づいて送信されることが好ましい。
【０３８０】
本実施形態の第３の態様および第４の態様において、前記セル固有参照信号に基づく測定と前記検出信号に基づく測定結果は、ＲＳＲＰ（Reference Signal Received Power）
の測定結果であることが好ましい。
【０３８１】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【０３８２】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別す
る５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【０３８３】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【０３８４】
報知情報として、セル個別の識別子を示すセルグローバル識別子（ＣＧＩ；  Ｃｅｌｌ
Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【０３８５】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【０３８６】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳと称され、拡張物理下りリンク制御チャネル、または物理下りリンク共用チャネルを復調するときのチャネルの伝搬路補償処理のために参照される。
【０３８７】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【０３８８】
端末装置は、下りリンクデータや上位層制御情報であるレイヤ２メッセージおよびレイ
ヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【０３８９】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【０３９０】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【０３９１】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【０３９２】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【０３９３】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【０３９４】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【０３９５】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【０３９６】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【０３９７】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０３９８】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【０３９９】
また、端末装置と基地局装置は、キャリアアグリゲーションによって複数の異なる周波
数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【０４００】
例えば、キャリアアグリゲーションによって周波数帯域幅が２０ＭＨｚのコンポーネントキャリアを５つ集約した場合、キャリアアグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【０４０１】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【０４０２】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【０４０３】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【０４０４】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【０４０５】
なお、キャリアアグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【０４０６】
基地局装置は端末装置が該基地局装置で通信可能なエリアであるセルを周波数毎に管理
する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【０４０７】
言い換えると、キャリアアグリゲーション（キャリアアグリゲーションとも称す）において、設定された複数のサービングセルは、１つのプライマリセルと１つまたは複数のセカンダリセルとを含む。
【０４０８】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【０４０９】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。また、割り当て周波数が設定されるセルはノーマルセル（従来のセル）とも呼称され、ノーマルセルにおけるサブフレームはノーマルサブフレーム（従来のサブフレーム）とも呼称される。ノーマルサブフレームは、下りリンクサブフレーム、上りリンクサブフレームおよびスペシャルサブフレームを含む。本実施形態において、ノーマルサブフレームは、ＬＡＡセルで用いられるサブフレームと区別して説明される。
【０４１０】
ＬＡＡセルは、プライマリセルおよび／またはセカンダリセルとデュアルコネクティビティによって、集約（アシスト）されてもよい。
【０４１１】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【０４１２】
なお、キャリアアグリゲーションは、複数のセルを一つの基地局装置２が管理し、各セルの周波数が異なるという点がデュアルコネクティビティと異なる。換言すると、キャリアアグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【０４１３】
端末装置１と基地局装置２は、キャリアアグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【０４１４】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【０４１５】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【０４１６】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【０４１７】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【０４１８】
なお、基地局装置２−２とＭＭＥが、ＭＭＥインターフェースによって直接接続されるような構成であってもよい。
【０４１９】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカン
ダリ基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【０４２０】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリ基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリ基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【０４２１】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【０４２２】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【０４２３】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【０４２４】
プライマリセルでは、すべての信号が送受信可能であるが、セカンダリセルでは、送受
信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【０４２５】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【０４２６】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【０４２７】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【０４２８】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【０４２９】
図３は、本実施形態に係る基地局装置２のブロック構成の一例を示す概略図である。基地局装置２は、上位層（上位層制御情報通知部、上位層処理部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフ
レーム処理部５１０は、上りリンク制御情報抽出部（ＣＳＩ取得部）５１１を有する。
【０４３０】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部、上位層処理部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【０４３１】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【０４３２】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレー
ム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ
Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部５０２は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部５０２は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層５０１に送られる。トランスポートブロックには、上位層制御情報が含まれており、上位層５０１は上位層制御情報に基づいて制御部５０２に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部５０２に送られる。
【０４３３】
次に、上りリンク信号の送受信の流れについて説明する。端末装置１では制御部５０２の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部５０２は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層５０１から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部６１１において、ＳＣ−ＦＤＭＡ変調が施されＳＣ−ＦＤＭＡ信号が生成され、送信アンテナ５０７を介して送信される。
【０４３４】
以下では、ＬＡＡセルの詳細について説明する。
【０４３５】
ＬＡＡセルが用いる周波数は、他の通信システムおよび／または他のＬＴＥオペレータ
と共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【０４３６】
公平な周波数共用技術の一例は、ＬＢＴ（Listen-Before-Talk）である。ＬＢＴは、ある基地局または端末がある周波数（コンポーネントキャリア、セル）を用いて信号を送信する前に、その周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。
【０４３７】
ＬＢＴの手順は、ある基地局または端末がその周波数（チャネル）を用いる前にＣＣＡチェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。
【０４３８】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。
【０４３９】
なお、ＬＡＡセルにおけるＣＣＡは、そのＬＡＡセルに接続している（設定されている）端末が認識する必要はない。
【０４４０】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【０４４１】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定さ
れる）が、ＬＡＡセルは、第３のフレーム構成タイプ（frame structure type 3）が用いられる（設定される）。
【０４４２】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【０４４３】
ＬＡＡセルは、ＬＴＥにおける無線フレーム、物理信号、および／または物理チャネルなどの構成および通信手順に関して、従来の方式とは異なる方式を用いるセルとすることができる。
【０４４４】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＲＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【０４４５】
また、例えば、ＬＡＡセルでは、プライマリセルおよび／またはセカンダリセルで設定（送信）されない所定の信号および／またはチャネルが設定（送信）される。
【０４４６】
また、例えば、ＬＡＡセルでは、下りリンクコンポーネントキャリアまたはサブフレー
ムのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０４４７】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【０４４８】
また、例えば、ＬＡＡセルでは、信号および／またはチャネルの想定が、従来のセカンダリセルと異なる。
【０４４９】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【０４５０】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０４５１】
次に、ＬＡＡセルにおける信号および／またはチャネルの想定の一例を説明する。以下の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０４５２】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想
定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０４５３】
次に、ＬＡＡセルにおける通信手順の一例を説明する。ＬＡＡセルでは、ＬＢＴに基づいて、サブフレームの境界（Subframe boundary）に依存しないタイミングでチャネルお
よび／または信号の送信が開始できる。また、ＬＡＡセルでは、ＬＢＴと送信可能な最大バースト長に基づいて、サブフレームの境界（Subframe boundary）に依存しないタイミ
ングでチャネルおよび／または信号の送信が終了できる。すなわち、チャネルおよび／または信号は、部分サブフレームで送信できる。部分サブフレームは、例えば、以下のように定義できる。ここで、本実施形態において、部分サブフレームが示す送信可能なＯＦＤＭシンボルは、端末がチャネルおよび／または信号のそれぞれまたは全ての送信を想定するものとして定義できる。
（１）あるサブフレームにおいて、そのサブフレームの途中のＯＦＤＭシンボルから、そのサブフレームの最後のＯＦＤＭシンボル（サブフレームの境界）までの領域が送信できる。本実施形態において、第１の部分サブフレームとも呼称される。
（２）あるサブフレームにおいて、そのサブフレームの最初のＯＦＤＭシンボル（サブフレームの境界）から、そのサブフレームの途中のＯＦＤＭシンボルまでの領域が送信できる。本実施形態において、第２の部分サブフレームとも呼称される。
（３）あるサブフレームにおいて、そのサブフレームの途中のＯＦＤＭシンボルから、そのサブフレームの途中のＯＦＤＭシンボルまでの領域が送信できる。本実施形態において、第３の部分サブフレームとも呼称される。
【０４５４】
また、部分サブフレームにおいて、サブフレームの途中のＯＦＤＭシンボルは、所定数に制限できる。例えば、その所定数は２、３および／または４である。
【０４５５】
また、その所定数が２である場合、例えば、１スロットまたは１サブフレーム（２スロット）のいずれかとすることができる。すなわち、第２のＥＰＤＣＣＨの時間方向の単位が、１スロットまたは１サブフレームとなる。第２のＥＰＤＣＣＨの時間方向の単位が１スロットである場合、その第２のＥＰＤＣＣＨでスケジューリングされるＰＤＳＣＨの時間方向の単位も１スロットにすることができる。換言すると、従来のＬＴＥと同様に１サブフレームを単位とする通信方法（方式）と、従来のＬＴＥの半分である１スロットを単位とする通信方法とが、切り替えて用いられる。１スロットを単位とすることにより、無線通信における遅延を削減することが可能となる。これにより、従来のＬＴＥと同様の通信方法に加えて、無線通信における遅延を削減できる通信方法もさらに実現できる通信方法が可能となる。これは、ＬＡＡセルのみならず、従来の割り当て周波数帯域で用いられるＬＴＥにも適用できる。すなわち、本実施形態で説明する全ての方法や構成は、ＬＡＡセルのみならず、従来の割り当て周波数帯域で用いられるＬＴＥにも適用できる。
【０４５６】
ここで、ＬＡＡセルでは、ＬＢＴに基づいて、チャネルおよび／または信号の送信が可能になった場合にそのＬＡＡセルが送信できる期間が規定される。その期間は最大バースト長とも呼称され、その期間に送信されるチャネルおよび／または信号はバーストとも呼称される。例えば、最大バースト長は４ミリ秒（４サブフレーム長）である。そのため、それぞれのバーストにおいて、バーストの先頭のサブフレームは、第１の部分サブフレームであり、バーストの最後のサブフレームは、第２の部分サブフレームである。なお、部分サブフレームは、浮動サブフレームとも呼称される。また、部分サブフレームは、本実施形態で説明されるチャネルおよび／または信号が送信されない（送信できない）シンボ
ル／サブフレームを含むサブフレームであってもよい。
【０４５７】
また、あるサブフレームにおいて、そのサブフレームの最初のＯＦＤＭシンボル（サブフレームの境界）から、そのサブフレームの最後のＯＦＤＭシンボル（サブフレームの境界）までの領域が送信できるサブフレームは、フルサブフレームとも呼称される。フルサブフレームは、部分サブフレーム以外のサブフレームである。フルサブフレームは、それぞれのバーストにおいて、バーストの先頭のサブフレームまたはバーストの最後のサブフレーム以外のサブフレームである。フルサブフレームは、本実施形態で説明されるチャネルおよび／または信号が送信されない（送信できない）シンボル／サブフレームを含まないサブフレームであってもよい。また、ＬＡＡセルにおけるフルサブフレームは、ノーマルセルにおけるノーマルサブフレームと同一の構成および／または処理を行うサブフレームであってもよい。
【０４５８】
次に、ＬＡＡセルにおける通信手順の一例を説明する。ＬＡＡセルでは、ＬＢＴに基づいて、チャネルおよび／または信号の送信が可能になった場合にそのＬＡＡセルが送信できる期間が規定される。その期間は最大バースト長とも呼称され、その期間に送信されるチャネルおよび／または信号はバーストとも呼称される。バーストは、１つ以上の連続した下りリンクサブフレームから構成される。更に、１つ以上の連続した上りリンクサブフレームがバーストに存在する場合は、１つ以上の連続した下りリンクサブフレームの後に１つ以上の連続した上りリンクサブフレームが続く構成が好ましい。なお、１つ以上の連続した下りリンクサブフレームと、１つ以上の連続した上りリンクサブフレームの間には下りリンク上りリンク切り替えのためのサブフレームが存在することが好ましい。
【０４５９】
また、説明のため、バーストにおける１つ以上の連続した下りリンクサブフレームを下りリンク送信バースト、バーストにおける１つ以上の連続した上りリンクサブフレームを上りリンク送信バースト、下りリンク上りリンク切り替えのためのサブフレームをスペシャルサブフレーム（ＬＡＡセルにおけるスペシャルサブフレーム）と呼称する。
【０４６０】
なお、ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。また、この設定は、従来のＴＤＤセルに設定されるスペシャルサブフレーム設定で用いられるＤｗＰＴＳ、ＧＰおよびＵｐＰＴＳと異なる時間の長さを用いることができる。すなわち、あるサブフレームにおいて送信が可能な時間の長さは、ＤｗＰＴＳ、ＧＰおよびＵｐＰＴＳのいずれかに基づいて決まる。
【０４６１】
また、ＬＡＡセルにおけるスペシャルサブフレームのＧＰにおいて端末はＬＢＴもしくはＣＣＡを行うことが好ましい。すなわち、端末はＬＢＴに基づいて、上りリンク送信バーストのための周波数がビジー状態（空いていない状態、混雑している状態、Presence、Occupied）であると識別（検出、想定、決定）した場合、該上りリンク送信バーストの送信をドロップする（行わない、キャンセルする、取りやめる）。すなわち、端末はＬＢＴに基づいて、上りリンク送信バーストのための周波数がアイドル状態（空いている状態、混雑していない状態、Absence、Clear）であると識別（検出、想定、決定）した場合、該上りリンク送信バーストの送信を行う。
【０４６２】
換言すると、バーストは、下りリンク送信バーストから構成される場合と、下りリンク送信バーストとスペシャルサブフレームと上りリンク送信バーストから構成される場合がある。なお、バーストに下りリンク送信バーストが存在せずに上りリンク送信バーストのみが存在する構成は、禁止されても良い。なお、バーストに下りリンク送信バーストが存在せずに上りリンク送信バーストのみが存在する場合は、バーストは上りリンク送信バーストのみで構成されても良い（すなわち、スペシャルサブフレームは存在しなくても良い）。
【０４６３】
また、バーストが、Ｎの連続する下りリンクサブフレームから構成される下りリンク送信バーストと、Ｍの連続する上りリンクサブフレームから構成される上りリンク送信バーストから構成される場合、ＮとＭは端末に対して通知されることが好ましい。更にＮとＭに加えてスペシャルサブフレームの設定が端末に対して通知されても良い。
【０４６４】
図５は、あるＬＡＡセルにおける通信手順の一例を示す図である。図５は、サブフレーム＃０〜９で示した１０個のサブフレームと、サブフレーム＃３におけるシンボル＃０〜１３の１４個のシンボル（ＯＦＤＭシンボル）を示している。また、この一例では、ＬＡＡセルは最大４ミリ秒（４サブフレームに相当）の信号を送信でき、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図５では、ＬＡＡセルは、サブフレーム＃３におけるシンボル＃６からサブフレーム＃６における所定のシンボルまで信号を送信する。
【０４６５】
図５において、チャネルおよび／または信号が送信されない（送信できない）シンボル／サブフレームで示されたシンボルまたはサブフレームでは、そのＬＡＡは何も送信しないことを示している。また、図５において、チャネルおよび／または信号が送信される（送信できる）シンボル／サブフレームで示されたシンボルまたはサブフレームでは、そのＬＡＡは少なくともＰＤＳＣＨと、ＰＤＳＣＨに関連付けられる端末固有参照信号とを送信することを示している。また、ＰＤＳＣＨは、リソースブロックペアを単位として、それぞれの端末に対してマッピング（スケジューリング）される。そのマッピング（スケジューリング）に関する情報は、それぞれのサブフレームで送信されるＰＤＣＣＨまたはＥＰＤＣＣＨを通じて通知される。あるサブフレームにおけるＰＤＳＣＨに対するマッピング情報は、同じサブフレームで通知されてもよいし、別のサブフレームで通知されてもよい。
【０４６６】
図５において、ＬＡＡセルがサブフレーム＃３におけるシンボル＃６〜１３を用いてＰＤＳＣＨを送信する場合、そのＰＤＳＣＨを受信する端末は、そのＰＤＳＣＨがサブフレーム＃３におけるシンボル＃６〜１３にマッピングされていることを認識する必要がある。
【０４６７】
その認識する方法の一例では、そのＬＡＡセルの所定のサブフレーム（例えば、サブフレーム＃３）において、チャネルおよび／または信号が送信されるシンボルを認識するための情報が用いられる。例えば、その情報は以下のいずれか、またはそれらを組み合わせた情報である。
（１）その情報は、その所定のサブフレームにおいて、チャネルおよび／または信号が送信されるシンボルのスタートシンボルを示す情報である。スタートシンボルを示す情報は、０から１３のいずれかであり、それぞれの値がスタートシンボルとなるシンボル番号を示す。
（２）その情報は、その所定のサブフレームにおいて、チャネルおよび／または信号
が送信されるシンボルのスタートシンボルを示す情報である。スタートシンボルを示す情報は、０から１３の値から予め規定された値がインデックス化されたインデックス情報である。
（３）その情報は、その所定のサブフレームにおいて、チャネルおよび／または信号が送信されるシンボルを示すビットマップの情報である。ビットマップの情報は、１４ビットで構成される。ビットマップの情報において、各ビットが一方の状態（例えば、１）である場合、チャネルおよび／または信号が送信されるシンボルを示し、各ビットがもう一方の状態（例えば、０）である場合、チャネルおよび／または信号が送信されないシンボルを示す。
（５）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３のいずれかであり、それぞれの値がその最後のシンボルとなるシンボル番号を示す。例えば、そのシンボル数を示す情報は、１から１４のいずれかであり、それぞれの値がそのシンボル数を示す。
（６）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３の値から予め規定された値がインデックス化されたインデックス情報である。例えば、そのシンボル数を示す情報は、１から１４の値から予め規定された値がインデックス化されたインデックス情報である。
【０４６８】
また、チャネルおよび／または信号が送信されるシンボルを認識するための情報の通知方法は、例えば、以下のような方法を用いる。
（１）その情報は、ＲＲＣのシグナリングまたはＭＡＣのシグナリングを通じて、そのＬＡＡセルに対して設定（通知）されるパラメータにより通知される。あるサービングセルがＬＡＡセルである場合、あるサブフレームにおいて、設定されたシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１であると設定される。チャネルおよび／または信号が送信されないシンボルは、あるサブフレームにおいて、シンボル＃２〜１３であると設定される。また、この設定は、チャネルおよび／または信号によって異なっても（独立であっても）よい。例えば、あるサブフレームにおいて、端末は、ＥＰＤＣＣＨがシンボル＃２〜１３にマッピングされると設定され、ＰＤＳＣＨがシンボル＃１〜１３にマッピングされると設定される。また、例えば、ＬＡＡセルに対して設定されるＰＤＳＣＨのスタートシンボルの範囲（取りうる値）は、従来のセカンダリセルに対して設定されるＰＤＳＣＨのスタートシンボルの範囲（１〜４）とは異なることができる。ＬＡＡセルに対して設定されるＰＤＳＣＨおよび／またはＥＰＤＣＣＨのスタートシンボルの範囲は、０〜１３である。
（２）その情報は、そのＬＡＡセル、またはそのＬＡＡセルとは異なるサービングセル（アシストセル、プライマリセル、またはセカンダリセル）から送信されるＰＤＣＣＨまたはＥＰＤＣＣＨにより通知される。ＰＤＣＣＨまたはＥＰＤＣＣＨにより運ばれる（送信される）ＤＣＩはその情報を含む。
（３）その情報は、その情報を通知するためのチャネルまたは信号により通知される。その情報を通知するためのチャネルまたは信号は、ＬＡＡセルのみに対して送信される。その情報を通知するためのチャネルまたは信号は、そのＬＡＡセル、またはそのＬＡＡセルとは異なるサービングセル（アシストセル、プライマリセル、またはセカンダリセル）から送信される。
（４）その情報の候補は、ＲＲＣのシグナリングまたはＭＡＣのシグナリングを通じて、そのＬＡＡセルに対して、設定（通知）される。その情報の候補の中から、ＰＤＣＣ
ＨまたはＥＰＤＣＣＨにより運ばれる（送信される）ＤＣＩに含まれる情報に基づいて、選択される。例えば、ＲＲＣのシグナリングまたはＭＡＣのシグナリングを通じて、４つのスタートシンボルを示す情報が設定され、それらの１つを示す２ビットの情報がＰＤＣＣＨまたはＥＰＤＣＣＨのシグナリングによって通知される。
（５）その情報は、あるサブフレームにおける所定のリソースエレメントにマッピングされるチャネルまたは信号によって通知される。例えば、その所定のリソースエレメントは、所定のシンボルにおける複数のリソースエレメントである。例えば、所定のシンボルは、そのサブフレームにおける最後のシンボルである。その情報を通知するためのチャネルまたは信号がマッピングされるサブフレームは、ＬＡＡセルにおける全てのサブフレームであってもよいし、予め規定されたサブフレームまたはＲＲＣのシグナリングによって設定されたサブフレームであってもよい。
（６）その情報は、予め規定される。あるサービングセルがＬＡＡセルである場合、あるサブフレームにおいて、所定のシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１である。チャネルおよび／または信号が送信されないシンボルは、あるサブフレームにおいて、シンボル＃２〜１３である。また、この規定は、チャネルおよび／または信号によって異なっても（独立であっても）よい。例えば、あるサブフレームにおいて、端末は、ＥＰＤＣＣＨがシンボル＃２〜１３にマッピングされると想定し、ＰＤＳＣＨがシンボル＃１〜１３にマッピングされると想定する。
【０４６９】
その認識する方法の別の一例では、そのＬＡＡセルの所定のサブフレーム（例えば、サブフレーム＃３）において、端末がチャネルおよび／または信号が送信されるシンボルを検出する。また、端末は、その検出を行うためのアシスト情報が設定されてもよい。例えば、その検出の方法は、以下のような方法を用いる。
（１）その検出は、その所定のサブフレームにマッピングされる所定の信号に基づいて行われる。端末は、その所定のサブフレームにおいて、予め規定された信号または設定された信号が検出されたかどうかに基づいて、チャネルおよび／または信号が送信されるシンボルを検出する。端末は、その所定のサブフレームのあるシンボルにおいて、予め規定された信号または設定された信号が検出された場合、その所定のサブフレームにおいて、そのあるシンボル以降のシンボルがチャネルおよび／または信号が送信されるシンボルとして認識する。例えば、予め規定された信号または設定された信号は、ＣＲＳ、ＤＭＲＳ、および／またはＵＲＳである。
（２）その検出は、その所定のサブフレームにマッピングされる所定のチャネルに基づいて行われる。端末は、その所定のサブフレームにおいて、予め規定されたチャネルまたは設定されたチャネルが検出されたかどうかに基づいて、チャネルおよび／または信号が送信されるシンボルを検出する。端末は、その所定のサブフレームのあるシンボルにおいて、予め規定されたチャネルまたは設定されたチャネルが検出された場合、その所定のサブフレームにおいて、そのあるシンボル以降のシンボルがチャネルおよび／または信号が送信されるシンボルとして認識する。例えば、予め規定されたチャネルまたは設定されたチャネルは、ＥＰＤＣＣＨである。具体的には、端末は、その所定のサブフレームにおいて、あるシンボル以降のシンボルにＥＰＤＣＣＨがマッピングされていると想定して、ＥＰＤＣＣＨのモニタリング（検出処理、ブラインド検出）を行う。ここで、端末は、ＥＰＤＣＣＨがマッピングされていると想定するスタートシンボルをブラインド検出してもよい。また、ＥＰＤＣＣＨがマッピングされていると想定するスタートシンボルまたはスタートシンボルの候補は、予め規定されてもよいし、設定されてもよい。
【０４７０】
また、図５のサブフレーム＃３において、ＰＤＣＣＨ、ＥＰＤＣＣＨおよび／またはＰＤＳＣＨのリソースエレメントへのマッピング方法が、他のサブフレームにおけるマッピング方法と異なってもよい。  例えば、そのマッピング方法は、以下の方法を用いること
ができる。なお、以下のマッピング方法（マッピング順序）は、参照信号や同期信号などの他の信号にも適用できる。
（１）そのマッピング方法は、ＰＤＣＣＨ、ＥＰＤＣＣＨおよび／またはＰＤＳＣＨがそのサブフレームにおける最後のシンボルからマッピングされる。すなわち、ＰＤＣＣＨ、ＥＰＤＣＣＨおよび／またはＰＤＳＣＨのリソースエレメント（ｋ，ｌ）へのマッピングは、割り当てられた物理リソースブロックであり、マッピングが可能なリソースエレメントにおいて、ＯＦＤＭシンボル番号ｌが最大のＯＦＤＭシンボル（すなわち、スロットにおける最後のシンボル）から順にマッピングされる。また、マッピングは、サブフレームの最後のスロット（２番目のスロット）から順に行われる。また、それぞれのＯＦＤＭシンボルでは、それらのチャネルはサブキャリア番号ｋが最小のサブキャリアから順にマッピングされる。
（２）そのマッピング方法は、ＰＤＣＣＨ、ＥＰＤＣＣＨおよび／またはＰＤＳＣＨは、チャネルおよび／または信号が送信されないシンボルをスキップして、チャネルおよび／または信号が送信されるシンボル内のリソースエレメントに対してマッピングされる。すなわち、ＰＤＣＣＨ、ＥＰＤＣＣＨおよび／またはＰＤＳＣＨのマッピングにおいて、チャネルおよび／または信号が送信されないシンボルのリソースエレメントはレートマッチングされる。
（３）そのマッピング方法は、ＰＤＣＣＨ、ＥＰＤＣＣＨおよび／またはＰＤＳＣＨは、チャネルおよび／または信号が送信されないシンボルをスキップせずに、チャネルおよび／または信号が送信されるシンボル内のリソースエレメントに対してマッピングされる。換言すると、ＰＤＣＣＨ、ＥＰＤＣＣＨおよび／またはＰＤＳＣＨは、チャネルおよび／または信号が送信されるシンボルとチャネルおよび／または信号が送信されないシンボルとを区別せずにマッピングが適用されるが、チャネルおよび／または信号が送信されないシンボルにマッピングされるチャネルは送信されず、チャネルおよび／または信号が送信されるシンボルにマッピングされるチャネルが送信される。すなわち、ＰＤＣＣＨ、ＥＰＤＣＣＨおよび／またはＰＤＳＣＨのマッピングにおいて、チャネルおよび／または信号が送信されないシンボルのリソースエレメントはパンクチャリングされる。
【０４７１】
図６は、あるＬＡＡセルにおける通信手順の一例を示す図である。以下では、図５で説明した内容との違いを説明する。この一例では、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。ＬＡＡセルは、サブフレーム＃３におけるシンボル＃５からサブフレーム＃６における所定のシンボルまで信号を送信する。
【０４７２】
図６の一例では、サブフレーム＃３におけるシンボル＃６および７は、予約信号が送信されるシンボルである。予約信号は、ＣＣＡを行うシンボル（すなわち、シンボル＃５）の直後から、チャネルおよび／または信号が送信されるシンボル（すなわち、シンボル＃６）の直前まで、送信される。この予約信号による効果は以下の通りである。図５で説明したように、チャネルおよび／または信号が送信されるシンボルの候補が、予め規定される場合または設定される場合においても、ＬＡＡセルは、ＣＣＡをその候補の数に依存せずに柔軟に行うことができる。
【０４７３】
予約信号は、そのＬＡＡセルから送信されるチャネルおよび／または信号を受信する端末であっても、受信（認識）されなくてもよい。すなわち、予約信号は、ＣＣＡを行った後にチャネルおよび／または信号を送信できない場合、そのＣＣＡを行ったＬＡＡセルがその周波数を確保（予約）するために送信される。
【０４７４】
予約信号が送信されるシンボルは、チャネルおよび／または信号が送信されるシンボルで送信されるチャネルおよび／または信号とは異なるチャネルおよび／または信号がマッ
ピングされてもよい。すなわち、予約信号が送信されるシンボルにマッピングされるチャネルおよび／または信号は、端末に認識（受信）される。例えば、端末は、予約信号が送信されるシンボルにマッピングされるチャネルおよび／または信号に基づいて、チャネルおよび／または信号が送信されるシンボルを識別する。また、例えば、端末は、予約信号が送信されるシンボルにマッピングされるチャネルおよび／または信号を用いて、そのＬＡＡセルと同期（同定）する。
【０４７５】
また、本実施形態における予約信号は、初期信号とも呼称される。初期信号は、バーストの先頭で送信される信号であり、そのバースト内のＰＤＳＣＨ、ＥＰＤＣＣＨ、ＰＤＣＣＨおよび／または参照信号とは区別できる。また、初期信号は、そのバーストに関する制御情報、そのバースト内のチャネルおよび／または信号に関する制御情報、またはそのバーストを送信しているセルに関する制御情報を含むことができる。
【０４７６】
図７は、あるＬＡＡセルにおける通信手順の一例を示す図である。以下では、図５で説明した内容との違いを説明する。この一例では、図５の一例と同様に、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図７では、ＬＡＡセルは、サブフレーム＃３におけるシンボル＃６から、４ミリ秒後のサブフレーム＃７におけるシンボル＃５まで信号を送信する。
【０４７７】
図７の一例では、ＬＡＡセルは、ＣＣＡを行うシンボルを含むサブフレームにおいて、ＣＣＡを行うシンボル直後のシンボルから最後のシンボルまで、予約信号を送信する。また、ＬＡＡセルは、ＣＣＡを行うシンボルを含むサブフレームの次のサブフレームから、チャネルおよび／または信号を送信する。また、図７における予約信号は、図６で説明された予約信号を含む。
【０４７８】
例えば、図７において、端末は、サブフレーム＃４以降のサブフレームで、チャネルおよび／または信号が送信されると想定することができる。これにより、端末は、サブフレームの最初のシンボルからチャネルおよび／または信号が送信されると想定する。そのため、ＬＡＡセルを含む基地局は、その端末に対して、チャネルおよび／または信号の送信と、そのチャネルおよび／または信号のための制御情報の通知に関して、従来と同様の方法を用いることができる。
【０４７９】
また、図７では、ＬＡＡセルは、サブフレーム＃７において、最初のシンボルからシンボル＃５まで、チャネルおよび／または信号を送信できる。例えば、ＬＡＡセルは、端末に対して、サブフレーム＃７における所定のシンボルからシンボル＃５までのリソースにマッピングされるＰＤＳＣＨおよび／またはＥＰＤＣＣＨを送信できる。また、ＬＡＡセルは、端末に対して、サブフレーム＃７における最初のシンボルから所定のシンボルまでのリソースにマッピングされるＰＤＣＣＨを送信できる。例えば、所定のシンボルは、ＰＣＦＩＣＨで送信される情報であり、ＰＤＣＣＨの送信のために用いられるＯＦＤＭシンボルの数についての情報に基づいて決まる。また、例えば、所定のシンボルは、ＲＲＣのシグナリングによって設定される制御情報であり、ＥＰＤＣＣＨ、ＰＤＣＣＨによってスケジューリングされるＰＤＳＣＨ、およびＥＰＤＣＣＨによってスケジューリングされるＰＤＳＣＨのためのＯＦＤＭスタートシンボルを示す情報に基づいて決まる。
【０４８０】
また、図７では、ＬＡＡセルは、サブフレーム＃７において、チャネルおよび／または信号が送信される最後のシンボルを、端末に通知または設定することができる。ＬＡＡセルのあるサブフレームにおいて、端末がその最後のシンボルを認識するための情報とその情報の通知方法は、図５の一例で説明された方法を使用できる。図５の一例で説明された方法は、図５におけるチャネルおよび／または信号が送信されるシンボルを認識するため
の情報とその情報の通知方法である。例えば、ＬＡＡセルは、その最後のシンボルに関する情報を、サブフレーム＃７で送信されるＰＤＣＣＨまたはＥＰＤＣＣＨで通知されるＤＣＩに含める。これにより、ＬＡＡセルは、図７におけるサブフレーム＃７のように、チャネルおよび／または信号をサブフレームの途中のシンボルまで送信できる場合に、効率よくリソースを使用できる。また、例えば、ＬＡＡセルは、その最後のシンボルに関する情報を、ＲＲＣのシグナリングまたはＭＡＣのシグナリングによって設定される情報に含める。
【０４８１】
また、図７において、サブフレーム＃３における送信方法とサブフレーム＃７における送信方法とが組み合わせて用いられる方法が説明されたが、これに限定されるものではない。サブフレーム＃３における送信方法とサブフレーム＃７における送信方法はそれぞれ独立に用いられてもよい。また、図５〜７で説明された方法の一部または全部が、それぞれ組み合わせて用いられてもよい。
【０４８２】
また、図７のサブフレーム＃７において、ＰＤＣＣＨ、ＥＰＤＣＣＨおよび／またはＰＤＳＣＨのリソースエレメントへのマッピングが、他のサブフレームにおけるマッピングと異なってもよい。
【０４８３】
また、ＬＡＡセルにおいて、１つのサブフレームにおける全てのＯＦＤＭシンボルにチャネルおよび／または信号を送信できるサブフレーム（すなわち、図５〜７におけるサブフレーム＃４〜６）は、１つのサブフレームにおける一部のＯＦＤＭシンボルにチャネルおよび／または信号を送信できないサブフレーム（すなわち、図５〜７におけるサブフレーム＃３、および図７におけるサブフレーム＃７）とは異なるサブフレームとして、認識、設定、または通知されてもよい。例えば、１つのサブフレームにおける全てのＯＦＤＭシンボルにチャネルおよび／または信号を送信できるサブフレームは、従来のサービングセルにおけるサブフレームと同等である。
【０４８４】
本実施形態において、１つのサブフレームにおける全てのＯＦＤＭシンボルにチャネルおよび／または信号を送信できないサブフレームは、第１のＬＡＡサブフレームとも呼称される。１つのサブフレームにおける一部のＯＦＤＭシンボルにチャネルおよび／または信号を送信できないサブフレームは、第２のＬＡＡサブフレームとも呼称される。１つのサブフレームにおける全てのＯＦＤＭシンボルにチャネルおよび／または信号を送信できるサブフレームは、第３のＬＡＡサブフレームとも呼称される。また、第２のＬＡＡサブフレームは、部分サブフレームとも呼称され、第３のＬＡＡサブフレームは、フルサブフレームとも呼称される。なお、第２のＬＡＡサブフレームは、第１の部分サブフレーム、第２の部分サブフレーム、および／または第３の部分サブフレームを含む。
【０４８５】
また、端末が第１のＬＡＡサブフレームと第２のＬＡＡサブフレームと第３のＬＡＡサブフレームとを認識するための方法は、本実施形態において説明された方法を用いることができる。例えば、それらを認識するための方法は、チャネルおよび／または信号が送信されるシンボルを認識するための情報と、その通知方法を用いる。
【０４８６】
また、端末が第１のＬＡＡサブフレームと第２のＬＡＡサブフレームと第３のＬＡＡサブフレームとを認識するための方法は、ＰＤＣＣＨまたはＲＲＣのシグナリングによって、明示的に通知または設定されてもよい。
【０４８７】
また、端末が第１のＬＡＡサブフレームと第２のＬＡＡサブフレームと第３のＬＡＡサブフレームとを認識するための方法は、ＰＤＣＣＨまたはＲＲＣのシグナリングによって通知または設定される情報（パラメータ）に基づいて、黙示的に通知または設定されてもよい。例えば、端末は、ＣＲＳのマッピングに関する情報に基づいて、第１のＬＡＡサブ
フレームと第２のＬＡＡサブフレームと第３のＬＡＡサブフレームとを認識する。
【０４８８】
また、端末が、あるサブフレームが第２のＬＡＡサブフレームであると認識した場合、そのあるサブフレームの次のサブフレーム以降の所定数のサブフレームが第３のＬＡＡサブフレームであると認識する。また、端末は、第３のＬＡＡサブフレームであると認識した最後のサブフレームの次のサブフレーム以降のサブフレームが、第２のＬＡＡサブフレームであると認識するまで、第１のＬＡＡサブフレームであると認識する。また、その所定数（すなわち、第３のＬＡＡサブフレームであると認識するサブフレーム数）は、予め規定されてもよい。その所定数は、ＬＡＡセルにおいて設定されてもよい。その所定数は、第２のＬＡＡサブフレームにマッピングされるチャネルおよび／または信号によって通知されてもよい。
【０４８９】
また、第２のＬＡＡサブフレームと第３のＬＡＡサブフレームにおいて、ＰＤＳＣＨおよび／またはＥＰＤＣＣＨのスタートシンボルがそれぞれ独立に規定または設定される。
【０４９０】
また、図５〜７において、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０４９１】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。
【０４９２】
また、図５〜７におけるサブフレーム＃３のように、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０４９３】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０４９４】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵ
ｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０４９５】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０４９６】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０４９７】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０４９８】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０４９９】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリーセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリ
セルが１１個または２７個まで設定される。
【０５００】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０５０１】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０５０２】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティ
は、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０５０３】
次に、第２のＥＰＤＣＣＨに関連する端末ケイパビリティを説明する。本実施形態にお
ける端末ケイパビリティの一例において、第２のＥＰＤＣＣＨに関連する端末ケイパビリティのフィールドは、端末が第２のＥＰＤＣＣＨのＵＳＳおよび／またはＣＳＳにおけるＤＣＩを受信できるかどうかを定義する。すなわち、その端末が第２のＥＰＤＣＣＨのＵＳＳおよび／またはＣＳＳにおけるＤＣＩを受信できる場合、その端末は第２のＥＰＤＣＣＨに関連する端末ケイパビリティのフィールドでサポートしていること（Supported）
を通知する。また、その端末が第２のＥＰＤＣＣＨのＵＳＳおよび／またはＣＳＳにおけるＤＣＩを受信できない場合、その端末は第２のＥＰＤＣＣＨに関連する端末ケイパビリティのフィールドを通知しない。
【０５０４】
また、その端末が第２のＥＰＤＣＣＨのＵＳＳおよび／またはＣＳＳにおけるＤＣＩを受信できる場合、その端末は第１のＥＰＤＣＣＨのＵＳＳにおけるＤＣＩを受信する能力を有する。すなわち、その端末が第２のＥＰＤＣＣＨに関連する端末ケイパビリティのフィールドでサポートしていること（Supported）を通知する場合、第１のＥＰＤＣＣＨに
関連する端末ケイパビリティのフィールドでサポートしていること（Supported）を通知
する。また、その端末が第２のＥＰＤＣＣＨに関連する端末ケイパビリティのフィールドでサポートしていること（Supported）を通知する場合、その端末は第１のＥＰＤＣＣＨ
のＵＳＳにおけるＤＣＩを受信する能力を有することを示すようにしてもよい。
【０５０５】
また、その端末が第２のＥＰＤＣＣＨのＵＳＳおよび／またはＣＳＳにおけるＤＣＩを受信できる場合、その端末はＬＡＡに関する能力（例えば、上記で説明したものを含む）も有する。すなわち、その端末が第２のＥＰＤＣＣＨに関連する端末ケイパビリティのフィールドでサポートしていること（Supported）を通知する場合、ＬＡＡに関連する端末
ケイパビリティのフィールドでサポートしていること（Supported）を通知する。また、
その端末が第２のＥＰＤＣＣＨに関連する端末ケイパビリティのフィールドでサポートしていること（Supported）を通知する場合、その端末はＬＡＡに関する能力も有すること
を示すようにしてもよい。
【０５０６】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０５０７】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０５０８】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０５０９】
また、本実施形態において、チャネルおよび／または信号が送信されない（送信できな
い）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０５１０】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０５１１】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０５１２】
また、本実施形態において、ＬＡＡセルは、所定の周波数バンドを用いるサービングセルとしてもよい。
【０５１３】
次に、拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）について説明する。なお、ＥＰＤＣＣＨは、ＰＤＳＣＨなどの他の物理チャネルと同様、リソースエレメント（ＲＥ：Ｒｅｓｏｕｒｃｅ  Ｅｌｅｍｅｎｔ）を用いて送受信される。アンテナポートＰに対するリソースグリッド（送信される信号をスロット毎に、サブキャリアとＯＦＤＭシンボルとのグリッドによって記載したもの）の各要素（１つのサブキャリアかつ１つのＯＦＤＭシンボルに対応する要素）は、ＲＥと呼ばれ、１つのスロット内でインデクスのペアであるｋ（０から開始し、周波数軸方向に昇順なインデクス）およびｌ（０から開始し、時間軸方向に昇順なインデクス）によって一意に識別される。
【０５１４】
ＥＰＤＣＣＨは、ノーマルセルにおけるノーマルサブフレーム、ＬＡＡセルにおける部分サブフレーム、および／またはＬＡＡセルにおけるフルサブフレームで、その構成および／または処理をそれぞれ異なってもよい。例えば、部分サブフレームにおいて、ノーマルサブフレームおよび／またはフルサブフレームで用いられるＥＰＤＣＣＨよりも少ないＯＦＤＭシンボルで構成されるＥＰＤＣＣＨが用いられる。本実施形態において、ノーマルサブフレームで用いられるＥＰＤＣＣＨは、第１のＥＰＤＣＣＨとも呼称され、部分サブフレームで用いられるＥＰＤＣＣＨは、第２のＥＰＤＣＣＨとも呼称される。なお、フルサブフレームにおいて、第１のＥＰＤＣＣＨおよび／または第２のＥＰＤＣＣＨが用いられてもよい。
【０５１５】
図８は、１つのＲＢペアにおけるＥＲＥＧ構成の一例を示す。ＥＲＥＧ（Ｅｎｈａｎｃｅｄ  ＲＥ  Ｇｒｏｕｐ）は、ＥＰＤＣＣＨのＲＥへのマッピングを規定するために用いられる。リソースブロックペア毎に、０から１５までの番号が振られた１６個のＥＲＥＧがある。１つのＰＲＢペア内で、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに、周波数が先で時間が後の昇順で、０から１５まで循環的に番号が振られる。図８において、斜線で網掛けしたリソースエレメントはＤＭＲＳを運ぶために用いられる。そのＰＲＢペア内の番号ｉが振られたすべてのＲＥが、ｉの番号が振られたＥＲＥＧを構成する。ここで、ＣＰとは、下りリンクにおけるＯＦＤＭシンボル（上りリンクの場合はＳＣ−ＦＤＭＡシ
ンボル）の有効シンボル区間の前方に付加される信号であり、有効シンボル区間内の一部（通常は最後部）がコピーされた信号である。ＣＰ長には通常の長さ（例えば有効シンボル長２０４８サンプルに対して１６０サンプルあるいは１４４サンプル）の通常のＣＰと、通常のＣＰよりも長い（例えば有効シンボル長２０４８サンプルに対して５１２サンプルあるいは１０２４サンプル）拡張のＣＰの２種類がある。
【０５１６】
ここで、ＥＲＥＧの構成は、第１のＥＰＤＣＣＨまたは第２のＥＰＤＣＣＨに関わらず同一にすることができる。すなわち、第１のＥＰＤＣＣＨまたは第２のＥＰＤＣＣＨにおけるＥＲＥＧは、リソースブロックペア毎に、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに対して規定される。これにより、ＤＭＲＳの構成が異なる場合でも、ＥＲＥＧを構成するためのＲＥは異なるが、ＥＲＥＧを構成するための定義は同じである。
【０５１７】
図８で示すように、１つＲＢペアは、２つのＲＢで構成される。それぞれのＲＢは、時間方向に７つのＯＦＤＭシンボルと、周波数方向に１２のサブキャリアとで示されるリソースエレメントで構成される。図８において、ＤＭＲＳは、斜線で網掛けしたリソースエレメントにマッピングされる。また、それぞれのＤＭＲＳは、２チップの直交符号で構成され、２つまでのＤＭＲＳが符号分割多重できる。アンテナポート１０７および１０８のＤＭＲＳは、それぞれのスロットにおけるＯＦＤＭシンボル番号５および６であり、サブキャリア番号０、５および１０であるＲＥにマッピングされる。アンテナポート１０９および１１０のＤＭＲＳは、それぞれのスロットにおけるＯＦＤＭシンボル番号５および６であり、サブキャリア番号１、６および１１であるＲＥにマッピングされる。ここで、第１のＥＰＤＣＣＨに関連付けられるＤＭＲＳは、図８で説明したＤＭＲＳを用いることができる。
【０５１８】
第２のＥＰＤＣＣＨに関連付けられるＤＭＲＳの一例は、図８で説明したＤＭＲＳを用いることができる。すなわち、第２のＥＰＤＣＣＨに関連付けられるＤＭＲＳは、第１のＥＰＤＣＣＨに関連付けられるＤＭＲＳと同様の構成を用いることができるが、第２のＥＰＤＣＣＨが送信できないＯＦＤＭシンボルにＤＭＲＳが含まれる場合、そのＤＭＲＳは送信されない。例えば、スロット１におけるＯＦＤＭシンボル＃０〜６の部分サブフレームにおいて、第２のＥＰＤＣＣＨに関連付けられるＤＭＲＳは、スロット１におけるＯＦＤＭシンボル＃５および６のみにマッピングされ、スロット０におけるＯＦＤＭシンボル＃５および６のみにマッピングされない。また、２チップの直交符号がマッピングされる２つＯＦＤＭシンボルのうちいずれかのＯＦＤＭシンボルが送信できない場合、そのＤＭＲＳは送信されないと想定される。
【０５１９】
第２のＥＰＤＣＣＨに関連付けられるＤＭＲＳの別の一例は、第２のＥＰＤＣＣＨの送信に用いられるＯＦＤＭシンボルに応じて決まる。具体的には、第２のＥＰＤＣＣＨの送信に用いられるＯＦＤＭシンボルの構成に応じて、第２のＥＰＤＣＣＨに関連付けられるＤＭＲＳがマッピングされるＲＥがそれぞれ規定される。第２のＥＰＤＣＣＨの送信に用いられるＯＦＤＭシンボルの構成は、所定数のパターンが予め規定できる。すなわち、第２のＥＰＤＣＣＨに関連付けられるＤＭＲＳの構成も、同様に所定数のパターンが予め規定できる。
【０５２０】
図９は、第１の部分サブフレームに用いられる第２のＥＰＤＣＣＨに関連付けられるＤＭＲＳの構成の一例を示す図である。図９において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。すなわち、図９の（ａ）では、スロット０のＯＦＤＭシンボル＃０が第２のＥＰＤＣＣＨ
のスタートシンボルであり、図９の（ｂ）では、スロット０のＯＦＤＭシンボル＃３が第２のＥＰＤＣＣＨのスタートシンボルであり、図９の（ｃ）では、スロット１のＯＦＤＭシンボル＃０が第２のＥＰＤＣＣＨのスタートシンボルであり、図９の（ｄ）では、スロット１のＯＦＤＭシンボル＃０が第２のＥＰＤＣＣＨのスタートシンボルであり、図９の（ｅ）では、スロット１のＯＦＤＭシンボル＃３が第２のＥＰＤＣＣＨのスタートシンボルである。図９に示すように、第２のＥＰＤＣＣＨのスタートシンボルに応じて、第２のＥＰＤＣＣＨに関連付けられるＤＭＲＳの構成はそれぞれ規定できる。
【０５２１】
図１０は、第２の部分サブフレームに用いられる第２のＥＰＤＣＣＨに関連付けられるＤＭＲＳの構成の一例を示す図である。図１０において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。すなわち、図１０の（ａ）では、スロット１のＯＦＤＭシンボル＃６が第２のＥＰＤＣＣＨのエンドシンボルであり、図１０の（ｂ）では、スロット１のＯＦＤＭシンボル＃３が第２のＥＰＤＣＣＨのエンドシンボルであり、図１０の（ｃ）では、スロット１のＯＦＤＭシンボル＃１が第２のＥＰＤＣＣＨのエンドシンボルであり、図１０の（ｄ）では、スロット０のＯＦＤＭシンボル＃６が第２のＥＰＤＣＣＨのエンドシンボルであり、図１０の（ｅ）では、スロット０のＯＦＤＭシンボル＃４が第２のＥＰＤＣＣＨのエンドシンボルである。図１０に示すように、第２のＥＰＤＣＣＨのエンドシンボルに応じて、第２のＥＰＤＣＣＨに関連付けられるＤＭＲＳの構成はそれぞれ規定できる。また、第２の部分サブフレームに用いられる第２のＥＰＤＣＣＨに関連付けられるＤＭＲＳの構成は、ＤｗＰＴＳで用いられるＤＭＲＳの構成と同じにすることができる。
【０５２２】
ＥＰＤＣＣＨは、スケジューリング割り当てを運ぶ。１つのＥＰＤＣＣＨは１つあるいはいくつかの連続するＥＣＣＥ（Ｅｎｈａｎｃｅｄ  Ｃｏｎｔｒｏｌ  Ｃｈａｎｎｅｌ  Ｅｌｅｍｅｎｔ）の集合体（アグリゲーション）を用いて送信される。ここで、各ＥＣＣＥは複数のＥＲＥＧから構成される。１つのＥＰＤＣＣＨのために用いられるＥＣＣＥの数は、そのＥＰＤＣＣＨのフォーマットと、ＥＣＣＥ毎のＥＲＥＧの数とに依存する。局所的送信と分散的送信の両方がサポートされる。１つのＥＰＤＣＣＨは、ＥＣＣＥのＥＲＥＧおよびＰＲＢペアへのマッピングが異なる局所的送信と分散的送信のいずれかを用いることができる。
【０５２３】
また、第１のＥＰＤＣＣＨは、ＥＰＤＣＣＨセット毎に局所的送信と分散的送信のいずれかをＲＲＣシグナリングを通じて設定することができる。第２のＥＰＤＣＣＨは、全てのＥＰＤＣＣＨセットに対して局所的送信と分散的送信のいずれかを予め規定できる。例えば、第２のＥＰＤＣＣＨは、全てのＥＰＤＣＣＨセットに対して分散的送信を予め規定できる。
【０５２４】
端末装置は、後述するように複数のＥＰＤＣＣＨをモニタリングする。端末装置がＥＰＤＣＣＨ送信をモニタする１つあるいは２つのＰＲＢペアの設置が設定されることができる。上位層によって設定されるように、ＥＰＤＣＣＨセットＸｍにおけるすべてのＥＰＤＣＣＨ候補は、局所的送信のみあるいは分散的送信のみが用いる。サブフレームｉのＥＰＤＣＣＨセットＸｍにおいて、ＥＰＤＣＣＨの送信に利用可能なＥＣＣＥは、０からＮＥＣＣＥ、ｍ、ｉ−１までの番号が振られる。ここで、ＮＥＣＣＥ、ｍ、ｉはサブフレームｉのＥＰＤＣＣＨセットＸｍにおけるＥＰＤＣＣＨの送信に利用可能なＥＣＣＥの数である。番号ｎのＥＣＣＥは、局所的マッピングの場合、インデクスがｆｌｏｏｒ（ｎ／ＮＲＢＥＣＣＥ）であるＰＲＢ中の（ｎ  ｍｏｄ  ＮＲＢＥＣＣＥ）＋ｊＮＲＢＥＣＣＥの番号が振られたＥＲＥＧに対応し、分散的マッピングの場合、インデクスが（ｎ＋ｊ  ｍａｘ（１、ＮＸｍＲＢ／ＮＥＣＣＥＥＲＥＧ））ｍｏｄ  ＮＸｍＲＢであるＰＲＢ中のｆｌｏｏｒ（ｎ／ＮＸｍＲＢ）＋ｊＮＲＢＥＣＣＥの番号が振られたＥＲＥＧに対応する。こ
こで、ｊ＝０、１、・・・、ＮＥＣＣＥＥＲＥＧ−１であり、ＮＥＣＣＥＥＲＥＧはＥＣＣＥあたりのＥＲＥＧの数である。また、ＮＲＢＥＣＣＥは１６／ＮＥＣＣＥＥＲＥＧに等しく、ＰＲＢペアあたりのＥＣＣＥの数である。また、ｆｌｏｏｒとｍｏｄとｍａｘはそれぞれ床関数と剰余関数（ｍｏｄ関数）と最大値関数（ｍａｘ関数）である。なお、ここでは、ＥＰＤＣＣＨセットＸｍを構成するＰＲＢペアは、０からＮＸｍＲＢ−１まで昇順に番号かふられているものとする。
【０５２５】
第１のＥＰＤＣＣＨにおいて、ＮＥＣＣＥＥＲＥＧは、ＣＰとサブフレームのタイプに基づいて決まる。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは４である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは８である。なお、スペシャルサブフレーム設定の詳細に関しては後述する。
【０５２６】
第２のＥＰＤＣＣＨにおけるＮＥＣＣＥＥＲＥＧの一例は、ＮＥＣＣＥＥＲＥＧは予め規定された値である。例えば、第２のＥＰＤＣＣＨにおけるＮＥＣＣＥＥＲＥＧは、第１のＥＰＤＣＣＨにおいて通常のＣＰかつスペシャルサブフレーム設定が１、２、６、７あるいは９のスペシャルサブフレームの場合と同じであり、８である。また、例えば、第２のＥＰＤＣＣＨにおけるＮＥＣＣＥＥＲＥＧは、１つのリソースブロックペアで構成されるＥＲＥＧの数と同じであり、１６である。
【０５２７】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるｎＥＰＤＣＣＨ（後述）に依存して決まる。具体的には、第２のＥＰＤＣＣＨにおけるｎＥＰＤＣＣＨが所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定されてもよい。例えば、その所定数は、第１のＥＰＤＣＣＨにおいて用いられる所定数と同じであり、１０４である。また、例えば、その所定数は、第１のＥＰＤＣＣＨにおいて用いられる所定数と異なってもよい。
【０５２８】
また、ｎＥＰＤＣＣＨに対する所定数が複数個規定または設定されてもよい。具体的には、第２のＥＰＤＣＣＨにおけるｎＥＰＤＣＣＨが第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第１の所定数は、第１のＥＰＤＣＣＨにおいて用いられる所定数と同じであり、１０４である。第２の所定数は、第１の所定数よりも小さい値である。
【０５２９】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるＯＦＤＭシンボルの数に依存して決まる。具体的には、第２のＥＰＤＣＣＨにおけるＯＦＤＭシンボルの数が所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定されてもよい。
【０５３０】
また、ＯＦＤＭシンボルの数に対する所定数が複数個規定または設定されてもよい。具体的には、第２のＥＰＤＣＣＨにおけるＯＦＤＭシンボルの数が第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第２の所定数は、第１の所定数よりも小さい値である。
【０５３１】
第２のＥＰＤＣＣＨにおけるＮＥＣＣＥＥＲＥＧの別の一例は、第１のＥＰＤＣＣＨと同様、ＣＰとサブフレームのタイプに基づいて決まるが、ＮＥＣＣＥＥＲＥＧは第１のＥＰＤＣＣＨに対して２倍の値である。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは８である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは１６である。
【０５３２】
ＥＰＤＣＣＨフォーマットとＥＰＤＣＣＨあたりのＥＣＣＥの数（アグリゲーションレベル）との対応を規定することができる。また、その対応は、第１のＥＰＤＣＣＨと第２のＥＰＤＣＣＨとでそれぞれ異なって規定できる。
【０５３３】
第１のＥＰＤＣＣＨにおいて、ＥＰＤＣＣＨフォーマットとＥＰＤＣＣＨあたりのＥＣＣＥの数（アグリゲーションレベル）との対応は、ケースＡとケースＢの複数のケースを規定できる。ケースＡは、後述するケース１に対応する条件が満たされる場合に用いられ、その他の場合はケースＢが用いられる。ケースＡにおけるアグリゲーションレベルは、局所的送信の場合、２、４、８および１６であり、分散的送信の場合、２、４、８、１６および３２である。ケースＢにおけるアグリゲーションレベルは、局所的送信の場合、１、２、４および８であり、分散的送信の場合、１、２、４、８および１６である。すなわち、ケースＡにおけるアグリゲーションレベルは、ケースＢにおけるアグリゲーションレベルよりも大きい。これにより、ＥＰＤＣＣＨにおけるＥＲＥＧのそれぞれに用いられるＲＥの数が少ない場合でも、アグリゲーションレベルを大きくすることで、ＥＰＤＣＣＨに対する所定の受信特性が得られる。
【０５３４】
特定の端末装置に対する数量であるｎＥＰＤＣＣＨは、ＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、下記の（ａ１）から（ａ４）の基準の全てまたは一部を満たす下りリンクＲＥの数として定義される。
（ａ１）そのＰＲＢペア内の１６個のＥＲＥＧのうちのいずれか１つの一部である。
（ａ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ａ３）その端末装置によってＣＳＩＲＳとして用いられないと想定される。ここで、そのサービングセルにおけるゼロ電力ＣＳＩＲＳの設定（ゼロ電力ＣＳＩＲＳのための
設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ａ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０５３５】
第２のＥＰＤＣＣＨにおいて、ＥＰＤＣＣＨフォーマットとＥＰＤＣＣＨあたりのＥＣＣＥの数（アグリゲーションレベル）との対応の一例は、第１のＥＰＤＣＣＨと同じである。
【０５３６】
第２のＥＰＤＣＣＨにおいて、ＥＰＤＣＣＨフォーマットとＥＰＤＣＣＨあたりのＥＣＣＥの数（アグリゲーションレベル）との対応の別の一例は、１つのケースが予め規定される。例えば、第２のＥＰＤＣＣＨにおいて、ＥＰＤＣＣＨフォーマットとＥＰＤＣＣＨあたりのＥＣＣＥの数（アグリゲーションレベル）との対応は、ケースＡが予め規定される。
【０５３７】
第２のＥＰＤＣＣＨにおいて、ＥＰＤＣＣＨフォーマットとＥＰＤＣＣＨあたりのＥＣＣＥの数（アグリゲーションレベル）との対応の別の一例は、ケースＡとケースＢとケースＣの複数のケースを規定できる。ケースＡにおけるアグリゲーションレベルとケースＢにおけるアグリゲーションレベルは、第１のＥＰＤＣＣＨと同じである。ケースＣにおけるアグリゲーションレベルは、ケースＡにおけるアグリゲーションレベルよりも大きくすることができる。例えば、ケースＣにおけるアグリゲーションレベルは、局所的送信の場合、４、８、１６および３２であり、分散的送信の場合、４、８、１６、３２および６４である。
【０５３８】
また、特定の端末装置に対する数量であるｎＥＰＤＣＣＨの一例は、ｎＥＰＤＣＣＨが第１のＥＰＤＣＣＨと第２のＥＰＤＣＣＨとでそれぞれ独立である。第１のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。また、第２のＥＰＤＣＣＨにおいて、ｎＥＰＤＣＣＨは、第２のＥＰＤＣＣＨにおけるＥＰＤＣＣＨセットＸ０（１つ以上のＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てまたは一部を満たす下りリンクＲＥの数として定義される。
【０５３９】
また、特定の端末装置に対する数量であるｎＥＰＤＣＣＨの一例は、ｎＥＰＤＣＣＨが第１のＥＰＤＣＣＨと第２のＥＰＤＣＣＨとで共通である。具体的には、第２のＥＰＤＣＣＨにおけるｎＥＰＤＣＣＨは、第１のＥＰＤＣＣＨにおけるｎＥＰＤＣＣＨと同じである。すなわち、第２のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。
【０５４０】
１つのサブフレームにおける１つのＥＰＤＣＣＨ上で送信されるビットのブロックであ
るｂ（０）、・・・、ｂ（Ｍｂｉｔ−１）は、ｈ（ｉ）＝（ｂ（ｉ）＋ｃ（ｉ））ｍｏｄ
２に基づいてスクランブルされ、その結果ｈ（０）、・・・、ｈ（Ｍｂｉｔ−１）というスクランブルされたビットのブロックになる。ここで、Ｍｂｉｔは１つのＥＰＤＣＣＨで送信されるビットの数であり、ｃ（ｉ）はパラメータｃｉｎｉｔで初期化される端末装置固有のスクランブリング系列である。このスクランブリング系列生成器は、ｃｉｎｉｔ＝ｆｌｏｏｒ（ｎｓ／２）２９＋ｎＥＰＤＣＣＨＩＤ，ｍである。ｍはＥＰＤＣＣＨセットの番号である。ｎｓは無線フレーム中のスロット番号である。ｎＥＰＤＣＣＨＩＤ，ｍは上位層シグナリングによりＥＰＤＣＣＨセット毎に設定可能なＤＭＲＳスクランブリング初期化パラメータであり、０から５０３のいずれかの値を取ることできる。
【０５４１】
スクランブルされたビットのブロックであるｈ（０）、・・・、ｈ（Ｍｂｉｔ−１）は変調され、その結果ｄ（０）、・・・、ｄ（Ｍｓｙｍｂ−１）という複素値変調シンボルのブロックになる。ここで、Ｍｓｙｍｂは１つのＥＰＤＣＣＨで送信される変調シンボルの数である。ＥＰＤＣＣＨの変調方法はＱＰＳＫ（Ｑｕａｄｒａｔｕｒｅ  Ｐｈａｓｅ  Ｓｈｉｆｔ  Ｋｅｙｉｎｇ）である。複素値変調シンボルのブロックはｙ（ｉ）＝ｄ（ｉ）の関係式に基づき、単一レイヤにマッピングされてプレコーディングされる。ここで、ｉ＝０、・・・。Ｍｓｙｍｂ−１であり、ｙはプレコーディングされた変調シンボルである。
【０５４２】
複素値シンボルのブロックであるｙ（０）、・・・、ｙ（Ｍｓｙｍｂ−１）は下記の（ｍ１）から（ｍ４）の基準のすべてを満たすような関連するアンテナポート上のＲＥ（ｋとｌで決まる位置のＲＥ）に、ｙ（０）からスタートして順にマッピングされる。
（ｍ１）ＥＰＤＣＣＨ送信のために割り当てられたＥＲＥＧの一部である。
（ｍ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ｍ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ｍ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０５４３】
アンテナポートＰにおける上記の基準を満たすＲＥ（ｋとｌで決まる位置のＲＥ）へのマッピングは、インデクスＫが先でその後にインデクスｌに対して昇順（ｋとｌが増える方向）であり、これはサブフレームにおける第１スロットから開始して第２スロットで終了する。
【０５４４】
ここでアンテナポートＰは、論理的なアンテナのポートである。１つのアンテナポートが１つの物理アンテナに対応してもよいし、１つのアンテナポートの信号が、実際は複数
の物理アンテナで送信されてもよい。あるいは、複数のアンテナポートの信号が、実際は同じ物理アンテナで送信されてもよい。アンテナポートが同じであれば、同じチャネル特性が得られる。ここでは、アンテナポート０から３までがＣＲＳの送信に関連する（用いられる）アンテナポートであり、アンテナポート４がＭＢＳＦＮ（Ｍｕｌｔｉｍｅｄｉａ
Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）用参照信号の送信に関連する（用いられる）アンテナポートであり、アンテナポート５および７から１４までがＰＤＳＣＨに関連した端末装置固有参照信号の送信に関連する（用いられる）アンテナポートであり、アンテナポート１０７から１１０までがＥＰＤＣＣＨに関連した復調参照信号の送信に関連する（用いられる）アンテナポートであり、アンテナポート６がポジショニング参照信号の送信に関連する（用いられる）アンテナポートであり、アンテナポート１５から２２までがＣＳＩＲＳの送信に関連する（用いられる）アンテナポートである。
【０５４５】
局所的送信では、用いる単一のアンテナポートＰは、ｎ’＝ｎＥＣＣＥ、ｌｏｗ  ｍｏｄ  ＮＲＢＥＣＣＥ＋ｎＲＮＴＩ  ｍｏｄ  ｍｉｎ（ＮＥＰＤＣＣＨＥＣＣＥ，ＮＲＢＥＣＣＥ）で算出されるｎ’と下記の（ｎ１）から（ｎ４）とで与えられる。ここで、ｎＥＣＣＥ、ｌｏｗはそのＥＰＤＣＣＨセットにおけるこのＥＰＤＣＣＨ送信により用いられる最低のＥＣＣＥインデクスであり、ｎＲＮＴＩはＲＮＴＩ（Ｒａｄｉｏ  Ｎｅｔｗｏｒｋ  Ｔｅｍｐｏｒａｒｙ  Ｉｄｅｎｔｉｆｉｅｒ）の１つであるＣ−ＲＮＴＩ（Ｃｅｌｌ−ＲＮＴＩ）に等しい。また、ＮＥＰＤＣＣＨＥＣＣＥはこのＥＰＤＣＣＨのために用いられたＥＣＣＥの数である。また、ｍｉｎは最大値関数（ｍａｘ関数）である。
（ｎ１）通常のＣＰ、かつ通常のサブフレームあるいはスペシャルサブフレーム設定３、４、あるいは８のスペシャルサブフレームの場合、ｎ’＝０はＰ＝１０７に対応する。通常のＣＰ、かつスペシャルサブフレーム設定１、２、６、７あるいは９のスペシャルサブフレームの場合、ｎ’＝０はＰ＝１０７に対応する。拡張のＣＰの場合、いずれのサブフレームタイプであっても、ｎ’＝０はＰ＝１０７に対応する。
（ｎ２）通常のＣＰ、かつ通常のサブフレームあるいはスペシャルサブフレーム設定３、４、あるいは８のスペシャルサブフレームの場合、ｎ’＝１はＰ＝１０８に対応する。通常のＣＰ、かつスペシャルサブフレーム設定１、２、６、７あるいは９のスペシャルサブフレームの場合、ｎ’＝１はＰ＝１０９に対応する。拡張のＣＰの場合、いずれのサブフレームタイプであっても、ｎ’＝１はＰ＝１０８に対応する。
（ｎ３）通常のＣＰ、かつ通常のサブフレームあるいはスペシャルサブフレーム設定３、４、あるいは８のスペシャルサブフレームの場合、ｎ’＝２はＰ＝１０９に対応する。 
（ｎ４）通常のＣＰ、かつ通常のサブフレームあるいはスペシャルサブフレーム設定３、４、あるいは８のスペシャルサブフレームの場合、ｎ’＝３はＰ＝１１０に対応する。 
【０５４６】
分散的送信では、１つのＥＲＥＧにおける各ＲＥはアンテナポート１０７からスタートし、交互にする規則に従って、２つのアンテナポートのうちの１つに関連付けられる。ここで、通常のＣＰでは、２つのアンテナポートはアンテナポート１０７とアンテナポート１０９であり、拡張のＣＰでは、２つのアンテナポートはアンテナポート１０７とアンテナポート１０８である。
【０５４７】
それぞれのサービングセルに対して、基地局装置はＵＥに対して、ＥＰＤＣＣＨのモニタリングのための１つまたは２つのＥＰＤＣＣＨ−ＰＲＢセット（ＥＰＤＣＣＨが配置され得るＰＲＢペアの集合、ＥＰＤＣＣＨセットとも称す）を、上位層のシグナリングで設定することができる。ここで、１つのＥＰＤＣＣＨ−ＰＲＢセットに対応する複数のＰＲＢペア（１つのＥＰＤＣＣＨ−ＰＲＢセットに対応するＰＲＢペアの個数およびそのＥＰＤＣＣＨ−ＰＲＢセットがいずれのＰＲＢペアに対応するか）も上位層のシグナリングで
示される。それぞれのＥＰＤＣＣＨ−ＰＲＢセットは、０番からＮＥＣＣＥ、ｐ、ｋ−１番までの番号が振られたＥＣＣＥの組（ｓｅｔ）で構成される。ここで、ＮＥＣＣＥ、ｐ、ｋ−１はサブフレームｋにおけるＥＰＤＣＣＨ−ＰＲＢセットｐ（ｐ＋１番目のＥＰＤＣＣＨ−ＰＲＢセット、ｐは０または１）内のＥＣＣＥの数である。それぞれのＥＰＤＣＣＨ−ＰＲＢセットは、局所的ＥＰＤＣＣＨ送信か分散的ＥＰＤＣＣＨ送信のいずれかが設定されることができる。すなわち、局所的ＥＰＤＣＣＨ送信が設定されたＥＰＤＣＣＨ−ＰＲＢセットでは、１つのＥＰＤＣＣＨが周波数方向に比較的局所的に配置され、分散的ＥＰＤＣＣＨ送信が設定されたＥＰＤＣＣＨ−ＰＲＢセットでは、１つのＥＰＤＣＣＨが周波数方向に比較的分散的に配置される。
【０５４８】
ＥＰＤＣＣＨセットは、第１のＥＰＤＣＣＨと第２のＥＰＤＣＣＨとでそれぞれ独立に設定できる。例えば、第１のＥＰＤＣＣＨのためのＥＰＤＣＣＨセットと第２のＥＰＤＣＣＨのためのＥＰＤＣＣＨセットとはそれぞれ異なるパラメータを用いて設定できる。
【０５４９】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されないようにしてもよい。例えば、第１のＥＰＤＣＣＨのためのＥＰＤＣＣＨセットは、従来のＬＴＥを用いるサービングセルに対して設定され、第２のＥＰＤＣＣＨのためのＥＰＤＣＣＨセットは、ＬＡＡセルに対して設定される。また、例えば、端末が、そのサービングセルにおいて、従来のＬＴＥと同様に１サブフレームを時間方向の単位とする方法（モード）が設定される場合、第１のＥＰＤＣＣＨのためのＥＰＤＣＣＨセットが設定され、１スロットを時間方向の単位とする方法（モード）が設定される場合、第２のＥＰＤＣＣＨのためのＥＰＤＣＣＨセットが設定される。
【０５５０】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されるようにしてもよい。例えば、ＬＡＡセルにおいて、部分サブフレームでは、第１のＥＰＤＣＣＨのためのＥＰＤＣＣＨセットに基づいて、第１のＥＰＤＣＣＨがモニタリングされ、フルサブフレームでは、第２のＥＰＤＣＣＨのためのＥＰＤＣＣＨセットに基づいて、第２のＥＰＤＣＣＨがモニタリングされる。
【０５５１】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、１つのＥＰＤＣＣＨセットに対応するＰＲＢペアの設定できる数である。例えば、第１のＥＰＤＣＣＨのためのＥＰＤＣＣＨセットにおいて、１つのＥＰＤＣＣＨセットに対応するＰＲＢペアの設定できる数は、２、４、または８である。第２のＥＰＤＣＣＨのためのＥＰＤＣＣＨセットにおいて、１つのＥＰＤＣＣＨセットに対応するＰＲＢペアの設定できる数は、第１のＥＰＤＣＣＨのためのＥＰＤＣＣＨセットに対して２倍となる、４、８、または１６である。また、第２のＥＰＤＣＣＨのためのＥＰＤＣＣＨセットにおいて、想定される第２のＥＰＤＣＣＨのスタートシンボルまたはエンドシンボルに応じて、１つのＥＰＤＣＣＨセットに対応するＰＲＢペアの数が決まるように規定してもよい。例えば、第２のＥＰＤＣＣＨの送信に用いられるＯＦＤＭシンボルの数が少なくなるほど、１つのＥＰＤＣＣＨセットに対応するＰＲＢペアの数が多くなるように規定される。
【０５５２】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、部分サブフレームに関するパラメータである。例えば、第２のＥＰＤＣＣＨのスタートシンボルおよび／またはエンドシンボル、または、その候補を示すパラメータが含まれる。
【０５５３】
また、第２のＥＰＤＣＣＨのスタートシンボルの一例は、ＲＲＣシグナリングを通じて
ＥＰＤＣＣＨセット毎に対して独立または共通に設定される。例えば、第２のＥＰＤＣＣＨのスタートシンボルとして、スロット０のＯＦＤＭシンボル＃０から６と、スロット１のＯＦＤＭシンボル＃０から６のいずれか１つが設定される。また、例えば、第２のＥＰＤＣＣＨのスタートシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのスタートシンボルとして、スロット０のＯＦＤＭシンボル＃０、またはスロット１のＯＦＤＭシンボル＃０のいずれかが設定される。また、例えば、第２のＥＰＤＣＣＨのスタートシンボルは、初期信号を検出したＯＦＤＭシンボルに基づいて決まる。具体的には、第２のＥＰＤＣＣＨのスタートシンボルは、初期信号を検出したＯＦＤＭシンボル、または、初期信号を検出したＯＦＤＭシンボルから所定数後のＯＦＤＭシンボルである。また、例えば、第２のＥＰＤＣＣＨのスタートシンボルは、複数の候補が規定または設定されたＯＦＤＭシンボルであって、初期信号を検出したＯＦＤＭシンボル以降の直近のＯＦＤＭシンボルである。
【０５５４】
また、第２のＥＰＤＣＣＨのエンドシンボルの一例は、ＲＲＣシグナリングを通じてＥＰＤＣＣＨセット毎に対して独立または共通に設定される。例えば、第２のＥＰＤＣＣＨのエンドシンボルとして、スロット０のＯＦＤＭシンボル＃０から６と、スロット１のＯＦＤＭシンボル＃０から６のいずれか１つが設定される。また、例えば、第２のＥＰＤＣＣＨのエンドシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのエンドシンボルとして、スロット０のＯＦＤＭシンボル＃６、またはスロット１のＯＦＤＭシンボル＃６のいずれかが設定される。また、例えば、第２のＥＰＤＣＣＨのエンドシンボルは、そのバーストにおける第２のＥＰＤＣＣＨのスタートシンボルに基づいて決まる。また、例えば、第２のＥＰＤＣＣＨのエンドシンボルは、そのバーストにおける第２のＥＰＤＣＣＨのスタートシンボルと、そのバーストの最大の長さに基づいて決まる。また、例えば、第２のＥＰＤＣＣＨのエンドシンボルは、そのバーストにおける初期信号に含まれる制御情報に基づいて決まる。具体的には、その制御情報は、第２のＥＰＤＣＣＨのエンドシンボルを示す情報を含む。また、例えば、第２のＥＰＤＣＣＨのエンドシンボルは、その部分サブフレームで送信される所定のチャネルおよび／または信号に含まれる制御情報に基づいて決まる。
【０５５５】
端末装置は、制御情報のために上位層シグナリングによって設定されるように、１つ以上の有効なサービングセルにおいてＥＰＤＣＣＨ候補の組をモニタする。ここで、モニタリング（モニターすること）とは、モニタされるＤＣＩフォーマットに応じて、ＥＰＤＣＣＨ候補の組におけるＥＰＤＣＣＨのそれぞれのデコードを試行することを暗に意味している。ＥＰＤＣＣＨのＵＳＳ（ＵＥ−ｓｐｅｃｉｆｉｃ  Ｓｅａｒｃｈ  Ｓｐａｃｅ）において、モニタすべきＥＰＤＣＣＨ候補の組が規定される。ここでＵＳＳは、端末装置固有に設定される論理的な領域であり、下りリンク制御情報の伝送に用いられうる領域である。モニタリングは、ブラインド検出とも呼称される。
【０５５６】
また、第２のＥＰＤＣＣＨのスタートシンボルおよび／または第２のＥＰＤＣＣＨのエンドシンボルは、複数のＯＦＤＭシンボルの候補から端末によってブラインド検出（モニタリング）されてもよい。例えば、端末は、第２のＥＰＤＣＣＨのスタートシンボルおよび／または第２のＥＰＤＣＣＨのエンドシンボルに関して、複数の候補が規定または設定され、それらの候補となるＯＦＤＭシンボルに基づいて送信されたと想定される第２のＥＰＤＣＣＨをモニタリングする。すなわち、第２のＥＰＤＣＣＨ候補の組における第２のＥＰＤＣＣＨのそれぞれは、想定されるスタートシンボルおよび／またはエンドシンボルが独立にしてもよい（異なってもよい）。
【０５５７】
それぞれのサービングセルに対して、ＵＥがＥＰＤＣＣＨ  ＵＳＳをモニタするサブフレームは、上位層によって設定される。より具体的には、アクティブタイム（間欠受信による非活性タイマー起動期間ではない期間、非受信期間ではない期間、端末装置が起きている総期間）中であって、ＦＤＤハーフデュープレックス端末装置のための上りリンク送信を要求されるサブフレームではなく、かつメジャメントギャップの一部ではないサブフレームにおいて、上位層はＥＰＤＣＣＨのモニタリングを設定する。ここで、間欠受信とは、端末装置のバッテリー消費適正化のために、一部の期間を除いて、端末装置が起きている（活性状態である）必要がない（非活性であってもよい）という動作である。ＦＤＤ（Ｆｒｅｑｕｅｎｃｙ  Ｄｉｖｉｓｉｏｎ  Ｄｕｐｌｅｘ）ハーフデュープレックス端末装置とは、ＦＤＤバンドにおいて、上りリンク送信と下りリンク受信を同時に（同じサブフレームで）行う機能を有しない端末装置である。また、メジャメントギャップとは、モビリティ（ハンドオーバ）のためのメジャメント（サービングセル以外のセルの受信電力測定）を行うために、サービングセルにおける送受信を停止する期間であり、メジャメントギャップのパターンはＲＲＣにより設定される。
【０５５８】
端末装置は、下記（ｅ１）から（ｅ４）の場合にはＥＰＤＣＣＨをモニタしない。
（ｅ１）ＴＤＤかつ通常の下りリンクＣＰにおいて、スペシャルサブフレーム設定０および５のスペシャルサブフレーム（ＤｗＰＴＳ内のＯＦＤＭシンボル数が６個より少ないスペシャルサブフレーム）である場合。
（ｅ２）ＴＤＤかつ拡張の下りリンクＣＰにおいて、スペシャルサブフレーム設定０、４、および７のスペシャルサブフレーム（ＤｗＰＴＳ内のＯＦＤＭシンボル数が６個より少ないスペシャルサブフレーム）である場合。
（ｅ３）上位層によりＰＭＣＨ（Ｐｈｙｓｉｃａｌ  Ｍｕｌｔｉｃａｓｔ  Ｃｈａｎｎｅｌ）のデコードを指示されたサブフレームである場合。
（ｅ４）ＴＤＤかつプライマリセルとセカンダリセルとで異なるＵＬ／ＤＬ設定が設定され、セカンダリセルにおける下りリンクサブフレームであって、プライマリセルにおける同じサブフレームがスペシャルサブフレームであり、端末装置がプライマリセルとセカンダリセルとで同時送受信する能力が無い場合。
【０５５９】
ここで、スペシャルサブフレームとは、１つのサブフレーム中に下りリンク送信を行う領域（ＤｗＰＴＳ）とガードピリオド（ＧＰ）と上りリンク送信を行う領域（ＵｐＰＴＳ）の順で３つの領域を含むサブフレームであり、スペシャルサブフレーム設定とＣＰ長によりＤｗＰＴＳとＧＰとＵｐＰＴＳの長さが一意に決まる。ＰＭＣＨは、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）サービスを提供するためのチャネルであり、ＭＢＳＦＮサブフレームにおいてのみ配置されうる。
【０５６０】
なお、スペシャルサブフレーム設定は下記の１０個の設定のうちのいずれかが設定される。
スペシャルサブフレーム設定０では、通常の下りリンクＣＰにおいてＤｗＰＴＳは６５９２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは２１９２サンプル、拡張の上りリンクＣＰでは２５６０サンプルである。ＤｗＰＴＳは３個のＯＦＤＭシンボルで構成され、ＵｐＰＴＳは１個のＳＣ−ＦＤＭＡシンボルで構成される。
スペシャルサブフレーム設定１では、通常の下りリンクＣＰにおいてＤｗＰＴＳは１９７６０サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２０４８０サンプルであり、ＵｐＰＴＳは通常の上りリンクＣＰでは２１９２サンプル、拡張の上りリンクＣＰでは２５６０サンプルである。ＤｗＰＴＳには通常の
下りリンクＣＰの場合は９個、拡張の下りリンクＣＰの場合は８個のＯＦＤＭシンボルで構成され、ＵｐＰＴＳは１個のＳＣ−ＦＤＭＡシンボルで構成される。
スペシャルサブフレーム設定２では、通常の下りリンクＣＰにおいてＤｗＰＴＳは２１９５２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２３０４０サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１０個、拡張の下りリンクＣＰの場合は９個のＯＦＤＭシンボルで構成され、ＵｐＰＴＳは１個のＳＣ−ＦＤＭＡシンボルで構成される。
スペシャルサブフレーム設定３では、通常の下りリンクＣＰにおいてＤｗＰＴＳは２４１４４サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２５６００サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１１個、拡張の下りリンクＣＰの場合は１０個のＯＦＤＭシンボルで構成され、ＵｐＰＴＳは１個のＳＣ−ＦＤＭＡシンボルで構成される。
スペシャルサブフレーム設定４では、通常の下りリンクＣＰにおいてＤｗＰＴＳは２６３３６サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１２個、拡張の下りリンクＣＰの場合は３個のＯＦＤＭシンボルで構成され、ＵｐＰＴＳは通常の下りリンクＣＰの場合は１個のＳＣ−ＦＤＭＡシンボルで構成され、拡張の下りリンクＣＰの場合は２個のＳＣ−ＦＤＭＡシンボルで構成される。
スペシャルサブフレーム設定５では、通常の下りリンクＣＰにおいてＤｗＰＴＳは６５９２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２０４８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は３個、拡張の下りリンクＣＰの場合は８個のＯＦＤＭシンボルで構成され、ＵｐＰＴＳは２個のＳＣ−ＦＤＭＡシンボルで構成される。
スペシャルサブフレーム設定６では、通常の下りリンクＣＰにおいてＤｗＰＴＳは１９７６０サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２３０４０サンプルであり、ＵｐＰＴＳは通常の上りリンクＣＰでは４３８４サンプル、拡張の上りリンクＣＰでは５１２０サンプルである。ＤｗＰＴＳは９個のＯＦＤＭシンボルで構成され、ＵｐＰＴＳは２個のＳＣ−ＦＤＭＡシンボルで構成される。
スペシャルサブフレーム設定７では、通常の下りリンクＣＰにおいてＤｗＰＴＳは２１９５２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは１２８００サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１０個、拡張の下りリンクＣＰの場合は５個のＯＦＤＭシンボルで構成され、ＵｐＰＴＳは２個のＳＣ−ＦＤＭＡシンボルで構成される。
スペシャルサブフレーム設定８では、通常の下りリンクＣＰにおいてＤｗＰＴＳは２４１４４サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１１個のＯＦＤＭシンボルで構成され、ＵｐＰＴＳは２個のＳＣ−ＦＤＭＡシンボルで構成される。
スペシャルサブフレーム設定９では、通常の下りリンクＣＰにおいてＤｗＰＴＳは１
３１６８サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は６個のＯＦＤＭシンボルで構成され、ＵｐＰＴＳは２個のＳＣ−ＦＤＭＡシンボルで構成される。
【０５６１】
ここで、ＵｐＰＴＳが１個のＳＣ−ＦＤＭＡシンボルで構成される場合は、端末装置は基地局装置からの要求に応じて、その１つのＳＣ−ＦＤＭＡシンボルを用いて上りリンクのサウンディングのための参照信号であるＳＲＳ（Ｓｏｕｎｄｉｎｇ  Ｒｅｆｅｒｅｎｃｅ  Ｓｉｇｎａｌ）を送信することができる。ＵｐＰＴＳが２個のＳＣ−ＦＤＭＡシンボルで構成される場合は、端末装置は基地局装置からの要求に応じて、その２つのＳＣ−ＦＤＭＡシンボルの少なくともいずれかを用いてＳＲＳを送信することができる。
【０５６２】
ここで、通常のＣＰにおいて、通常の下りリンクサブフレームは１４個のＯＦＤＭシンボルで構成され、通常の上りリンクサブフレームは１４個のＳＣ−ＦＤＭＡシンボルで構成される。また、拡張のＣＰにおいて、通常の下りリンクサブフレームは１２個のＯＦＤＭシンボルで構成され、通常の上りリンクサブフレームは１２個のＳＣ−ＦＤＭＡシンボルで構成される。
【０５６３】
また、ＵＬ／ＤＬ設定は下記の７個の設定のうちのいずれかが設定される。
ＵＬ／ＤＬ設定０では、１つの無線フレーム（１０サブフレーム）中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および上りリンクサブフレームである。下りリンクから上りリンクへの変換点の周期は５サブフレーム（５ミリ秒）である。
ＵＬ／ＤＬ設定１では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
ＵＬ／ＤＬ設定２では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、スペシャルサブフレーム、上りリンクサブフレーム、下りリンクサブフレーム、および下りリンクサブフレームである。下りリンクから上りリンクへの変換点の周期は５サブフレームである。
ＵＬ／ＤＬ設定３では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレーム（１０ミリ秒）である。
ＵＬ／ＤＬ設定４では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定５では、１つの無線フレーム中のサブフレーム０からサブフレーム９
が、順にそれぞれ下りリンクサブフレーム、スペシャルサブフレーム、上りリンクサブフレーム、下りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定６では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
【０５６４】
ここで、少なくとも１つのサービングセルに対するＵＬ／ＤＬ設定がＵＬ／ＤＬ設定５である場合、２個より多いサービングセルは設定されない。
【０５６５】
アグリゲーションレベルＬにおけるＥＰＤＣＣＨのＵＳＳであるＥＳ（Ｌ）ｋはＥＰＤＣＣＨ候補の組により規定される。ここでＬは１、２、４、８、１６および３２のいずれかである。１つのＥＰＤＣＣＨ−ＰＲＢセットｐに対して、サーチスペースＥＳ（Ｌ）ｋのＥＰＤＣＣＨ候補ｍに対応するＥＣＣＥは、Ｌ（（Ｙｐ，ｋ＋ｆｌｏｏｒ（ｍＮＥＣＣＥ，ｐ，ｋ／（ＬＭ（Ｌ）ｐ））＋ｂ）ｍｏｄ（ｆｌｏｏｒ（ＮＥＣＣＥ，ｐ，ｋ／Ｌ）））＋ｉで与えられる。ここで、ｉ＝０、・・・、Ｌ−１である。また、ＥＰＤＣＣＨがモニタされるサービングセルに対してＣＩＦ（Ｃａｒｒｉｅｒ  Ｉｎｄｉｃａｔｏｒ  Ｆｉｅｌｄ）が設定されている場合、ｂはＣＩＦの値であり、それ以外の場合はｂ＝０である。また、ｍ＝０、１、・・・、Ｍ（Ｌ）ｐ−１である。ＥＰＤＣＣＨがモニタされるサービングセルに対してＣＩＦが設定されていない場合、Ｍ（Ｌ）ｐはＥＰＤＣＣＨがモニタされるそのサービングセルにおけるＥＰＤＣＣＨ−ＰＲＢセットｐ内のアグリゲーションレベルＬにおいてモニタすべきＥＰＤＣＣＨの数である。それ以外の場合、Ｍ（Ｌ）ｐはＣＩＦの値により示されるサービングセルにおけるＥＰＤＣＣＨ−ＰＲＢセットｐ内のアグリゲーションレベルＬにおきたモニタすべきＥＰＤＣＣＨの数である。ここで、ＣＩＦとは、ＤＣＩフォーマット内のフィールドであり、ＣＩＦの値はＤＣＩフォーマットがいずれのサービングセルのＰＤＳＣＨ送信、ＰＵＳＣＨ送信あるいはランダムアクセス手続きに対応するかを決定するために用いられ、プライマリセルあるいはセカンダリセルのいずれかに対応するサービングセルインデクスと同じ値を取る。 
【０５６６】
同一のサブフレーム内において、あるＥＰＤＣＣＨ候補に対応するＥＣＣＥが、ＰＢＣＨ、プライマリ同期信号あるいはセカンダリ同期信号のいずれかの送信と周波数上でオーバーラップするＰＲＢペアにマッピングされる場合、端末装置はそのＥＰＤＣＣＨ候補をモニタしない。
【０５６７】
端末装置が２個のＥＰＤＣＣＨ−ＰＲＢセットに同じ値のｎＥＰＤＣＣＨＩＤ，ｉが設定されており、その端末装置が一方のＥＰＤＣＣＨ−ＰＲＢセットに対応するあるＤＣＩペイロードサイズのＥＰＤＣＣＨ候補であって、あるＲＥの組にマッピングされるＥＰＤＣＣＨ候補を受信し、かつ、その端末装置が他方のＥＰＤＣＣＨ−ＰＲＢセットに対応する同じＤＣＩペイロードサイズのＥＰＤＣＣＨ候補であって、同じＲＥの組にマッピングされるＥＰＤＣＣＨ候補をモニタすることも設定されている場合であり、さらに受信されたＥＰＤＣＣＨの最初のＥＣＣＥの番号がＨＡＲＱ−ＡＣＫ送信のためのＰＵＣＣＨリソースの決定に用いられる場合は、その最初のＥＣＣＥの番号はｐ＝０のＥＰＤＣＣＨ−ＰＲＢセットに基づいて決められる。ここで、ｎＥＰＤＣＣＨＩＤ，ｉは、ＥＰＤＣＣＨに関連するＤＭＲＳ（Ｄｅｍｏｄｕｒａｔｉｏｎ  Ｒｅｆｅｒｅｎｃｅ  Ｓｉｇｎａｌ）の疑似ランダム系列生成の初期化に用いられるパラメータであり、上位層により設定される
。なお、ｉは０または１の値を取り、ＤＭＲＳに関連するＥＰＤＣＣＨがいずれのＥＰＤＣＣＨセットに属すかを示す。すなわち、ｐとほぼ同義である。
【０５６８】
Ｙｐ，ｋはＹｐ，ｋ＝（ＡｐＹｐ，ｋ−１）ｍｏｄＤで定義される。ここで、Ｙｐ，−１は物理層において端末装置に設定される識別子であるＲＮＴＩの値であり、Ａ０は３９８２７であり、Ａ１は３９８２９であり、Ｄは６５５３７であり、ｋ＝ｆｌｏｏｒ（ｎｓ／２）である。すなわち、各サブフレームは２個のスロットで構成されるため、ｋは無線フレーム中のサブフレーム番号を示す。
【０５６９】
また、ＥＰＤＣＣＨ−ＰＲＢセットに含まれるＰＲＢ数とアグリゲーションレベルとモニタされるＥＰＤＣＣＨ候補の数との対応を規定できる。サーチスペースとモニタされるＥＰＤＣＣＨ候補の数を規定するアグリゲーションレベルは次のように与えられる。ここで、ＮＸｐＲＢは、ＥＰＤＣＣＨ−ＰＲＢセットｐを構成するＰＲＢペアの数である。
【０５７０】
ここで、サーチスペースとモニタされるＥＰＤＣＣＨ候補の数を規定するアグリゲーションレベルは、（１）端末装置に分散的送信のための１個のみのＥＰＤＣＣＨ−ＰＲＢが設定される場合、（２）端末装置に局所的送信のための１個のみのＥＰＤＣＣＨ−ＰＲＢが設定される場合、（３）端末装置に分散的送信のための２個のＥＰＤＣＣＨ−ＰＲＢが設定される場合、（４）端末装置に局所的送信のための２個のＥＰＤＣＣＨ−ＰＲＢが設定される場合、（５）端末装置に分散的送信のための１個のＥＰＤＣＣＨ−ＰＲＢと局所的送信のための１個のＥＰＤＣＣＨ−ＰＲＢとが設定される場合、にそれぞれ独立に規定できる。
【０５７１】
なお、本実施形態においては、ｐ１は局所的ＥＰＤＣＣＨ−ＰＲＢセットを識別する符号であり、ｐ１は局所的ＥＰＤＣＣＨ−ＰＲＢセットを識別する符号であり、ｐ２は分散的ＥＰＤＣＣＨ−ＰＲＢセットを識別する符号である。すなわち、ＮＸｐ１ＲＢは局所的ＥＰＤＣＣＨ−ＰＲＢセットを構成するＰＲＢペアの数であり、ＮＸｐ２ＲＢは分散的ＥＰＤＣＣＨ−ＰＲＢセットを構成するＰＲＢペアの数である。また、Ｍ（Ｌ）ｐ１は局所的ＥＰＤＣＣＨ−ＰＲＢセット内のアグリゲーションレベルＬにおいてモニタすべきＥＰＤＣＣＨの数であり、Ｍ（Ｌ）ｐ２は分散的ＥＰＤＣＣＨ−ＰＲＢセット内のアグリゲーションレベルＬにおいてモニタすべきＥＰＤＣＣＨの数である。
【０５７２】
ＥＰＤＣＣＨ−ＰＲＢセットに含まれるＰＲＢ数とアグリゲーションレベルとモニタされるＥＰＤＣＣＨ候補の数との対応に対して、下記（ｃ１）から（ｃ４）の場合はケース１が、下記（ｃ５）から（ｃ７）の場合はケース２が、（ｃ８）の場合はケース３がそれぞれ適用される。
（ｃ１）通常のサブフレームかつ通常の下りリンクＣＰで、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ２）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ３）通常のサブフレームかつ通常の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ４）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ５）通常のサブフレームかつ拡張の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ６）スペシャルサブフレーム設定１、２、６、７あるいは９のスペシャルサブフレームかつ通常の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ７）スペシャルサブフレーム設定１、２、３、５あるいは６のスペシャルサブフレームかつ拡張の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ８）上記（ｃ１）から（ｃ７）のいずれでもない場合。すなわち、１つのＰＲＢペア内でＥＰＤＣＣＨ送信に用いることができるＲＥ数が比較的多く、かつＤＣＩフォーマットのペイロードサイズがそれほど大きくない場合。
【０５７３】
ここで、端末装置が、ＥＰＤＣＣＨがモニタされるサービングセルに対してＣＩＦが設定されていない場合、ＭＤＬＲＢはＥＰＤＣＣＨがモニタされるサービングセルのＮＤＬＲＢである。端末装置が、ＥＰＤＣＣＨがモニタされるサービングセルに対してＣＩＦが設定されている場合、ＭＤＬＲＢはＣＩＦの値により指定されるサービングセルのＮＤＬＲＢである。ここで、ＮＤＬＲＢは下りリンクバンド幅設定であり、周波数方向のリソースブロックサイズの倍数単位で表現される。言い換えると、ＮＤＬＲＢはサービングセルにおける下りリンクコンポーネントキャリア内の周波数方向における総リソースブロック数である。また、ＤＣＩフォーマット１Ａ、１Ｂ、２Ｄ、１は、１つのＰＤＳＣＨを用いて１個のトランスポートブロックを送信可能な送信モードで用いられるＤＣＩフォーマットであり、それぞれ送信ダイバーシチ、単一ポートを用いた閉ループ空間多重、マルチユーザＭＩＭＯ（Ｍｕｌｔｉｐｌｅ  Ｉｎｐｕｔ  Ｍｕｌｔｉｐｌｅ  Ｏｕｔｐｕｔ）、単一アンテナポート送信というＰＤＳＣＨ送信方法に用いられる。また、ＤＣＩフォーマット２、２Ａ、２Ｂ、２Ｃ、２Ｄは、１つのＰＤＳＣＨを用いて２個までのトランスポートブロックを送信可能な送信モードで用いられるＤＣＩフォーマットであり、それぞれ閉ループ空間多重、大遅延ＣＤＤ（Ｃｙｃｌｉｃ  Ｄｅｌａｙ  Ｄｉｖｅｒｓｉｔｙ）、２レイヤ送信、８レイヤ以下送信、および８レイヤ以下送信というＰＤＳＣＨ送信方法に用いられる。また、ＤＣＩフォーマット２、２Ａはさらに送信ダイバーシチのＰＤＳＣＨ送信方法に、ＤＣＩフォーマット２Ｂ、２Ｃ、２Ｄはさらに単一アンテナポートのＰＤＳＣＨ送信方法にも用いられる。また、ＤＣＩフォーマット０および４は、それぞれ１つのＰＵＳＣＨを用いて１個および２個までのトランスポートブロックを送信可能な送信モードで用いられるＤＣＩフォーマットであり、それぞれ単一アンテナポート送信および閉ループ空間多重というＰＤＳＣＨ送信方法に用いられる。
【０５７４】
また、送信モードとは、上位層シグナリングを介して、ＰＤＣＣＨあるいはＥＰＤＣＣ
Ｈを介してシグナリングされたＰＤＳＣＨデータ送信を受信するために、端末装置に準静的に設定されるモードである。送信モードは、下記の送信モード１から送信モード１０のうちのいずれかが設定される。
送信モード１は、単一アンテナポート送信（アンテナポート０による送信）のＰＤＳＣＨ送信方法が用いられ、ＤＣＩフォーマット１あるいは１Ａが用いられる。
送信モード２は、送信ダイバーシチのＰＤＳＣＨ送信方法が用いられ、ＤＣＩフォーマット１あるいは１Ａが用いられる。
送信モード３は、大遅延ＣＤＤあるいは送信ダイバーシチのＰＤＳＣＨ送信方法が用いられ、ＤＣＩフォーマット１あるいは２Ａが用いられる。
送信モード４は、閉ループ空間多重あるいは送信ダイバーシチのＰＤＳＣＨ送信方法が用いられ、ＤＣＩフォーマット１あるいは２が用いられる。
送信モード５は、マルチユーザＭＩＭOあるいは送信ダイバーシチのＰＤＳＣＨ送信
方法が用いられ、ＤＣＩフォーマット１あるいは１Ｄが用いられる。
送信モード６は、単一ポートを用いた閉ループ空間多重あるいは送信ダイバーシチのＰＤＳＣＨ送信方法が用いられ、ＤＣＩフォーマット１あるいは１Ｂが用いられる。
送信モード７は、単一アンテナポート送信（アンテナポート５による送信）あるいは送信ダイバーシチか単一アンテナポート送信（アンテナポート０による送信）いずれかのＰＤＳＣＨ送信方法が用いられ、ＤＣＩフォーマット１あるいは１が用いられる。
送信モード８は、２レイヤ送信（アンテナポート７およびアンテナポート８による送信）あるいは送信ダイバーシチか単一アンテナポート送信（アンテナポート０による送信）いずれかのＰＤＳＣＨ送信方法が用いられ、ＤＣＩフォーマット１あるいは２Ｂが用いられる。
送信モード９は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
送信モード１０は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
【０５７５】
なお、これ以外の送信モード（例えば、送信モード９や１０と同様の規定による送信モード１１など）を用いてもよい。例えば、送信モード１１は、ＬＡＡセルにおいて用いられるＤＣＩフォーマットが用いられる。送信モード１１は、本実施形態で説明されるＬＡＡセルにおける処理方法、符号化方法、送信方法および／または受信方法が用いられる。
【０５７６】
端末装置に、ＣＩＦが設定されていない場合、その端末装置はＥＰＤＣＣＨをモニタするように設定されている各活性化されたサービングセルにおいて、図Ｘ１から図Ｘ１０の対応表によって与えられた各アグリゲーションレベルにおける１つのＥＰＤＣＣＨのＵＳＳをモニタする。端末装置に、ＥＰＤＣＣＨのモニタリングが設定されており、かつその端末装置にＣＩＦが設定されている場合、その端末装置は、上位層シグナリングによって設定されたように、１つ以上の活性化されたサービングセルにおいて、図Ｘ１から図Ｘ１０の対応表によって与えられた各アグリゲーションレベルにおける１つ以上のＥＰＤＣＣＨのＵＳＳをモニタする。サービングセルｃにおけるＥＰＤＣＣＨのモニタリングに関連するＣＩＦが設定されている端末装置は、サービングセルｃのＥＰＤＣＣＨのＵＳＳにおいて、ＣＩＦが設定され、かつＣ−ＲＮＴＩによってスクランブルされたＣＲＣが付加されたＥＰＤＣＣＨをモニタする。プライマリセルにおけるＥＰＤＣＣＨのモニタリングに関連するＣＩＦが設定されている端末装置は、プライマリセルのＥＰＤＣＣＨのＵＳＳに
おいて、ＣＩＦが設定され、かつＳＰＳ−ＲＮＴＩ（Ｓｅｍｉ  Ｐｅｒｓｉｓｔｅｎｔ  Ｓｃｈｅｄｕｌｉｎｇ−ＲＮＴＩ）によってスクランブルされたＣＲＣが付加されたＥＰＤＣＣＨをモニタする。ここで、Ｃ−ＲＮＴＩは動的なＰＤＳＣＨ送信あるいはＰＵＳＣＨ送信に関連するＥＰＤＣＣＨ送信に用いられるＲＮＴＩであり、ＳＰＳ−ＲＮＴＩは準定常的なＰＤＳＣＨ送信あるいはＰＵＳＣＨ送信に関連するＥＰＤＣＣＨ送信に用いられるＲＮＴＩである。
【０５７７】
ＥＰＤＣＣＨがモニタされるサービングセルにおいて、端末装置にＣＩＦが設定されていない場合、その端末装置はＣＩＦを含まないＥＰＤＣＣＨのためにＥＰＤＣＣＨのＵＳＳをモニタし、端末装置にＣＩＦが設定されている場合、その端末装置はＣＩＦを含むＥＰＤＣＣＨのためにＥＰＤＣＣＨのＵＳＳをモニタする。すなわち、ＣＩＦが設定されているかどうかに応じて、ＥＰＤＣＣＨがＣＩＦを含むものとしてＥＰＤＣＣＨをデコードするか、ＥＰＤＣＣＨがＣＩＦを含まないものとしてＥＰＤＣＣＨをデコードするかが決まる。端末装置に、セカンダリセルに対応するＣＩＦを含むＥＰＤＣＣＨを他のサービングセルにおいてモニタすることが設定されている場合、その端末相違はそのセカンダリセルにおけるＥＰＤＣＣＨをモニタしない。ＥＰＤＣＣＨがモニタされるサービングセルおいて、その端末装置は少なくとも同じサービングセルに対するＥＰＤＣＣＨ候補をモニタする。
【０５７８】
あるサービングセル上の、ＣＩＦを含むあるＤＣＩフォーマットサイズの、Ｃ−ＲＮＴＩによりスクランブルされたＣＲＣが付加されたＥＰＤＣＣＨ候補をモニタすることが設定された端末装置は、そのＤＣＩフォーマットサイズで、ＣＩＦの取り得るあらゆる値に対応するあらゆるＥＰＤＣＣＨのＵＳＳにおいて、そのＤＣＩフォーマットサイズのＥＰＤＣＣＨ候補がそのサービングセル上で送信されるかもしれないと想定する。
【０５７９】
ＥＰＤＣＣＨがモニタされるサービングセルに対して、ポジショニング参照信号の送信機会がＭＢＳＦＮサブフレーム内のみに設定され、かつサブフレーム０で用いられるＣＰ長が通常のＣＰである場合、端末装置は、ポジショニング参照信号の送信機会の一部であると上位層にとって設定されたサブフレームにおいてＥＰＤＣＣＨのモニタは要求されない。
【０５８０】
端末装置は、アンテナポート１０７と１０８のいずれかに関連するＥＰＤＣＣＨ候補をモニタリングする間、同じＣｉｎｉｔの値がアンテナポート１０７と１０８とに用いられると想定する。端末装置は、アンテナポート１０９と１１０のいずれかに関連するＥＰＤＣＣＨ候補をモニタリングする間、同じＣｉｎｉｔの値がアンテナポート１０９と１１０とに用いられると想定する。
【０５８１】
あるサービングセルに対して、上位層シグナリングを介して、端末装置が送信モード１から９に応じたＰＤＳＣＨのデータ送信を受信するように設定されている場合、その端末装置は、下記の（ｓ１）および（ｓ２）に従う。
（ｓ１）その端末装置に上位層パラメータであるｅｐｄｃｃｈ−ＳｔａｒｔＳｙｍｂｏｌ−ｒ１１が設定されている場合、１つのサブフレームにおける第１スロット内のインデクスであるｌＥＰＤＣＣＨＳｔａｒｔによって与えられる、ＥＰＤＣＣＨのための開始ＯＦＤＭシンボル（１つのサブフレームにおいてＥＰＤＣＣＨがマッピングされる最初のＯＦＤＭシンボルであり、ＥＰＤＣＣＨの開始位置とも呼ばれる）は、その上位層パラメータから決められる。ここで、上位層パラメータであるｅｐｄｃｃｈ−ＳｔａｒｔＳｙｍｂｏｌ−ｒ１１は、ＥＰＤＣＣＨセット毎に個別に設定可能なパラメータであり、ＥＰＤＣＣＨの開始ＯＦＤＭシンボルを指定するためのパラメータ（開始ＯＦＤＭシンボルを示す情報）である。上位層パラメータであるｅｐｄｃｃｈ−ＳｔａｒｔＳｙｍｂｏｌ−ｒ１１は、ＲＲＣメッセージを用いて設定される。
（ｓ２）その他の場合、１つのサブフレームにおける第１スロット内のインデクスであるｌＥＰＤＣＣＨＳｔａｒｔによって与えられる、ＥＰＤＣＣＨのための開始ＯＦＤＭシンボルは、ＮＤＬＲＢが１０より大きい場合、そのサービングセルのそのサブフレームにおけるＣＦＩ（Ｃｏｎｔｒｏｌ  Ｆｏｒｍａｔ  Ｉｎｄｉｃａｔｏｒ）の値により与えられ、ＮＤＬＲＢが１０以下の場合、そのサービングセルのそのサブフレームにおけるＣＦＩの値に１を加算することにより与えられる。ここでＣＦＩとは、値として１、２および３のうちのいずれかを取るパラメータであり、ＰＣＦＩＣＨ（Ｐｈｙｓｉｃａｌ  ＣＦＩ  Ｃｈａｎｎｅｌ）を介して送受信される制御情報である。ＣＦＩは、１つのサブフレームにおいてＰＤＣＣＨの送信のために用いられるＯＦＤＭシンボルの数についての情報である。
【０５８２】
あるサービングセルに対して、上位層シグナリングを介して、端末装置が送信モード１０に応じたＰＤＳＣＨのデータ送信を受信するように設定されている場合、各ＥＰＤＣＣＨ＾ＰＲＢセットに対して、サブフレームｋにおけるＥＰＤＣＣＨのモニタリングのための開始ＯＦＤＭシンボルは、下記の（ｓ３）から（ｓ６）までのように、上位層のパラメータであるｐｄｓｃｈ−Ｓｔａｒｔ−ｒ１１に従う。ここで、上位層パラメータであるｐｄｓｃｈ−Ｓｔａｒｔ−ｒ１１は、ＰＤＳＣＨ用の４種類パラメータセットに対して個別に設定可能なパラメータであり、ＰＤＳＣＨの開始ＯＦＤＭシンボルを指定するためのパラメータ（開始ＯＦＤＭシンボルを示す情報）である。上位層パラメータであるｐｄｓｃｈ−Ｓｔａｒｔ−ｒ１１は、ＲＲＣメッセージを用いて設定される。
（ｓ３）ｐｄｓｃｈ−Ｓｔａｒｔ−ｒ１１の値が１、２、３および４の組に属している（値が１、２、３および４のいずれかである）場合、ｌ’ＥＰＤＣＣＨＳｔａｒｔはｐｄｓｃｈ−Ｓｔａｒｔ−ｒ１１によって与えられる。
（ｓ４）その他の場合（ｐｄｓｃｈ−Ｓｔａｒｔ−ｒ１１の値が１、２、３および４の組に属していない場合）、ｌ’ＥＰＤＣＣＨＳｔａｒｔは、ＮＤＬＲＢが１０より大きい場合、そのサービングセルのサブフレームｋにおけるＣＦＩの値により与えられ、ｌ’ＥＰＤＣＣＨＳｔａｒｔは、ＮＤＬＲＢが１０以下の場合、そのサービングセルのサブフレームｋにおけるＣＦＩの値に１を加算することにより与えられる。
（ｓ５）サブフレームｋが上位層パラメータであるｍｂｓｆｎ―ＳｕｂｆｒａｍｅＣｏｎｆｉｇＬｉｓｔ−ｒ１１によって指定されるサブフレームである、あるいはサブフレームｋがＴＤＤ用のサブフレーム構成におけるサブフレーム１または６である場合、ｌＥＰＤＣＣＨＳｔａｒｔは、ｌＥＰＤＣＣＨＳｔａｒｔ＝ｍｉｎ（２，ｌ’ＥＰＤＣＣＨＳｔａｒｔ）により与えられる。
（ｓ６）その他の場合（サブフレームｋが上位層パラメータであるｍｂｓｆｎ―ＳｕｂｆｒａｍｅＣｏｎｆｉｇＬｉｓｔ−ｒ１１によって指定されるサブフレームではない、かつサブフレームｋがＴＤＤ用のサブフレーム構成におけるサブフレーム１または６ではない場合）、ｌＥＰＤＣＣＨＳｔａｒｔは、ｌＥＰＤＣＣＨＳｔａｒｔ＝ｌ’ＥＰＤＣＣＨＳｔａｒｔにより与えられる。
【０５８３】
あるサービングセルに対して、上位層シグナリングを介して、端末装置が送信モード１から９に応じたＰＤＳＣＨのデータ送信を受信するように設定されており、かつＥＰＤＣＣＨのモニタが設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する（同一の送信点から送信されているものとして受信する、あるいは異なる送信点から送信されていないものとして受信する）。
【０５８４】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、下記の（ｑ１
）および（ｑ１）
が適用される。
（ｑ１）その端末装置に、疑似コロケーションタイプＡに基づいてＰＤＳＣＨをデコードすることが上位層により設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する。
（ｑ２）その端末装置に、疑似コロケーションタイプＢに基づいてＰＤＳＣＨをデコードすることが上位層により設定されている場合、その端末装置は、上位層パラメータであるｑｃｌ−ＣＳＩ−ＲＳ−ＣｏｎｆｉｇＮＺＰＩｄ−ｒ１１に対応するアンテナポート１５から２２と、１０７から１１０とが、ドップラーシフト、ドップラースプレッド、平均遅延および遅延スプレッドに関して疑似コロケートであると想定する。ここで、上位層パラメータであるｑｃｌ−ＣＳＩ−ＲＳ−ＣｏｎｆｉｇＮＺＰＩｄ−ｒ１１は、ＰＤＳＣＨ用の４種類パラメータセットに対して個別に設定可能なパラメータであり、ＰＤＳＣＨの疑似コロケーションを指定するためのパラメータ（ＰＤＳＣＨに関連する端末固有参照信号がいずれのＣＳＩＲＳと疑似コロケートしているかを示す情報）である。上位層パラメータであるｑｃｌ−ＣＳＩ−ＲＳ−ＣｏｎｆｉｇＮＺＰＩｄ−ｒ１１は、ＲＲＣメッセージを用いて設定される。
ここで、疑似コロケーションタイプＡと疑似コロケーションタイプＢは、送信モード１０が設定された端末装置に対してサービングセル毎にいずれか１つが設定されるパラメータであり、タイプＡはアンテナポート７から１４が、そのサービングセルのＣＲＳアンテナポート０−３と疑似コロケートされていることを示し、タイプＢはアンテナポート７から１４が、いずれかのＣＳＩＲＳアンテナポート１５−２２と疑似コロケートされていることを示す。逆に言えば、タイプＢが設定される場合、ＣＳＩＲＳは必ずしもそのサービングセルに対応する基地局装置から送信されるわけではなく、別の基地局装置から送信されてもよい。その場合、そのＣＳＩＲＳと疑似コロケートされるＥＰＤＣＣＨやＰＤＳＣＨは、通常，そのＣＳＩＲＳと同じ送信点（例えば基地局装置にバックホールで接続された遠隔地における張り出しアンテナ装置あるいは別の基地局装置）から送信されている。
【０５８５】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、その端末装置はそのＥＰＤＣＣＨのＲＥマッピングおよびアンテナポート疑似コロケーションの決定のために、上位層のパラメータであるＭａｐｐｉｎｇＱＣＬ−ＣｏｎｆｉｇＩｄ−ｒ１１によって指定されるパラメータを用いる。パラメータセットには、ＥＰＤＣＣＨのＲＥマッピングおよびアンテナポート疑似コロケーションの決定のための下記の（Ｑ１）から（Ｑ６）までのパラメータが含まれる。
（Ｑ１）ｃｒｓ−ＰｏｒｔｓＣｏｕｎｔ−ｒ１１。ｃｒｓ−ＰｏｒｔｓＣｏｕｎｔ−ｒ１１は、ＰＤＳＣＨやＥＰＤＣＣＨをＲＥのマッピングする際に用いられるＣＲＳのポート数を示すパラメータである。
（Ｑ２）ｃｒｓ−ＦｒｅｑＳｈｉｆｔ−ｒ１１。ｃｒｓ−ＦｒｅｑＳｈｉｆｔ−ｒ１１は、ＰＤＳＣＨやＥＰＤＣＣＨをＲＥのマッピングする際に用いられるＣＲＳの周波数シフトを示すパラメータである。
（Ｑ３）ｍｂｓｄｎ―ＳｕｂｆｒａｍｅＣｏｎｆｉｇＬｉｓｔ−ｒ１１。ｍｂｓｄｎ―ＳｕｂｆｒａｍｅＣｏｎｆｉｇＬｉｓｔ−ｒ１１は、ＰＤＳＣＨやＥＰＤＣＣＨをＲＥのマッピングする際に用いられるＭＢＳＦＮサブフレームの位置を示すパラメータである。このパラメータでＭＢＳＦＮサブフレームとして設定されたサブフレームでは、ＰＤＣＣＨが配置されうるＯＦＤＭシンボルにのみＣＲＳが存在するものとして（ＰＤＣＣＨが配置されないＯＦＤＭシンボルにはＣＲＳが存在しないものとして）、ＰＤＳＣＨやＥＰＤＣＣＨがマッピングされる。
（Ｑ４）ｃｓｉ−ＲＳ−ＣｏｎｆｉｇＺＰＩｄ−ｒ１１。ｃｓｉ−ＲＳ−ＣｏｎｆｉｇＺＰＩｄ−ｒ１１は、ＰＤＳＣＨやＥＰＤＣＣＨをＲＥのマッピングする際に用いられるゼロ電力ＣＳＩＲＳの位置を示すパラメータである。
（Ｑ５）ｐｄｓｃｈ−Ｓｔａｒｔ−ｒ１１。ｐｄｓｃｈ−Ｓｔａｒｔ−ｒ１１は、ＰＤＳＣＨやＥＰＤＣＣＨをＲＥのマッピングする際に用いられる開始ＯＦＤＭシンボルを示すパラメータである。
（Ｑ６）ｑｃｌ−ＣＳＩ−ＲＳ−ＣｏｎｆｉｇＮＺＰＩｄ−ｒ１１。ｑｃｌ−ＣＳＩ−ＲＳ−ＣｏｎｆｉｇＮＺＰＩｄ−ｒ１１は、ＰＤＳＣＨやＥＰＤＣＣＨを復調するための参照信号がいずれのＣＳＩＲＳとコロケートされているかを示すパラメータである。このパラメータは、１つ以上設定されたＣＳＩＲＳのいずれかのＩＤを指定することができる。ＰＤＳＣＨやＥＰＤＣＣＨを復調するための参照信号は、ＩＤが指定されたＣＳＩＲＳと疑似コロケートされているものとする。
【０５８６】
次に、第２のＥＰＤＣＣＨでスケジューリングされるＰＤＳＣＨについて説明する。第２のＥＰＤＣＣＨでスケジューリングされるＰＤＳＣＨの一例は、その第２のＥＰＤＣＣＨが検出された（マッピングされた）サブフレームにマッピングされるＰＤＳＣＨのみである。
【０５８７】
第２のＥＰＤＣＣＨでスケジューリングされるＰＤＳＣＨの別の一例は、その第２のＥＰＤＣＣＨが検出された（マッピングされた）サブフレームを含むバースト内のいずれかのサブフレームにマッピングされるＰＤＳＣＨを含む。ＰＤＳＣＨがマッピングされるサブフレームに関する情報（設定）は、ＲＲＣで設定されてもよいし、第２のＥＰＤＣＣＨで送信するＤＣＩに通じて通知されてもよい。また、第２のＥＰＤＣＣＨでスケジューリングされるＰＤＳＣＨは、１つのサブフレームでもよいし、複数のサブフレームでもよい。
【０５８８】
次に、第２のＥＰＤＣＣＨでスケジューリングされるＰＤＳＣＨが部分サブフレームにマッピングされる場合において、そのＰＤＳＣＨのスタートシンボルおよび／またはエンドシンボルについて説明する。例えば、そのＰＤＳＣＨのスタートシンボルおよび／またはエンドシンボルは、スケジューリングする第２のＥＰＤＣＣＨにおけるＤＣＩに含まれる制御情報に基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルに基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルと同じである。また、例えば、そのＰＤＳＣＨのスタートシンボルおよび／またはエンドシンボルは、スケジューリングする第２のＥＰＤＣＣＨのスタートシンボルおよび／またはエンドシンボルから算出されるＯＦＤＭシンボルである。また、例えば、そのＰＤＳＣＨのスタートシンボルおよび／またはエンドシンボルは、スケジューリングする第２のＥＰＤＣＣＨのスタートシンボルおよび／またはエンドシンボルとは独立にＲＲＣシグナリングを通じて設定される。また、例えば、そのＰＤＳＣＨのスタートシンボルおよび／またはエンドシンボルは、そのサブフレームにマッピングされる物理チャネルまたは物理信号に含まれる制御情報で決まる。また、そのＰＤＳＣＨのスタートシンボルとエンドシンボルとは、その決定の方法または通知の方法がそれぞれ異なってもよい。
【０５８９】
また、第１のＥＰＤＣＣＨセットに対する第１のＥＰＤＣＣＨをモニタリングするサブフレームに関する設定と、第２のＥＰＤＣＣＨセットに対する第２のＥＰＤＣＣＨをモニタリングするサブフレームに関する設定とは、それぞれ異なってもよい。例えば、第１のＥＰＤＣＣＨをモニタリングするサブフレームは、全ての第１のＥＰＤＣＣＨセットで共通に設定され、ビットマップ形式の情報でサブフレーム毎にモニタリングするかどうかが
設定される。第２のＥＰＤＣＣＨをモニタリングするサブフレーム関する設定の一例は、第１のＥＰＤＣＣＨをモニタリングするサブフレーム関する設定と同じであるが、独立に設定される。第２のＥＰＤＣＣＨをモニタリングするサブフレーム関する設定の別の一例は、端末がＬＡＡセルにおけるバースト（下りリンクバースト送信）を検出したサブフレームにおいて、第２のＥＰＤＣＣＨをモニタリングする。
【０５９０】
上記で説明された実施形態の一部は以下の通り言い換えることができる。
【０５９１】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。あるサブフレームにおける第１のＥＰＤＣＣＨのスタートシンボルと第２のＥＰＤＣＣＨのスタートシンボルとは独立に決まる。
【０５９２】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。あるサブフレームにおける第１のＥＰＤＣＣＨのスタートシンボルと第２のＥＰＤＣＣＨのスタートシンボルとは独立に決まる。
【０５９３】
第２のＥＰＤＣＣＨのスタートシンボルに設定できる最大の値は、第１のＥＰＤＣＣＨのスタートシンボルに設定できる最大の値よりも大きい。例えば、第１のＥＰＤＣＣＨのスタートシンボルに設定できる値は、１、２、３、または４である。第２のＥＰＤＣＣＨのスタートシンボルに設定できる値は、第１のＥＰＤＣＣＨのスタートシンボルに設定できる値とは異なる値を含む。
【０５９４】
第１のＥＰＤＣＣＨのスタートシンボルは、上位層のパラメータに基づいて設定される。第２のＥＰＤＣＣＨのスタートシンボルは、初期信号を検出したシンボルに基づいて決まる。例えば、第２のＥＰＤＣＣＨのスタートシンボルは、初期信号を検出したシンボルと同じである。
【０５９５】
第１のＥＰＤＣＣＨのエンドシンボルは、あるサブフレームにおける最後のシンボルである。  第２のＥＰＤＣＣＨのエンドシンボルは、上位層のパラメータに基づいて設定される。
【０５９６】
第２のＥＰＤＣＣＨによってスケジューリングされるＰＤＳＣＨのスタートシンボルおよび／またはエンドシンボルは、第２のＥＰＤＣＣＨのスタートシンボルおよび／またはエンドシンボルに基づいて決まる。
【０５９７】
第２のＥＰＤＣＣＨによってスケジューリングされるＰＤＳＣＨのスタートシンボルおよび／またはエンドシンボルは、第２のＥＰＤＣＣＨにおけるＤＣＩに基づいて決まる。
【０５９８】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第
２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０５９９】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０６００】
第２のＥＰＤＣＣＨの送信に用いられるＥＣＣＥのそれぞれを構成するＥＲＥＧの数のうちの最大値は、第１のＥＰＤＣＣＨの送信に用いられるＥＣＣＥのそれぞれを構成するＥＲＥＧの数のうちの最大値よりも大きい。例えば、第１のＥＰＤＣＣＨの送信に用いられるＥＣＣＥのそれぞれを構成するＥＲＥＧの数は、４または８を含む。第２のＥＰＤＣＣＨの送信に用いられるＥＣＣＥのそれぞれを構成するＥＲＥＧの数は、第１のＥＰＤＣＣＨの送信に用いられるＥＣＣＥのそれぞれを構成するＥＲＥＧの数とは異なる数を含む。第２のＥＰＤＣＣＨの送信に用いられるＥＣＣＥのそれぞれを構成するＥＲＥＧの数は、４、８または１６を含む。
【０６０１】
第２のＥＰＤＣＣＨに関連付けられる復調参照信号がマッピングされるリソースエレメントは、第２のＥＰＤＣＣＨのスタートシンボルおよび／またはエンドシンボルに応じて決まる。
【０６０２】
第２のＥＰＤＣＣＨセットのために用いられる物理リソースブロックペアの数のうちの最大値は、第１のＥＰＤＣＣＨセットのために用いられる物理リソースブロックペアの数のうちの最大値よりも大きい。例えば、第１のＥＰＤＣＣＨセットのために用いられる物理リソースブロックペアの数は、２、４または８を含む。第２のＥＰＤＣＣＨセットのために用いられる物理リソースブロックペアの数は、第１のＥＰＤＣＣＨセットのために用いられる物理リソースブロックペアの数とは異なる数を含む。２、４、８または１６を含む。
【０６０３】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０６０４】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０６０５】
尚、上述した実施形態における端末装置１、基地局装置２−１あるいは基地局装置２−
２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０６０６】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０６０７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０６０８】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０６０９】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ
Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０６１０】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０６１１】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０６１２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形
態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０６１３】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
2018152624.tif 000003
【図２】
2018152624.tif 000004
【図３】
2018152624.tif 000005
【図４】
2018152624.tif 000006
【図５】
2018152624.tif 000007
【図６】
2018152624.tif 000008
【図７】
2018152624.tif 000009
【図８】
2018152624.tif 000010
【図９】
2018152624.tif 000011
【図１０】
2018152624.tif 000012
【図１１】
2018152624.tif 000013
【図１２】
2018152624.tif 000014